(57)【特許請求の範囲】
【請求項１】
無線通信デバイスであって、
セルラー無線サブシステムと、
無線ローカルエリアネットワーク（ＷＬＡＮ）無線サブシステムと、
前記セルラー無線サブシステム及び前記ＷＬＡＮ無線サブシステムに通信可能に結合された処理回路であって、前記処理回路は、前記無線通信デバイスに、
ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、前記無線通信デバイスと無線ネットワークのｅＮｏｄｅＢとの間の接続を確立させ、
前記ライセンスＲＦ帯域における前記Ｐｃｅｌｌの前記ＰＣＣを介して、前記ｅＮｏｄｅＢへの送信のために利用可能な保留中のアップリンク（uplink：ＵＬ）データを示すスケジューリング要求（scheduling request：ＳＲ）メッセージを送信させ、
前記ｅＮｏｄｅＢから、前記Ｐｃｅｌｌの前記ＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した複数のＵＬ送信機会を示すダウンリンク制御情報（downlink control information：ＤＣＩ）を受信させ、ここで、前記複数のＵＬ送信機会は、前記非ライセンスＲＦ帯域における連続送信を４ミリ秒以下又は５ミリ秒以下に制限しており、
前記複数のＵＬ送信機会のうちの１つの間に、前記非ライセンスＲＦ帯域の少なくとも一部分についてのクリアチャネル評価（clear channel assessment：ＣＣＡ）を実行させ、
前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信させ、
前記ＵＬ送信機会のうちの前記１つの間に前記非ライセンスＲＦ帯域の前記少なくとも一部分が送信のために利用可能でないことを前記ＣＣＡが示した時には、バックオフ時間周期にわたって待機した後に前記ＵＬ送信機会のうちの第２の間に、前記非ライセンスＲＦ帯域の前記少なくとも一部分についての前記ＣＣＡを反復させ、
前記複数のＵＬ送信機会のうちの前記第２の間に前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信させ、
前記複数のＵＬ送信機会の全てが生じた後に、前記ｅＮｏｄｅＢから、前記ライセンスＲＦ帯域における前記Ｐｃｅｌｌの前記ＰＣＣを介して、前記複数のＵＬ送信機会に対応するハイブリッド自動再送要求（hybrid automatic repeat request：ＨＡＲＱ）の肯定応答（acknowledgement：ＡＣＫ）及び否定応答（negative acknowledgement：ＮＡＣＫ）のメッセージのバンドルセットを含んだ制御メッセージを受信させる、
ように構成されている、処理回路と、
を備える、無線通信デバイス。
【請求項２】
前記処理回路は、前記無線通信デバイスに、前記ＵＬ送信機会のうちの前記１つの間に、試行されるそれぞれの連続するＣＣＡの間の前記バックオフ時間周期を増大させるように更に構成されている、請求項１に記載の無線通信デバイス。
【請求項３】
前記処理回路は、前記無線通信デバイスに、前記ＵＬ送信機会のうちの前記１つの間に、試行されるそれぞれの連続するＣＣＡについての時間周期を最大長ＣＣＡ時間周期しきい値まで増大させるように更に構成されている、請求項１に記載の無線通信デバイス。
【請求項４】
前記処理回路が、前記無線通信デバイスに、
前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの前記少なくとも一部分と共にプリアンブルを前記ｅＮｏｄｅＢに送信させる、ように更に構成されている、請求項１に記載の無線通信デバイス。
【請求項５】
前記無線通信デバイスは、前記プリアンブルを送信して、前記保留中のＵＬデータの前記少なくとも一部分の送信のために前記非ライセンスＲＦ帯域の前記少なくとも一部分を確保する、請求項４に記載の無線通信デバイス。
【請求項６】
前記無線通信デバイスは、前記ｅＮｏｄｅＢに前記プリアンブルを送信して、時間同期及び周波数同期のうちの少なくとも１つを実行するために前記ｅＮｏｄｅＢを支援する、請求項４に記載の無線通信デバイス。
【請求項７】
前記ＤＣＩは、前記ライセンスＲＦ帯域における前記Ｐｃｅｌｌの前記ＰＣＣを介した少なくとも１つの追加のＵＬデータ送信機会を示し、前記処理回路は、前記無線通信デバイスに、
前記少なくとも１つの追加のＵＬ送信機会のうちの１つ以上の間に、前記ライセンスＲＦ帯域における前記Ｐｃｅｌｌの前記ＰＣＣを介して、前記保留中のＵＬデータの少なくとも一部を前記ｅＮｏｄｅＢに送信させるように更に構成されている、請求項１に記載の無線通信デバイス。
【請求項８】
前記処理回路が、前記無線通信デバイスに、
前記非ライセンスＲＦ帯域の前記少なくとも一部分が送信のために利用可能でないことを前記複数のＵＬ送信機会の間に試行された全てのＣＣＡが示した時には、ＵＬ送信の失敗を判定させる、ように更に構成されている、請求項１に記載の無線通信デバイス。
【請求項９】
ライセンス無線周波数（radio frequency：ＲＦ）帯域及び非ライセンスＲＦ帯域における時間分割ベースの通信のための方法であって、前記方法は、
無線通信デバイスにより、
前記ライセンスＲＦ帯域におけるプライマリセル（primary cell：Ｐｃｅｌｌ）のプライマリコンポーネントキャリア（primary component carrier：ＰＣＣ）を使用して、前記無線通信デバイスと無線ネットワークのｅＮｏｄｅＢとの間の接続を確立することと、
前記ライセンスＲＦ帯域における前記Ｐｃｅｌｌの前記ＰＣＣを介して、前記ｅＮｏｄｅＢへの送信のために利用可能な保留中のアップリンク（uplink：ＵＬ）データを示すスケジューリング要求（scheduling request：ＳＲ）メッセージを送信することと、
前記ｅＮｏｄｅＢから、前記Ｐｃｅｌｌの前記ＰＣＣを介して、前記非ライセンスＲＦ帯域のセカンダリセル（secondary cell：Ｓｃｅｌｌ）のセカンダリコンポーネントキャリア（secondary component carrier：ＳＣＣ）を介した複数のＵＬ送信機会を示すダウンリンク制御情報（downlink control information：ＤＣＩ）を受信することであって、前記複数のＵＬ送信機会は、前記非ライセンスＲＦ帯域における連続送信を４ミリ秒以下又は５ミリ秒以下に制限している、ことと、
前記複数のＵＬ送信機会のうちの１つの間に、前記非ライセンスＲＦ帯域の少なくとも一部分についてのクリアチャネル評価（clear channel assessment：ＣＣＡ）を実行することと、
前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信することと、
前記ＵＬ送信機会のうちの前記１つの間に前記非ライセンスＲＦ帯域の前記少なくとも一部分が送信のために利用可能でないことを前記ＣＣＡが示した時には、バックオフ時間周期にわたって待機した後に前記ＵＬ送信機会のうちの第２の間に、前記非ライセンスＲＦ帯域の前記少なくとも一部分についての前記ＣＣＡを反復することと、
前記複数のＵＬ送信機会のうちの前記第２の間に前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信することと、
前記複数のＵＬ送信機会の全てが生じた後に、前記ｅＮｏｄｅＢから、前記ライセンスＲＦ帯域における前記Ｐｃｅｌｌの前記ＰＣＣを介して、前記複数のＵＬ送信機会に対応するハイブリッド自動再送要求（hybrid automatic repeat request：ＨＡＲＱ）の肯定応答（acknowledgement：ＡＣＫ）及び否定応答（negative acknowledgement：ＮＡＣＫ）のメッセージのバンドルセットを含んだ制御メッセージを受信することと、
を含む方法。
【請求項１０】
前記無線通信デバイスは、前記ＵＬ送信機会のうちの前記１つの間に、試行されるそれぞれの連続するＣＣＡの間の前記バックオフ時間周期を増大させる、請求項９に記載の方法。
【請求項１１】
前記無線通信デバイスは、前記ＵＬ送信機会のうちの前記１つの間に、試行されるそれぞれの連続するＣＣＡのための時間周期を最大長ＣＣＡ時間周期しきい値まで増大させる、請求項９に記載の方法。
【請求項１２】
前記ＤＣＩは、前記ライセンスＲＦ帯域における前記Ｐｃｅｌｌの前記ＰＣＣを介した少なくとも１つの追加のＵＬデータ送信機会を更に示し、前記方法は、
前記ライセンスＲＦ帯域における前記Ｐｃｅｌｌの前記ＰＣＣを介して、前記少なくとも１つの追加のＵＬ送信機会のうちの１つ以上の間に、前記保留中のＵＬデータの少なくとも一部を前記ｅＮｏｄｅＢに送信すること、を更に含む、請求項９に記載の方法。
【請求項１３】
命令を含むプログラムであって、前記命令は、無線通信デバイスの１つ以上のプロセッサにより実行された時に、前記無線通信デバイスに、
ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、前記無線通信デバイスと無線ネットワークのｅＮｏｄｅＢとの間の接続を確立させ、
前記ライセンスＲＦ帯域における前記Ｐｃｅｌｌの前記ＰＣＣを介して、前記ｅＮｏｄｅＢへの送信のために利用可能な保留中のアップリンク（uplink：ＵＬ）データを示すスケジューリング要求（scheduling request：ＳＲ）メッセージを送信させ、
前記ｅＮｏｄｅＢから、前記Ｐｃｅｌｌの前記ＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した複数のＵＬ送信機会を示すダウンリンク制御情報（downlink control information：ＤＣＩ）を受信させ、ここで、前記複数のＵＬ送信機会は、前記非ライセンスＲＦ帯域における連続送信を４ミリ秒以下又は５ミリ秒以下に制限しており、
前記複数のＵＬ送信機会のうちの１つの間に、前記非ライセンスＲＦ帯域の少なくとも一部分についてのクリアチャネル評価（clear channel assessment：ＣＣＡ）を実行させ、
前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信させ、
前記ＵＬ送信機会のうちの前記１つの間に前記非ライセンスＲＦ帯域の前記少なくとも一部分が送信のために利用可能でないことを前記ＣＣＡが示した時には、バックオフ時間周期にわたって待機した後に前記ＵＬ送信機会のうちの第２の間に、前記非ライセンスＲＦ帯域の前記少なくとも一部分についての前記ＣＣＡを反復させ、
前記複数のＵＬ送信機会のうちの前記第２の間に前記非ライセンスＲＦ帯域の前記少なくとも一部分が送信のために利用可能であることを前記ＣＣＡが示した時には、前記非ライセンスＲＦ帯域における前記Ｓｃｅｌｌの前記ＳＣＣを介して、前記保留中のＵＬデータの少なくとも一部分を前記ｅＮｏｄｅＢに送信させ、
前記複数のＵＬ送信機会の全てが生じた後に、前記ｅＮｏｄｅＢから、前記ライセンスＲＦ帯域における前記Ｐｃｅｌｌの前記ＰＣＣを介して、前記複数のＵＬ送信機会に対応するハイブリッド自動再送要求（hybrid automatic repeat request：ＨＡＲＱ）の肯定応答（acknowledgement：ＡＣＫ）及び否定応答（negative acknowledgement：ＮＡＣＫ）のメッセージのバンドルセットを含んだ制御メッセージを受信させる、
プログラム。
【発明の詳細な説明】
【技術分野】
【０００１】
説明される実施形態は、概して、無線通信に関し、より詳細には、ライセンス無線周波数帯域と非ライセンス無線周波数帯域との組み合わせを使用して動作するモバイル無線デバイスのための時間分割ロングタームエボリューション（Long Term Evolution；ＬＴＥ）送信のための方法及び装置に関する。
【背景技術】
【０００２】
第３世代パートナーシッププロジェクト（3rd Generation Partnership Project；３ＧＰＰ）ロングタームエボリューション（Long Term Evolution；ＬＴＥ）及びＬＴＥアドバンスト（LTE Advanced；ＬＴＥ−Ａ）通信プロトコルを実装するより新しい無線アクセス技術システムを利用する、第４世代（fourth generation；４Ｇ）セルラーネットワークは、米国内外において急速に開発及び導入されている。ＬＴＥ−Ａ通信プロトコルは、以前のＬＴＥバージョンでは不可能であったデータレートを集約的に実現するマルチキャリアシステムの帯域幅要件を満たすことを提供する複数のコンポーネントキャリア（component carrier；ＣＣ）の集約モードを含む。無線通信デバイスは、単一の無線周波数帯域及び／又は複数の無線周波数帯域の複数のコンポーネントキャリアを使用して無線周波数通信を送信及び／又は受信することができる構成可能な無線周波数（radio frequency；ＲＦ）回路を含むことができる。無線ネットワークが、インターネット上で搬送することができるインターネットトラフィック（例えばビデオトラフィック、ウェブブラウジングトラフィック及び他のデータトラフィック）の指数増加に遭遇すると、より広い帯域幅、より広範囲の無線周波数及びより高いスループットデータレートをサポートすることができる新しい無線通信プロトコルの開発が起こる。コスト及び／又はデータトラフィックによりセルラー無線ネットワーク上で通信するように制限されると仮定すると、ユーザは、可能な場合には「フリー」無線ローカルエリアネットワーク（wireless local area network；ＷＬＡＮ）、サブスクリプションベースのＷＬＡＮ、及び／又はオペレータが提供したＷＬＡＮ上で通信することを優先することができる。セルラー無線通信デバイスは現在、一般的にＷＬＡＮが動作する非ライセンス無線周波数帯域を使用して動作しないが、ＷＬＡＮが現在占めている非ライセンス無線周波数帯域内の無線周波数チャネルを使用することによってセルラー送信のための帯域幅を追加することを計画する、標準化の取り組み及び探求が始まっている。詳細には、非ライセンス無線周波数スペクトラムでは、キャリアアグリゲーションモードで動作する時にセルラー無線通信デバイスによるセカンダリキャリアＬＴＥ送信を提供するために、５ＧＨｚ無線周波数帯域がターゲットになる。ＬＴＥ非ライセンス（ＬＴＥ−Ｕ）モードで動作するセルラー無線通信デバイスを提供するＬＴＥ無線通信プロトコルの一部として使用するために、非ライセンス無線周波数スペクトラムの他の無線周波数帯域もまた考察されている。
【０００３】
そのため、ライセンス無線周波数帯域、非ライセンス無線周波数帯域、及びライセンス無線周波数帯域と非ライセンス無線周波数帯域の双方の組み合わせにおいて動作する時にモバイル無線デバイスとの無線周波数通信を管理するための方法及び装置を提供する解決策が必要とされている。この点に関し、無線周波数帯域だけでなく非ライセンス無線周波数帯域における通信の能力を含めるためにキャリアアグリゲーションをライセンス使用するネットワーク機器及び無線通信デバイスによる時間分割複信（ＴＤＤ）ＬＴＥ通信を管理するが有益となるであろう。
【発明の概要】
【０００４】
ライセンス無線周波数帯域と非ライセンス無線周波数帯域の双方における無線周波数チャネルの組み合わせを使用して動作するモバイル無線デバイスのアップリンク送信及びダウンリンク送信を管理するための装置及び方法について説明する。無線セルラーネットワーク機器、例えば、（拡張したノードＢ又はｅＮｏｄｅＢとも呼ばれる）基地局は、単独で又は追加の無線ネットワーク機器と組み合わせて、複数の無線周波数」キャリアを並列に使用して送信及び／又は受信するためにキャリアアグリゲーションを採用する１つ以上の無線通信デバイスによる、セカンダリセルに関連付けられたセカンダリコンポーネントキャリアの使用を管理することができる。プライマリセルのためのプライマリコンポーネントキャリアがライセンスセルラー無線周波数帯域において動作することができる一方で、セカンダリコンポーネントキャリアのうちの１つ以上は、非ライセンス無線周波数帯域、例えば５ＧＨｚの産業医療科学用（Industrial, Scientific, and Medical；ＩＳＭ）帯域における無線周波数を中心とすることができる。ネットワーク機器は、セルラー無線ネットワークと無線通信デバイスとの間でのデータ通信を、プライマリコンポーネントキャリアのキャリアアグリゲーションを使用して、例えば、ＬＴＥ／ＬＴＥ−Ａ無線通信プロトコルで特定されるようにスケジュールし、１つ以上のセカンダリコンポーネントキャリア上で非ライセンス無線周波数帯域内の追加の帯域幅を用いて当該データ通信を補う。本明細書では、ライセンス無線周波数帯域と非ライセンス無線周波数帯域との組み合わせにおけるコンポーネントキャリアを用いたキャリアアグリゲーションを使用して通信するように構成された無線通信デバイスを、ＬＴＥ−非ライセンス（ＬＴＥ−Ｕ）対応無線通信デバイスと呼ぶことがある。プライマリコンポーネントキャリア及びセカンダリコンポーネントキャリアは、プライマリセル及びセカンダリセルにそれぞれ属しており、共通のｅＮｏｄｅＢ（基地局）を通じて管理される。非ライセンス無線周波数帯域は、同一の非ライセンス無線周波数帯域において動作する他の無線デバイス、例えば、Ｗｉ−Ｆｉ無線通信プロトコルを使用する無線ローカルエリアネットワーク（wireless local area network：ＷＬＡＮ）装置と共有される。
【０００５】
ネットワーク装置（例えば、ｅＮｏｄｅＢ）と無線通信デバイスの双方は、例えば少なくとも２０マイクロ秒又は３４マイクロ秒の時間周期にわたって、非ライセンス無線周波数帯域の一部分を監視して、セカンダリコンポーネントキャリアを使用して送信する前に、無線周波数チャネルはが「クリア」であるか、又は他の無線機器による「使用中でない」を判定するように構成されている。ネットワーク装置と無線通信デバイスの双方は、セカンダリコンポーネントキャリアが通信のために「クリア」であると判定した後、かつ、セカンダリコンポーネントキャリアを使用するデータ及び／又は制御信号の送信の前に、信号、例えば「プリアンブル」を生成する。ネットワーク機器及び無線通信デバイスは、非ライセンス無線周波数帯域におけるセカンダリコンポーネントキャリア上での次の送信を示すプリアンブル信号を使用して、セカンダリコンポーネントキャリアを「確保」することができる。ネットワーク機器及び無線通信デバイスは、それぞれのクリアチャネル評価の後、少なくともある時間周期にわたって、特定のパワーレベル以上の、例えば少なくとも２０又は３４マイクロ秒にわたって−７２ｄＢ又は−８３ｄＢ以上のエネルギーを検出した時にバックオフ機構を使用して、非ライセンス無線周波数帯域へのフェアなアクセスを、当該帯域を使用しようとする任意の無線通信デバイスに保証することができる。いくつかの実施形態では、バックオフ機構は、それぞれのクリアチャネル評価の後に指数関数的に増大するバックオフ時間周期を含む。ネットワーク機器は、プライマリコンポーネントキャリア上のシグナリングチャネル、例えば、物理ダウンリンク制御チャネル（physical downlink control channel：ＰＤＣＣＨ）を使用して、プライマリセル（即ち、プライマリコンポーネントキャリア上）とセカンダリセル（即ち、セカンダリコンポーネントキャリア上）の双方における通信のための許可割り当てをスケジュールすることができる。ダウンリンク及びアップリンクの許可割り当ては、ライセンス無線周波数帯域におけるプライマリコンポーネントキャリアを使用して通信され、それにより、非ライセンス無線周波数帯域におけるこれらの制御信号に対する干渉が回避される。ネットワーク機器は、複数のアップリンク送信機会がプライマリセルのプライマリコンポーネントキャリア上で通信される「拡張した」許可機構を使用する、無線通信デバイスを構成する。複数のアップリンク送信機会は、無線通信デバイスに、アップリンク送信を完了するいくつかの異なるリソーススロットを可能し、それにより、非ライセンス無線周波数帯域にアクセスする反復試行が可能にある。第１のリソーススロットについての最初のクリアチャネル評価が、非ライセンス無線周波数帯域が占められていることを示した時には、無線通信デバイスは、拡張した許可機構により提供される追加のリソーススロットを使用して、非ライセンス無線周波数帯域の可用性を再評価することができる。無線通信デバイスは、無線通信デバイスが受信したダウンリンクデータ送信に応じて、プライマリコンポーネントキャリア上の信号チャネル、例えば物理アップリンク制御チャネル（physical uplink control channel：ＰＵＣＣＨ）を使用して、��ットワーク機器に肯定応答（ＡＣＫ）制御メッセージ及び否定ＡＣＫ（ＮＡＣＫ）制御メッセージを通信する。ネットワーク機器は、プライマリセルのプライマリコンポーネントキャリア上の物理ＨＡＲＱインジケータチャネル（physical HARQ indicator channel：ＰＨＩＣＨ）を使用して、プライマリセルのプライマリコンポーネントキャリア及び／又は１つ以上のセカンダリセルのセカンダリコンポーネントキャリア上で受信されるアップリンク送信のために、無線通信デバイスにハイブリッド自動再送要求（hybrid automatic repeat request：ＨＡＲＱ）ＡＣＫ及びＮＡＣＫメッセージを送信することができる。したがって、プライマリコンポーネントキャリアとセカンダリコンポーネントキャリアのためおダウンリンク方向とアップリンク方向の双方での全てのＡＣＫ／ＮＡＣＫは、プライマリコンポーネントキャリア上で送信される。いくつかの実施形態では、ネットワーク機器及び／又は無線通信デバイスは、１つ以上の管区における規制的制約に準拠するたように、非ライセンス無線周波数帯域における送信を、最大送信時間周期に、例えば、最長で４ミリ秒又は５ミリ秒の連続時間周期に、あるいは別の固定最大時間周期に制限することができる。
【０００６】
この説明される実施形態の概要は、本明細書で説明する主題のいくつかの態様の基本的理解を提供するように、いくつかの例示的実施形態を要約することを目的として提供されるものにすぎない。したがって、上述した特徴が例にすぎず、いかなる方法でも本明細書で説明する主題の範囲又は趣旨を狭めるように解釈すべきではないことが了解されよう。本明細書に記載する主題の他の特徴、態様及び利点は、後続の発明を実施するための形態、図面及び特許請求の範囲から明らかになるであろう。
【図面の簡単な説明】
【０００７】
説明される実施形態、及びその利点は、添付図面と併せて以下の説明を参照することで、最も良好に理解することができる。これらの図面は、必ずしも一定の縮尺で描かれておらず、本開示の時点で当業者によって実施することが可能な、それらに対する予測可能な形態及び詳細の変更を、決して限定若しくは排除するものではない。
【０００８】
【図１】いくつかの実施形態に係る、複数のユーザ機器（user equipment；ＵＥ）デバイスをサポートするロングタームエボリューション（Long Term Evolution；ＬＴＥ）ネットワークセル及びＬＴＥアドバンスト（LTE Advanced；ＬＴＥ−Ａ）ネットワークセルを含む無線通信ネットワークを示す図である。
【０００９】
【図２Ａ】本開示の種々の実装形態に係る、プライマリキャリアセル及び１つ以上のセカンダリキャリアセルと通信するＬＴＥユーザ機器（ＵＥ）及びＬＴＥ−Ａユーザ機器（ＵＥ）を示す無線通信ネットワーク図である。
【図２Ｂ】本開示の種々の実装形態に係る、プライマリキャリアセル及び１つ以上のセカンダリキャリアセルと通信するＬＴＥユーザ機器（ＵＥ）及びＬＴＥ−Ａユーザ機器（ＵＥ）を示す無線通信ネットワーク図である。
【００１０】
【図２Ｃ】いくつかの実施形態に係る、無線周波数共存干渉を含む代表的な無線通信システムを示す図である。
【図２Ｄ】いくつかの実施形態に係る、無線周波数共存干渉を含む代表的な無線通信システムを示す図である。
【００１１】
【図３Ａ】いくつかの実施形態に係る、帯域内コンポーネントキャリア（component carrier；ＣＣ）の周波数リソース図を示すキャリアアグリゲーションの表現である。
【図３Ｂ】いくつかの実施形態に係る、別の帯域内コンポーネントキャリア（ＣＣ）の周波数リソース図を示すキャリアアグリゲーションの表現である。
【図３Ｃ】いくつかの実施形態に係る、帯域間ＣＣの周波数リソース図を示すキャリアアグリゲーションの表現である。
【００１２】
【図３Ｄ】いくつかの実施形態に係る、無線通信デバイスにより非ライセンス無線周波数帯域において使用するための並列無線周波数チャネルの代表的なセットを示す図である。
【００１３】
【図３Ｅ】いくつかの実施形態に係る、ＬＴＥ−Ｕ無線通信システムとＷｉ−Ｆｉ無線通信システムとの重複している周波数チャネルを示す図である。
【図３Ｆ】いくつかの実施形態に係る、ＬＴＥ−Ｕ無線通信システムとＷｉ−Ｆｉ無線通信システムとの重複している周波数チャネルを示す図である。
【００１４】
【図３Ｇ】いくつかの実施形態に係る、ＬＴＥ  ＴＤＤ無線通信ネットワークのためのアップリンクサブフレーム、ダウンリンクサブフレーム及び特別なサブフレームの関連シーケンスを含むＬＴＥ  ＴＤＤ  ＵＬ／ＤＬサブフレーム構成のセットを示す図である。
【００１５】
【図３Ｈ】いくつかの実施形態に係る、特定のＬＴＥ  ＴＤＤ  ＵＬ／ＤＬサブフレーム構成についての詳細を示す図である。
【００１６】
【図３Ｉ】いくつかの実施形態に係る、ＬＴＥ  ＴＤＤ通信のための代表的なＤＬ／ＵＬコンポーネントキャリアの割り当てを示す図である。
【図３Ｊ】いくつかの実施形態に係る、ＬＴＥ  ＴＤＤ通信のための代表的なＤＬ／ＵＬコンポーネントキャリアの割り当てを示す図である。
【００１７】
【図３Ｋ】いくつかの実施形態に係る、代表的なＴＤＤ−ＬＴＥフレーム構造、及び無線通信デバイスと無線ネットワークの無線アクセスネットワーク部分との間でのＡＣＫ／ＮＡＣＫを用いたＤＬ通信についての図である。
【００１８】
【図３Ｌ】いくつかの実施形態に係る、代表的なＴＤＤ−ＬＴＥフレーム構造、及び無線通信デバイスと無線ネットワークの無線アクセスネットワーク部分との間でのＡＣＫ／ＮＡＣＫを用いたＵＬ通信についての図である。
【００１９】
【図４Ａ】いくつかの実施形態に係る、無線通信デバイスのブロック図である。
【図４Ｂ】いくつかの実施形態に係る、無線通信デバイスのブロック図である。
【００２０】
【図５】いくつかの実施形態に係る、無線通信デバイスとＬＴＥネットワークにおけるキャリアアグリゲーションのためのネットワークコンポーネントキャリアのセットとの間でのデータ及びシグナリング通信の図である。
【００２１】
【図６】いくつかの実施形態に係る、ライセンス無線周波数（radio frequency；ＲＦ）帯域及び非ライセンスＲＦ帯域における無線通信デバイスによる時間分割ベースの通信のための方法を示すフローチャートである。
【００２２】
【図７】いくつかの実施形態に係る、ライセンス無線周波数（radio frequency；ＲＦ）帯域及び非ライセンスＲＦ帯域における無線ネットワークのｅＮｏｄｅＢによる時間分割ベースの通信のための方法を示すフローチャートである。
【００２３】
【図８】いくつかの実施形態に係る、ライセンス無線周波数（radio frequency；ＲＦ）帯域及び非ライセンスＲＦ帯域における無線通信デバイスによる時間分割ベースの通信のための別の方法を示すフローチャートである。
【００２４】
【図９】いくつかの実施形態に係る、ライセンス無線周波数（radio frequency；ＲＦ）帯域及び非ライセンスＲＦ帯域における無線ネットワークのｅＮｏｄｅＢによる時間分割ベースの通信のための別の方法を示すフローチャートである。
【００２５】
【図１０】いくつかの実施形態に係る、本明細書で説明する種々の技術の少なくとも一部分を実装するために使用することができる例示的なコンピューティングデバイスの詳細な図である。
【００２６】
【図１１】いくつかの例示的実施形態に係る、ＬＴＥ−Ｕ対応無線ネットワーク装置上に実装することができる装置のブロック図である。
【発明を実施するための形態】
【００２７】
本開示に係るシステム、方法、装置及びコンピュータプログラム製品の代表的な適用例について、このセクションで説明する。これらの例は、更なる前後関係を提供し、説明する実施形態の理解を助けることのみを目的として提供される。それゆえ、説明される実施形態は、これらの具体的な詳細の一部又は全てを伴わずに実践することができる点が、当業者には明らかとなるであろう。他の実例では、説明される実施形態を不必要に不明瞭化することを回避するために、周知のプロセスステップは、詳細には説明されていない。他の適用例が可能であり、それゆえ以下の実施例は、限定的なものとして解釈されるべきではない。
【００２８】
以下の「発明を実施するための形態」では、説明の一部を成し、記載された実施形態に係る具体的な実施形態が例示として示される添付の図面が参照される。これらの実施形態は、説明される実施形態を当業者が実践し得る程度に詳細に説明されるが、これらの実施例は、制限を加えるものではなく、したがって、他の実施形態を使用してもよく、説明する実施形態の趣旨及び範囲から逸脱することなく、変更を行い得ることを理解されたい。
【００２９】
本明細書で説明する種々の実施形態によれば、用語「無線通信デバイス」、「無線デバイス」、「モバイルデバイス」、「移動局」、及び「ユーザ機器」（ＵＥ）は、本開示の種々の実施形態と関連付けられる手順を実行することが可能であり得る１つ以上の通常の消費者電子デバイスについて説明するために、本明細書では互換的に使用される。種々の実装形態によれば、これらの消費者電子デバイスのうちの任意の１つは、セルラー電話又はスマートフォン、タブレットコンピュータ、ラップトップコンピュータ、ノートブックコンピュータ、パーソナルコンピュータ、ネットブックコンピュータ、メディアプレーヤデバイス、電子ブックデバイス、ＭｉＦｉ（登録商標）デバイス、ウェアラブルコンピューティングデバイス、並びに、無線ワイドエリアネットワーク（ＷＷＡＮ）、無線メトロエリアネットワーク（ＷＭＡＮ）、無線ローカルエリアネットワーク（ＷＬＡＮ）、無線パーソナルエリアネットワーク（ＷＰＡＮ）、近距離無線通信（ＮＦＣ）、セルラー無線ネットワーク、第４世代（４Ｇ）ＬＴＥ、ＬＴＥアドバンスド（ＬＴＥ−Ａ）、及び／あるいは、５Ｇ又は他の現在の若しくは将来開発される進化型セルラー無線ネットワーク上の通信に使用される１つ以上の無線通信プロトコルを介した通信を含むことができる無線通信機能を有する任意の他のタイプの電子コンピューティングデバイスに関し得る。
【００３０】
いくつかの実施形態では、無線通信デバイスはまた、無線通信システムの一部として動作することができ、無線通信システムは、例えばＷＬＡＮの一部としてアクセスポイント（ＡＰ）に相互接続された、あるいは例えばＷＰＡＮ及び／又は「アドホック」無線ネットワークの一部として互いに相互接続された、ステーション、クライアント無線デバイス、又はクライアント無線通信デバイスと称することもできるクライアントデバイスのセットを含むことができる。いくつかの実施形態では、クライアントデバイスは、例えば、無線ローカルエリアネットワーク通信プロトコルに従ったＷＬＡＮ技術を介して通信することが可能な任意の無線通信デバイスであり得る。いくつかの実施形態では、ＷＬＡＮ技術は、Ｗｉ−Ｆｉ（登録商標）（又はより一般的にはＷＬＡＮ）無線通信サブシステム又は無線機を含むことができ、Ｗｉ−Ｆｉ無線機は、ＩＥＥＥ  ８０２．１１ａ、ＩＥＥＥ  ８０２．１１ｂ、ＩＥＥＥ  ８０２．１１ｇ、ＩＥＥＥ  ８０２．１１−２００７、ＩＥＥＥ  ８０２．１１ｎ、ＩＥＥＥ  ８０２．１１−２０１２、ＩＥＥＥ  ８０２．１１ａｃ、又は他の現在の若しくは将来開発されるＩＥＥＥ  ８０２．１１技術のうちの１つ以上などの、米国電気電子学会（ＩＥＥＥ）８０２．１１技術を実装することができる。
【００３１】
種々の実施形態では、これらの機能によって、それぞれのＵＥが、キャリアアグリゲーションをサポートする任意のタイプのＬＴＥベースの無線アクセス技術（radio access technology；ＲＡＴ）を採用することができる種々の４Ｇネットワークセル内で通信することが可能になり得る。いくつかの実施形態では、それぞれのＵＥは、ＬＴＥベースのＲＡＴを使用して、及び／又は無線ローカルエリアネットワーク（wireless local area network；ＷＬＡＮ）についての無線通信プロトコルに従って通信し得る。いくつかの実施形態では、ＵＥは、ライセンス無線周波数帯域において、及び／又はライセンス無線周波数帯域と非ライセンス無線周波数帯域との組み合わせにおいて、ＬＴＥ無線通信プロトコルを使用して動作し得る。いくつかの実施形態では、ＵＥは、ＬＴＥベースの無線ネットワークのセルラー接続とＷＬＡＮを介した接続との間のデータ通信の全て又は一部分をオフロードし得る。いくつかの実施形態では、ＵＥは、キャリアアグリゲーションスキームのコンポーネントキャリア間のデータの一部分をオフロードし得る。いくつかの実施形態では、コンポーネントキャリアは、ライセンス無線周波数帯域と非ライセンス無線周波数帯域とを組み合わせることができる。いくつかの実施形態では、無線ネットワークプロバイダは、異なる無線通信プロトコルに従って動作するいくつかを含む異なるＲＡＴを使用するネットワーク間でのデータ通信のオフロードを管理することができる。いくつかの実施形態では、ＵＥは、例えば、ＬＴＥベースの無線ネットワークとＷＬＡＮの間を再選択することにより、接続を転送することができる。
【００３２】
いくつかの実施形態では、ＵＥは、ＬＴＥ−Ａ無線通信プロトコルにより指定されるようなキャリアアグリゲーションに従った複数のコンポーネントキャリアを使用して通信することができる。３ＧＰＰ  ＬＴＥ無線通信プロトコル及び／又はＬＴＥ−Ａ無線通信プロトコルに従って通信する無線通信デバイスは、キャリアアグリゲーションを使用して、例えば、無線ネットワークの複数のセルからダウンリンク方向のスループットを増大させることができる。無線ネットワークの第１のセル（プライマリセル）に関連付けることができるプライマリコンポーネントキャリアは、無線ネットワークから無線通信デバイスへのダウンリンク通信と無線通信デバイスから無線ネットワークへのアップリンク通信との組み合わせのために使用することができる。いくつかの実施形態では、プライマリコンポーネントキャリア上での通信は、時間分割複信（ＴＤＤ）ＬＴＥ−Ａ無線通信プロトコルに従うことができる。また、いくつかの実施形態では、無線ネットワークの第２のセル（セカンダリセル）に関連付けることができるセカンダリコンポーネントキャリアは、ダウンリンク通信、又はダウンリンク通信とアップリンク通信の双方の組み合わせのために使用することができる。複数のコンポーネントキャリアを使用するキャリアアグリゲーションを通じて達成可能なアグリゲーションデータレートは、単一のコンポーネントキャリアのみを使用することにより達成可能なデータレートを上回ることができる。ただし、いくつかの実施形態では、アップリンク通信は、プライマリコンポーネントキャリアのみを使用することに制約されることがある一方で、他の実施形態では、セカンダリコンポーネントキャリアは、ダウンリンク通信のためだけでなく、アップリンク通信のためにも使用することができる。ＬＴＥ／ＬＴＥ−Ａ無線通信プロトコルに拡張により、本明細書で更に説明するように、ライセンス無線周波数帯域のプライマリコンポーネントキャリアと非ライセンス無線周波数帯域における１つ以上のセカンダリコンポーネントキャリアとの組み合わせの使用を実現することができる。
【００３３】
キャリアアグリゲーションにおいて使用されるそれぞれのコンポーネントキャリアは、共通の無線周波数帯域内の、又は２つの別個の無線周波数帯域にわたる異なる無線周波数値を中心とすることができる。別個の無線周波数帯域は、ライセンス無線周波数帯域、又はライセンス無線周波数帯域と非ライセンス無線周波数帯域の双方の組み合わせを含むことができる。いくつかの実施形態では、キャリアアグリゲーションのために使用されるプライマリコンポーネントキャリアを介した通信は、ライセンス無線周波数帯域内とすることができ、ＵＥによるキャリアアグリゲーションのために使用されるセカンダリコンポーネントキャリアを介した通信は、非ライセンス無線周波数帯域内とすることができる。無線ネットワークプロバイダは、無線ネットワーク機器を介して、非ライセンス無線周波数帯域を共有する他の無線通信デバイスとの共存干渉を緩和するようにして、非ライセンス無線周波数帯域におけるキャリアアグリゲーションのためのセカンダリコンポーネントキャリアの使用を管理することができる。無線ネットワークプロバイダは、ＵＥにより、及び／又は無線周波数状態、信号品質、データ通信性能、リンクの安定性など監視するアクセスネットワーク機器、例えば、ｅＮｏｄｅＢにより収集される１つ以上の性能指標を使用して、並列無線ネットワーク間でデータ通信をオフロードするかどうか、いつオフロードするか、及び／又はどのようにオフロードするかを決定すること、キャリアアグリゲーションを介した複数のコンポーネントキャリアを使用するデータ通信を共有すること、並びに／あるいは、ＷＬＡＮを含む異なるＲＡＴを使用する異なる無線ネットワークから再選択することができる。
【００３４】
スケジュールされたダウンリンク送信及びアップリンク送信機会（許可）を示すために、ダウンリンク制御チャネル、例えば、物理ダウンリンク制御チャネル（physical downlink control channel；ＰＤＣＣＨ）を使用して、アクセスネットワーク機器、ｅＮｏｄｅＢからＵＥに情報に通信することができる。ＰＤＣＣＨは、プライマリセル（primary cell：Ｐｃｅｌｌ）のプライマリコンポーネントキャリア（primary component carrier；ＰＣＣ）を使用して通信することができ、ＰＣＣ及び１つ以上のセカンダリセル（secondary cell：Ｓｃｅｌｌ）のセカンダリコンポーネントキャリア（secondary component carrier；ＳＣＣ）の双方にダウンリンクリソース及びアップリンクリソースを割り当てることができる。いくつかの実施形態では、ＳＣＣリソース情報を搬送するためにＰＣＣの使用することを「クロススケジューリング」と呼ぶことができる。ＰｃｅｌｌのＰＣＣを使用して、ＵＥからｅＮｏｄｅＢにシグナリングメッセージを通信するために、アップリンク制御チャネル、例えば、物理アップリンク制御チャネル（physical uplink control channel；ＰＵＣＣＨ）を使用することができる。いくつかの実施形態では、ＰＣＣは、ライセンス無線周波数スペクトラム内とすることができる一方で、１つ以上のＳＣＣは、非ライセンス無線周波数スペクトラム内とすることができる。非ライセンススペクトルにおいてＳＣＣ上で通信するようにスケジュールすると、ライセンススペクトルにおけるＰＣＣによる搬送を継続することができる。非ライセンススペクトルは、異なる無線通信プロトコルに従って動作する複数の無線通信デバイスにより共有され得るので、キャリアアグリゲーションモードにおけるＳＣＣ通信のために非ライセンススペクトルを使用する無線アクセス機器、例えば、１つ以上のｅＮｏｄｅＢと、非ライセンススペクトルにおいてＳＣＣを同じく使用する無線通信デバイス、例えば、１つ以上のＵＥとは共に、例えば、非ライセンススペクトルを共有する複数の異なるワイヤレス通信デバイスに非ライセンススペクトルへのアクセスについての公平性を提供するために、非ライセンススペクトルを共有する他の無線通信デバイスと共存するようにそれらの通信を管理することができる。本明細書で更に説明するように、ＴＤＤ  ＬＴＥ通信が、アップリンク送信及び／ダウンリンク送信のために非ライセンススペクトルを使用し、非ライセンススペクトルを使用する他の無線通信デバイスと共存することを可能にする方法及び装置。いくつかの実施形態では、他の無線通信デバイスは、Ｗｉ−Ｆｉ通信プロトコルなどの無線ローカルエリアネットワーク（wireless local area network；ＷＬＡＮ）通信プロトコルに従って、及び／又はＬＴＥ−非ライセンス（LTE-Unlicensed；ＬＴＥ−Ｕ）無線通信プロトコルを使用して、非ライセンススペクトルで動作する。
【００３５】
いくつかの実施形態では、ＵＥ、及び無線アクセスネットワーク機器、例えば１つ以上のｅＮｏｄｅＢは、Ｐｃｅｌｌに関連付けられたＰＣＣ及びＳｃｅｌｌに関連付けられた少なくとも１つのＳＣＣを使用して複数のコンポーネントキャリアのキャリアアグリゲーションを提供するＴＤＤ  ＬＴＥ無線通信プロトコルに従って動作することができ、ＰＣＣは、（例えば、３ＧＰＰ  ＬＴＥ／ＬＴＥ−Ａ無線通信プロトコルに従って）ライセンス無線周波数帯域において動作し、ＳＣＣは、（例えば、３ＧＰＰ  ＬＴＥ−Ｕ無線通信プロトコルに従って）非ライセンス無線周波数帯域において動作する。無線アクセスネットワーク機器及びＵＥは共に、無線アクセスネットワーク機器及びＵＥが、例えば１つ以上のＳＣＣに関連付けられた非ライセンス無線周波数帯域の少なくとも一部分を「リッスン」して、別の無線アクセスネットワーク機器及び／又は別のＵＥが非ライセンス無線周波数帯域の一部分を占めているかどうかを判定することができる「リッスンビフォアトーク」機構をサポートすることができる。（いくつかの実施形態では、リッスンすることを、キャリア検知及び／又はメディア検知と呼ぶこともできる。）無線アクセスネットワーク機器及び／又はＵＥは、非ライセンス無線周波数帯域を使用して送信する前に、少なくとも固定時間周期、例えば、少なくとも２０マイクロ秒又は３４マイクロ秒にわたってリッスンすることができる。無線アクセスネットワーク機器及び／又はＵＥは、少なくとも固定時間周期にわたって、例えば−７２ｄＢ又は−８３ｄＢ又はそれよりも高いパワーレベルに等しい又はそれを超える信号エネルギーをリッスンして、非ライセンス無線周波数帯域の一部分が占められているかどうかを判定することができる。いくつかの実施形態では、無線アクセスネットワーク機器及び／又はＵＥによる送信は、ライセンス無線周波数帯域における通信に「フレーム整合」することができ、例えば、「リッスン」期間は、サブフレームの第１のタイムスロットなどの時間周期の開始時に生ずることがある。いくつかの実施形態では、無線アクセスネットワーク機器及び／又はＵＥは、非ライセンス無線周波数帯域におけるデータ送信の前に「プリアンブル」信号を生成し、それを送信することができ、「プリアンブル」信号は、非ライセンス無線周波数帯域を共有して「リッスン」してから通信する他の無線通信デバイスに、無線ネットワーク機器及び／又はＵＥが非ライセンス無線周波数帯域において送信する意図があるという指示を提供する。いくつかの実施形態では、無線アクセスネットワーク機器及びＵＥは、例えば、非ライセンス無線周波数帯域が占められていると判定した時に、指数関数的に増大するバックオフ時間周期により送信するという次の試行を遅延させるバックオフ機構をサポートすることができる。バックオフ機構は、複数の無線通信デバイスに対して、非ライセンス無線周波数帯域への「フェアな」アクセスを許可することができる。
【００３６】
ダウンリンク（ＤＬ）リソース許可割り当て及びアップリンク（ＵＬ）許可割り当てをＵＥに通信するために、無線アクセスネットワーク機器は、Ｐｃｅｌｌのプライマリコンポーネントキャリア上のＰＤＣＣＨを使用して、ライセンス無線周波数帯域を使用するＰＣＣ及び非ライセンス無線周波数帯域を使用する１つ以上のＳＣＣ上でのＵＥへの（ＤＬ方向の）送信をスケジュールすることができる。無線ネットワーク機器はまた、ＰｃｅｌｌのＰＣＣ上のＰＤＣＣＨを使用して、ライセンス無線周波数帯域を使用するＰＣＣ又は非ライセンス無線周波数帯域を使用する１つ以上のＳＣＣ上でのＵＥによるＵＬ送信のためのリソースの割り当てを許可することができる。無線アクセスネットワーク機器は、無線アクセスネットワーク機器自体のために、及び、ライセンス無線周波数帯域の制御チャネルを使用してＬＴＥ−Ｕ無線通信プロトコルに従って動作する複数のＵＥのために、非ライセンス無線周波数帯域における送信をスケジュールすることができる。したがって、非ライセンス無線周波数帯域を共有する複数の無線通信デバイスから干渉を受けることがある、非ライセンス無線周波数帯域についての制御信号情報は、無線アクセスネットワーク機器とＵＥとの間で、「ロバスト」で「スケジュールされた」ライセンス無線周波数帯域において通信することができ、それにより、干渉が最小限に抑えられる。いくつかの実施形態では、無線アクセスネットワーク機器は、ＰｃｅｌｌのＰＣＣ上で通信された「拡張した」許可機構を使用して、複数のＵＬ送信機会を有する特定のＵＥをスケジュールすることができる。ＵＥの複数のＵＬ送信機会は、ＵＥが無線アクセスネットワーク機器との通信を試行することができる複数の別個の時間周期を提供することができ、それにより、ＵＥが、正常に通信する複数のチャンスを可能にすると同時に、「リッスンビフォアトーク」機構を使用して、干渉を回避し、非ライセンス無線周波数帯域を共有する他の無線通信デバイスにフェアなアクセスを提供する。いくつかの実施形態では、ＵＥは、ＵＬ信号チャネル、例えば、ＰｃｅｌｌのＰＣＣを使用するＰＵＣＣＨ上でのＳｃｅｌｌ  ＤＬデータ送信について、肯定応答（acknowledgement；ＡＣＫ）メッセージ及び否定応答（negative ACK；ＮＡＣＫ）メッセージを通信する。いくつかの実施形態では、無線アクセスネットワーク機器は、ＵＥからのＰｃｅｌｌ又はＳｃｅｌｌを使用するＵＬデータ送信に応じて、ＰｃｅｌｌのＰＣＣを使用するＤＬシグナリングチャネル、例えば、物理ＨＡＲＱインジケータチャネル（physical HARQ indicator channel；ＰＨＩＣＨ）上で、ハイブリッド自動再送要求（hybrid automatic repeat request；ＨＡＲＱ）ＡＣＫメッセージ及びＮＡＣＫメッセージを通信する。いくつかの実施形態では、無線アクセスネットワーク機器及び／又はＵＥは、例えば、非ライセンス無線周波数帯域における通信に関する地方条例に準拠するように、固定時間周期以下にわたって、例えば、最長で４ミリ秒（４つの連続するサブフレーム対応する）又は５ミリ秒（５つの連続するサブフレームに対応する）にわたって、非ライセンス無線周波数スペクトラムで連続的に送信することができる。
【００３７】
更に、本明細書で説明されているＵＥは、追加の第３世代（third generation：３Ｇ）及び／又は第２世代（second generation：２Ｇ）ＲＡＴを介しても通信し得るマルチモード無線通信デバイスとして構成され得ることを理解されたい。これらのシナリオでは、マルチモードＵＥは、より低いデータレートのスループットを提供する旧式の３Ｇネットワークに比べて、より高速なデータレートのスループットを提供するＬＴＥネットワーク又はＬＴＥ−Ａネットワークへの接続を「優先」するように構成することができる。例えば、いくつかの実装形態では、４Ｇ準拠ＵＥは、ＬＴＥ及びＬＴＥ−Ａネットワークが使用できない時に、旧式の３Ｇネットワーク、例えば、進化型高速パケットアクセス（ＨＳＰＡ＋）ネットワーク又はコード分割多重アクセス（ＣＤＭＡ）２０００  Ｅｖｏｌｕｔｉｏｎ−Ｄａｔａ  Ｏｎｌｙ（ＥＶ−ＤＯ）ネットワークへとフォールバックするように構成されてもよい。
【００３８】
図１は、無線通信システム１００を示しており、無線通信システム１００は、３ＧＰＰのエボルブドユニバーサル地上無線アクセス（Evolved Universal Terrestrial Radio Access；Ｅ−ＵＴＲＡ）のエアインタフェースに準拠することができ、ＬＴＥ−Ｘ２インタフェースを介して互いに通信することができる（例えば無線塔として示される）エンハンスドＮｏｄｅＢ（enhanced NodeB；ｅＮｏｄｅＢ）基地局をそれぞれが有するＬＴＥネットワークセル１０２及び２つのＬＴＥ−Ａネットワークセル１０４ａ〜ｂを含むことができるが、含むとは限らない。更に、Ｅ−ＵＴＲＡ準拠の通信システム１００は、エボルブドパケットコア（evolved packet core；ＥＰＣ）の一部として、ＬＴＥネットワークセル１０２のｅＮｏｄｅ及び／又はＬＴＥ−Ａセル１０４ａ〜ｂのｅＮｏｄｅＢのいずれかと、ＬＴＥ−Ｓ１インタフェースを介して通信することができる、任意の数のモビリティ管理エンティティ（mobility management entity；ＭＭＥ）１０８ａ〜ｃ、サービングゲートウェイ（Ｓ−ＧＷ）１０８ａ〜ｃ、ＰＤＮゲートウェイ（Ｐ−ＧＷ）１１０などを含むことができる。更に、Ｅ−ＵＴＲＡ通信システム１００は、任意の特定の時刻に、ＬＴＥネットワークセル１０２及び／又はＬＴＥ−Ａネットワークセル１０４ａ〜ｂのｅＮｏｄｅＢのうちの１つ以上を介して、無線通信サービスを受信することができる任意の数のＵＥ１０６を含むことができる。例として、ＵＥ１０６は、１つ以上のＬＴＥ−Ａネットワークセル１０４ａ〜ｂの範囲内に配置され得る。図１には明示的に示されていないが、ＬＴＥネットワークセル１０２とＬＴＥ−Ａネットワークセル１０４ａ〜ｂとは、それぞれのセルがカバーする地理的エリアにおいて、少なくとも部分的に重なることがある。
【００３９】
種々の実施形態では、キャリアアグリゲーションをサポートすることができるＭＭＥ１０８ａ〜ｃのうちのいずれか及び／又はＬＴＥ−Ａネットワークセル１０４ａ〜ｂのｅＮｏｄｅＢ基地局のうちのいずれかは、ＤＬにおいて、ＵＥ１０６のいずれかに制御プレーンデータを通信するように構成することができる。更に、ＵＥ１０６うちのいずれかは、ＵＬにおいて、ＬＴＥ−Ａネットワークセル１０４ａ〜ｂのいずれかを介して、制御プレーンデータを通信することが可能であり得る。この点で、ＭＭＥ１０８ａ〜ｂは、ネットワークの無線アクセスネットワーク（radio access network；ＲＡＮ）の部分上で、ｅＮｏｄｅＢを介して、ＥＰＣとＵＥ１０６との間の非アクセス階層（Non-Access Stratum；ＮＡＳ）制御プレーンシグナリングを実行できることを理解されたい。いくつかのシナリオでは、ＮＡＳシグナリングは、対応するページングメッセージを生成し、種々の通信セキュリティの機能を実施することにより、アイドルモードから接続モード（及びその逆）へのユーザ機器（user equipment；ＵＥ）の遷移に影響を与える、ＵＥに対する無線ベアラ接続を確立及び解放するための手順を含み得るが、含むとは限らない。
【００４０】
更に、ＬＴＥ−Ａセル１０４ａ〜ｂのｅＮｏｄｅＢ基地局は、システム情報のブロードキャスト、ＭＭＥから発したページングメッセージの送信、ＵＥについてのＲＲＣパラメータ構成、ネットワークのセル選択及び再選択手順、ＵＥについての測定及び報告構成、無線リンク信号品質の監視及び報告、並びに、キャリアアグリゲーションに使用されるコンポーネントキャリアを含む異なる無線ベアラの使用の間の、追加、削除及び遷移を含む種々のＵＥと無線ネットワークとの間の無線接続の管理などを含むが、含むとは限らない、種々の無線リソース制御（radio resource control；ＲＲＣ）制御プレーンシグナリング手順を実行するように構成することができる。種々の実装形態では、ＲＲＣ制御プレーンシグナリングは、以下のＬＴＥプロトコルエンティティ又はレイヤ：パケットデータ収束プロトコル（packet data convergence protocol；ＰＤＣＰ）、無線リンク制御（radio link control；ＲＬＣ）レイヤ、媒体アクセス制御（medium access control；ＭＡＣ）レイヤ、物理（physical；ＰＨＹ）レイヤのうちの１つ以上と併せて実行することができる。制御プレーンデータ及びユーザプレーンデータは、ダウンリンク（downlink；ＤＬ）又はアップリンク（uplink；ＵＬ）において、例えば、同一の送信時間間隔（transmission time interval；ＴＴＩ）の間、ＭＡＣレイヤ内で多重化し、ＰＨＹレイヤを介して意図された受信者に通信することができることを理解されたい。
【００４１】
図２Ａは、キャリアアグリゲーションのシナリオにおいて、それぞれのセルが重複するが同一の地理的エリアを必ずしもカバーしないプライマリセル２１０及び２つのセカンダリセル２１２及び２１４と通信するＬＴＥ−Ａ準拠ＵＥ２０６を示す無線通信ネットワーク図２００を示している。例として、また、３ＧＰＰのＬＴＥ−Ａリリース１０、１１及び１２を参照して、ＬＴＥ−Ａ準拠ＵＥ２０６は、３つの別個の（キャリアとも呼ばれる）無線周波数リソースＦ１、Ｆ２及びＦ３を介して無線カバレッジを提供するための無線周波数送受信機器を有することができるｅＮｏｄｅＢ（基地局）２０２と（例えばＤＬ又はＵＬにおいて）通信することができる。３つのキャリアは、例えば、単一のコンポーネントキャリアのみを使用して可能であり得るよりも高い通信帯域幅及び／又はスループットを提供するために、ＬＴＥ−Ａ準拠ＵＥ２０６に集約して提供することができる通信用の個別のコンポーネントキャリア（component carrier；ＣＣ）として使用することができる。ＬＴＥ−Ａ準拠ＵＥ２０６の観点から、ＣＣ無線周波数リソースＦ１は、プライマリセル２１０に関連付けることができ、ＣＣ無線周波数リソースＦ２は、セカンダリセル２１２に関連付けることができ、ＣＣ無線周波数リソースＦ３は、セカンダリセル２１４に関連付けることができる。周波数リソースのシナリオについての代替的なキャリアアグリゲーションの表現について、本明細書では図３Ａ、図３Ｂ及び図３Ｃについて更に説明する。
【００４２】
無線通信ネットワーク図２００は、また、３ＧＰＰのＬＴＥリリース８及び９を参照して、複数のコンポーネントキャリアを有するキャリアアグリゲーションを使用して通信することはできないが、１つのコンポーネントキャリア、例えばプライマリコンポーネントキャリアを使用してＬＴＥ無線通信プロトコルに従って通信することができる、ＬＴＥ準拠ＵＥ２０４も示している。例として、ＬＴＥ準拠ＵＥ２０４は、単一の周波数リソースＦ１を介して、ｅＮｏｄｅＢ（基地局）２０２と（ＤＬ又はＵＬにおいて）通信することができる。単一キャリアのシナリオでは、ＬＴＥ準拠ＵＥ２０４は、達成可能なデータレートスループットを、１．４ＭＨｚ〜２０ＭＨｚの範囲とすることができる周波数帯域幅を使用して、ＤＬでは約３００Ｍビット／秒に、ＵＬでは約７５Ｍビット／秒に制限する（実世界の実装形態は変動し得る）個別の標準指定されたシステム帯域幅を採用する。無線通信ネットワーク図２００はまた、ＬＴＥ無線通信プロトコル（例えば、３ＧＰＰのＬＴＥリリース８／９以降）に従って動作し、「小」セル２１８、即ち、無線ネットワークのための通常の「マクロ」セルよりも小さい地理的カバレッジ範囲を有するセルと関連付けることができる単一の周波数リソースＦ４を介して、無線ネットワークと接続することができるＬＴＥ準拠ＵＥ２０８も示している。いくつかの実施形態では、「小」セル２１８は、マイクロセル、ナノセル、又はフェムトセルも呼ぶこともでき、セルラー無線ネットワークのマクロセルによって、例えばプライマリセル２１０によって提供されるカバレッジを補う、限定されたカバレッジを提供することができる。「小」セル２１８は、有線接続又は無線接続のいずれかを使用して、「バックホール」を介して無線ネットワークに接続することができる専用のネットワーク機器２１６から発することができる。いくつかの実施形態では、「小」セル２１８は、有線接続を介して（例えば「ブロードバンド」リンクを通じて）無線ネットワークに接続する。無線ネットワークプロバイダは、セルラー無線ネットワークの１つ以上のマクロセルにより提供されるサービスを補うために、限定されたエリア内でショートレンジカバレッジを提供する「ホーム」ベースの「小セル」のためのサービスを提供することができる。無線ネットワークプロバイダは、「マクロ」セルと「小」セルとの組み合わせを使用して、ネットワークの負荷の均衡を取り、より大きいカバレッジ、より高いデータレート、及び／又はより優れたリンク安定性を提供するために、複数の並列接続のオプションを使用しようとすることができる。いくつかの実施形態では、無線ネットワークプロバイダは、ライセンス無線周波数帯域におけるキャリアを使用して、例えば、周波数リソースＦ４を介して、「小」セル２１８を動作させることができる。いくつかの実施形態では、無線ネットワークプロバイダは、ライセンス無線周波数帯域のプライマリコンポーネントキャリアを介した通信を補うために、非ライセンス無線周波数帯域のセカンダリコンポーネントキャリアを使用して、「小」セル２１８を動作させることができる。ＬＴＥ−Ｕ対応無線通信デバイスは、キャリアアグリゲーションを介したライセンス無線周波数帯域と非ライセンス無線周波数帯域の双方のコンポーネントキャリアの組み合わせを使用して、無線ネットワークに接続することができるようになる。
【００４３】
図２Ｂは、別の無線通信ネットワークについての図２５０を示し、無線周波数Ｆ１のプライマリコンポーネントキャリアを介してプライマリセル２１０と（ＬＴＥ／ＬＴＥ−Ａ無線通信プロトコルに従って）通信し、無線周波数Ｆ５のセカンダリコンポーネントキャリアを介してセカンダリセル２５６と通信するＬＴＥ−Ｕ対応ＵＥ２５２とすることができる無線通信デバイスが示されている。いくつかの実施形態では、無線ネットワークプロバイダは、非ライセンス無線周波数帯域のキャリアを使用して「小」セル２１８を動作させることができる。非ライセンス無線周波数帯域のセカンダリキャリアは、ＬＴＥ−非ライセンス（LTE-Unlicensed；ＬＴＥ−Ｕ）キャリアと呼ぶこともでき、ＬＴＥ−Ｕ対応ＵＥ２５２は、ＬＴＥ−Ｕ無線通信プロトコルに従って動作することができる。本明細書で更に説明するように、いくつかの実施形態では、無線ネットワークプロバイダは、例えば周波数リソースＦ１を介したライセンス無線周波数帯域のプライマリキャリア、及び例えば周波数リソースＦ５を介した非ライセンス無線周波数帯域のセカンダリキャリアもの双方を使用して、ＬＴＥ−Ｕ対応ＵＥ２５２との通信を行うことができる。非ライセンス無線周波数帯域は他の非セルラー無線通信デバイスにより共有され得るので、セルラー無線ネットワークは、非ライセンス無線周波数帯域のセカンダリコンポーネントキャリア上での通信と、例えばＷｉ−Ｆｉプロトコルが代表例である無線ローカルエリアネットワーク（wireless local area network；ＷＬＡＮ）無線通信プロトコルに従って動作する他の無線通信デバイスが使用する周波数の重複又は隣接するセットを使用する通信との間の共存干渉を緩和しようとすることができる。非ライセンス無線周波数帯域は、複数のネットワークプロバイダ及び／又は種々の無線ネットワーク機器により共有され得るので、セカンダリセル２５６におけるセカンダリコンポーネントキャリアＦ５を介したＬＴＥ−Ｕ通信を無線ネットワークにより「管理」して、他の無線通信デバイス、例えばＷｉ−Ｆｉ機器への又はそこからの干渉を緩和することができる。無線ネットワークは、複数のＬＴＥ−Ｕ対応無線通信デバイス、例えば複数の異なるＬＴＥ−Ｕ対応ＵＥ２５２間で非ライセンス無線周波数帯域を共有するために、セカンダリコンポーネントキャリアＦ５上での送信をスケジュールするための機器を含むことができる。いくつかの実施形態では、無線ネットワークプロバイダはまた、無線ローカルエリアネットワークデバイスを、例えば、Ｗｉ−Ｆｉ「ホットスポット」（図示せず）とセカンダリセル２５６とプライマリセル２１０とを同時に動作させることができ、３つの別個のネットワーク機器を、例えば、「管理」Ｗｉ−Ｆｉ「ホットスポット」アクセスポイントと、セカンダリセルのｅＮｏｄｅＢ（基地局）２５４（又は「フェムトセル」又は均等物）と、プライマリセルのｅＮｏｄｅＢ（基地局）２０２とを介して通信を管理することができる。無線ネットワークプロバイダは、複数の無線通信デバイスと通信するネットワーク機器の組み合わせを管理して、共存干渉を低減すること、種々のネットワーク機器間のトラフィックのオフロードを提供すること、１つ以上の種々のネッ���ワーク機器を介した接続を確立するためにＬＴＥ−Ｕ対応ＵＥ２５２による選択を行うこと、種々のネットワーク機器間の再選択を行うこと、並列のコンポーネントキャリアを使用する通信を共有することなどを行うことができる。いくつかの実施形態では、無線ネットワークプロバイダは、アクセスネットワーク発見及び選択機能（access network discovery and selection function；ＡＮＤＳＦ）ポリシーオブジェクトのセットを使用して、ｅＮｏｄｅＢ（基地局）２０２と、「小」セルネットワーク機器、例えばｅＮｏｄｅＢ（基地局）２５４と、管理ＷＬＡＮ（Ｗｉ−Ｆｉ）アクセスポイント（図示せず）との組み合わせを含む複数のタイプのアクセスネットワーク機器を使用する通信の管理を行うことができる。
【００４４】
図２Ｃ及び図２Ｄは、いくつかの実施形態に係る、無線周波数共存干渉を経験することがある代表的な無線通信システムを示している。図２Ｃは、無線通信デバイス２６２が、セルラー無線通信プロトコルを使用して同時に通信すること、例えば、ＷＬＡＮ無線通信プロトコルに従ってＷＬＡＮアクセスポイント２６４から受信しながら、ライセンスＬＴＥ周波数帯域のプライマリコンポーネントキャリア上でｅＮｏｄｅＢ（基地局）２０２に送信し、非ライセンス無線周波数帯域のセカンダリコンポーネントキャリア上でセルタワー（基地局）２５４に送信することができる、無線通信システム２６０を示している。ＷＬＡＮアクセスポイントはまた、いくつかの実施形態ではＷＬＡＮ無線通信プロトコルのみを使用して動作することができる他の無線通信デバイス２６８とも通信することができる。ＷＬＡＮアクセスポイント２６４は、無線デバイス２６２及び２６８と共に、非ライセンス無線周波数帯域の特定の無線周波数チャネルを使用してＷＬＡＮを形成することができる。無線デバイス２６２が、ＷＬＡＮと同一の無線周波数チャネル又はＷＬＡＮと重複している無線周波数チャネル上で、例えばＬＴＥ−Ｕ対応基地局２５４に送信する時、無線デバイス２６２の受信機は、「デバイス内」共存無線周波数干渉に直面することがある。いくつかの実施形態では、セルラー送信機とＷＬＡＮ受信機とを無線デバイス２６２にコロケートすることができるので、ＷＬＡＮ受信機及び／又はセルラー送信機は、例えば、重複している送信時間を最低限に抑えて及び／又は周波数チャネルの使用を変更して、セルラー送信機からＷＬＡＮ受信機への無線周波数干渉を低減させることによって、「デバイス内」共存無線周波数干渉の影響を緩和するためのアクションを取ることができる。
【００４５】
しかしながら、無線周波数干渉は、２つの異なる無線デバイス間で、又は図２Ｄの無線通信システム２７０により示されるような（例えば無線ＷＬＡＮアクセスポイント２６４と同じ無線デバイス２６８と通信している）セルラー無線ネットワークのアクセスネットワーク機器から生じることもある。ＬＴＥ−Ｕ対応基地局２５４と通信する近隣の無線デバイス２６２のセルラー送信機は、無線デバイス２６２自体のＷＬＡＮ受信機と干渉するだけでなく、他の無線デバイス、例えば、同一の周波数チャネル及び／又は無線デバイス２６２のＬＴＥ−Ｕセルラー送信機が占める１つ以上の重複している無線周波数チャネルを使用してＷＬＡＮアクセスポイント２６４と通信使用とすることができる無線デバイス２６８のＷＬＡＮ受信機とも干渉し得る。同様に、例えば無線デバイス２６８を含む１つ以上の無線デバイスと通信するＬＴＥ−Ｕ帯域基地局２５４のセルラー送信機は、ＬＴＥ−Ｕ帯域基地局２５４のセルラー送信機が使用する無線周波数チャネルと同一の及び／又は重複している無線周波数チャネルを使用してＷＬＡＮアクセスポイント２６４と通信しようとすることができる無線デバイス２６８において、共存干渉を引き起こし得る。いくつかの実施形態では、無線デバイス２６８は、ＷＬＡＮアクセスポイント２６４とセルラー無線ネットワークのＬＴＥ−Ｕ帯域基地局２５４の双方から信号を受信しようとすることができる。ＷＬＡＮアクセスポイント２６４とＬＴＥ−Ｕ帯域基地局の双方が、例えば非ライセンス無線周波数帯域における同一の無線周波数チャネル及び／又は１つ以上の重複している無線周波数チャネルを使用する時、（例えば別個の並列の無線回路を使用した）無線デバイス２６８による、ＷＬＡＮアクセスポイント２６４及び／又はＬＴＥ−Ｕ帯域基地局２５４からの信号の受信は、互いに干渉し得る。いくつかの実施形態では、無線デバイス２６８の受信機は、ＬＴＥ−Ｕ帯域基地局２５４あるいはＷＬＡＮ通信のために使用される無線周波数チャネルを重複する及び／又は使用する他の無線デバイス２６２など、近隣のセルラー送信機からの無線周波数信号をリッスンし、検出することができ、セルラー送信からの無線周波数干渉の影響を最小限に抑えようとする、及び／又は緩和しようとすることができる。いくつかの実施形態では、例えば無線デバイス２６２自身及び／又は無線ネットワーク機器により、例えばＬＴＥ  ｅＮｏｄｅＢ（基地局）２０２及び／又はＬＴＥ−Ｕ対応ｅＮｏｄｅＢ（基地局）２５４を通じて提供される制御信号を介して無線デバイス２６２の送信を管理して、無線デバイス２６２と無線デバイス２６８との間の共存干渉を緩和することができる。本明細書で更に説明するように、無線デバイス２６２は、非ライセンス無線周波数帯域の全て又は一部分を他の無線デバイスと、例えば無線デバイス２６８と共有するために、時間分割多重方式を使用して、及び／又は周波数ホッピングを使用して送信することができる。
【００４６】
例えばキャリアセンス多元接続（carrier sense multiple access；ＣＳＭＡ）プロトコルに基づく典型的なＷＬＡＮ通信システムでは、無線クライアントデバイス、例えば２６８は、着信ＷＬＡＮパケットを復号して、その宛先を判定することができる。ＷＬＡＮ通信システムにおける通信は「スケジュールされていない」こともあるので、任意の着信ＷＬＡＮパケットは、無線クライアントデバイス２６８宛てとすることができる。いくつかの実施形態では、無線クライアントデバイス２６８は、ＷＬＡＮパケットのプリアンブルを検出し、復号することができ、そうすることによって、無線クライアント装置２６８は、他のＷＬＡＮクライアントデバイスが（「媒体」と呼ぶこともできる）無線周波数チャネルを占めているかどうかを判定することができる。ＣＳＭＡ機構を適切に実行するために、ＷＬＡＮ通信プロトコルでは、−８２ｄＢｍ以上のレベルの信号が、ＷＬＡＮクライアントデバイス２６８及びＷＬＡＮアクセスポイント２６４により検出可能かつ復号可能であることが必要であり得る。典型的なＷＬＡＮクライアントデバイス２６８では、−９０ｄＢｍ以上のレベルのＷＬＡＮ信号を検出し、復号することができる。ただし、検出及び復号は、検出のためのＷＬＡＮパケットの始めにプリアンブルが存在することに依存することができ、通信が検出可能なプリアンブルを含まない時には、ＷＬＡＮクライアントデバイス２６８は、その代わりに、無線周波数干渉源の存在を判定するための単純なエネルギー検出機構に依存することができる。
【００４７】
ＷＬＡＮ通信プロトコルは、ＷＬＡＮクライアントデバイス２６８によって−６２ｄＢｍ以上のエネルギーレベルを有する無線信号が検出可能であることを必要とすることができる。この検出可能なエネルギーレベルは、ＷＬＡＮクライアントデバイス２６８によって復号可能であっても、復号可能でなくてもよい無線周波数信号に対するものであり、ＷＬＡＮクライアントデバイス２６８による検出のためにプリアンブルを含むフォーマットされたパケットの検出可能レベルよりも実質的に高い。−６２ｄＢｍ以上の受信信号強度表示（received signal strength indication；ＲＳＳＩ）の測定と呼ぶこともできる干渉無線信号のエネルギーの検出時、ＷＬＡＮクライアントデバイス２６８Ｂは、無線周波数チャネルが「ビジー」である又は場合によっては「占められている」と肯定応答することができ、将来の「クリアな」送信時間を待つことができる。したがって、ＷＬＡＮクライアントデバイス２６８は、無線周波数チャネルの「キャリア」の存在を「検知」することができ、その無線周波数チャネルを使用して別のＷＬＡＮデバイスに「フェアな」アクセスを提供することができる。ＬＴＥ−Ｕセカンダリコンポーネントキャリアを使用して通信している無線通信デバイス２６２、及びＷＬＡＮ無線通信プロトコルを使用して通信しているＷＬＡＮクライアントデバイス２６８は共に、同時に同一の無線周波数チャネルの全て又は一部分の占有を試行する時に無線周波数干渉を受け得る。ＬＴＥ通信システム及び／又はＷＬＡＮ通信システムのための無線パケットは、適切な検出及び「バックオフ」機構を採用しない限り、無線周波数干渉に起因して破損することがある。いくつかの実施形態では、ＷＬＡＮクライアントデバイス２６８及び／又はＷＬＡＮ  ＡＰ２６４は、１つの無線周波数帯域において（又は複数の無線周波数帯域において）１つ以上の無線周波数チャネルをスキャンして、ＬＴＥセルラーシステムの存在を検出することができる。非ライセンス無線周波数帯域における無線デバイス２６２のセルラー送信は、ＷＬＡＮクライアントデバイス２６８がＷＬＡＮ  ＡＰ２６４と通信することができる「クリアな」送信時間間隔及び／又は無線周波数チャネル（若しくは、より一般的には、非ライセンス無線周波数帯域における無線周波数スペクトルの一部）を提供するために、時間ギャップを含むことができる、及び／又は経時的に異なる無線周波数チャネルを使用することができる。いくつかの実施形態では、例えばＷＬＡＮクライアントデバイス２６８及びＷＬＡＮ  ＡＰ２６４が使用するような非ライセンス無線周波数帯域と重複する周波数帯域を少なくとも部分的に使用して動作するキャリアアグリゲーション方式においてセカンダリコンポーネントキャリアを使用する全ての無線通信デバイス２６２を管理して、ＬＴＥ−Ｕ対応デバイス、ＬＴＥ支援（LTE assisted access；ＬＡＡ）対応デバイス、及びＷＬＡＮ（Ｗｉ−Ｆｉ）デバイスを含む複数の無線通信デバイス間での、非ライセンス無線周波数帯域の「フェアな」共有を可能にするために、「クリアな」送信時間及び／又は「クリアな」無線周波数チャネルを提供することができる。
【００４８】
図３Ａ、図３Ｂ及び図３Ｃは、種々の実施形態に係る、２つの帯域内ＣＣの周波数リソース図３００及び３１０、並びに１つの帯域間ＣＣ周波数リソース図３２０を示す３つの別個のキャリアアグリゲーションの表現を示している。一般的に理解されるように、３ＧＰＰ  ＬＴＥ及びＬＴＥ−Ａでは、個別のＣＣは、１．４ＭＨｚから２０ＭＨｚまでの範囲の種々のシステム帯域幅３０８における通信に制限することができる。したがって、キャリアアグリゲーションのシナリオを使用することによって達成可能な集約的なＤＬデータレートスループットは、約３００Ｍビット／秒の単一のキャリアのデータレートスループットよりも、例えば並列に採用されるＣＣの数（ＬＴＥ−Ａでは５つのＣＣまで）に関連し、構成ＣＣの帯域幅に基づく乗数値だけ増大することができる。ＬＴＥ−Ａを採用している電気通信ネットワークについて、先行するＬＴＥのバージョンとの相互運用性は、ＬＴＥ−Ａ  ＣＣが以前のＬＴＥのバージョンの対応部分と同等のシステム帯域幅を採用することを必要とすることができる。したがって、ピークシングルＣＣ  ＬＴＥ−Ａシステム帯域幅は、ＬＴＥ  ＲＡＴ間の互換性について、２０ＭＨｚを上限とすることができる。ただし、種々のキャリアアグリゲーションのシナリオでは、ＬＴＥ−Ａ  ＣＣのアグリゲートセットは、１つ以上の割り当てられたＬＴＥスペクトル帯域を使用して、１００ＭＨｚまで（５ＣＣ×２０ＭＨｚ、最大のＬＴＥ標準のシステム帯域幅）の集約的な帯域幅を達成することが可能であり得る。
【００４９】
図３Ａは、帯域内連続ＣＣの周波数リソース図３００を示すキャリアアグリゲーションの表現を示し、それぞれの集約されたＣＣ３０２、３０４及び３０６は、同一のサービスプロバイダが指定したＤＬ周波数帯域（帯域Ａ）内のＣＣ自体の別個の周波数リソース（Ｆ１、Ｆ２、又はＦ３）に関連付けられている。いくつかの実施形態では、周波数リソースは、周波数キャリア、キャリア又は周波数チャネルと呼ぶこともできる。帯域内連続ＣＣのシナリオでは、３つの周波数リソースＦ１、Ｆ２及びＦ３は、帯域Ａ内で互いに隣接して位置する周波数領域の連続しているＣＣ周波数である。図３Ｂは、帯域内非連続ＣＣの周波数リソース図３１０を示すキャリアアグリゲーションの表現を示し、それぞれの集約されたＣＣ３１２、３１４及び３１６は、単一のＤＬ周波数帯域（帯域Ａ）内のＣＣ自体の別個の周波数リソース（Ｆ１、Ｆ２、又はＦ３）に関連付けられている。ただし、周波数リソース図３１０に示された非連続ＣＣのシナリオでは、３つの周波数リソース（Ｆ１、Ｆ２及びＦ３）は、例えば、周波数チャネルＦ２及びＦ３が離れていることから分かるように、帯域Ａ内の周波数領域の１つ以上の介在周波数チャネルにより分離されたＣＣ周波数とすることができる。図３Ｃは、帯域間非連続ＣＣの周波数リソース図３２０を示すキャリアアグリゲーションの表現を示し、それぞれの集約されたＣＣ３２２、３２４及び３２６は、２つのサービスプロバイダが指定したＤＬ周波数帯域（帯域Ａ及び帯域Ｂ）内にわたるＣＣ自体の別個の周波数リソース（Ｆ１、Ｆ２、又はＦ３）に関連付けられている。帯域間非連続ＣＣのシナリオでは、帯域Ａの周波数リソースＦ１及びＦ２は、周波数領域において帯域Ｂの周波数リソースＦ３から離れたＣＣ周波数とすることができる。参考までに、３ＧＰＰのＬＴＥ−Ａリリース１０はＬＴＥのためのキャリアアグリゲーションを指定し、ＬＴＥ−Ａリリース１１及び１２は、種々の帯域間ＣＣ帯域ペアリングを含む、種々のキャリアアグリゲーションの強化について記載している。電気通信サービスプロバイダは、一般に、同様のラインセンスＬＴＥ周波数スペクトル帯域異なるラインセンスＬＴＥ周波数スペクトル帯域の双方を使用して動作することを理解されたい。例えば、米国内では、ベライゾン（登録商標）のＬＴＥネットワークは、帯域１３及び４を使用して、７００ＭＨｚ及び１７００／２１００ＭＨｚの周波数スペクトルで動作するが、ＡＴ＆Ｔ（登録商標）のＬＴＥネットワークは、帯域１７、４及び３０を使用して、７００ＭＨｚ、１７００／２１００ＭＨｚ及び２３００ＭＨｚｍの周波数スペクトルで動作する。１つ以上のライセンス無線周波数帯域の無線周波数チャネルを使用するキャリアアグリゲーションを介した通信に加えて、無線ネットワークプロバイダは、例えば、ライセンス無線周波数帯域のプライマリコンポーネントキャリア上での通信を、非ライセンス無線周波数帯域のセカンダリコンポーネントキャリアで補うために、ライセンス無線周波数帯域と並列に非ライセンス無線周波数帯域における周波数リソースを使用した通信を提供することができる。
【００５０】
図３Ｄは、いくつかの実施形態に係る、非ライセンス無線周波数帯域において無線ローカルエリアネットワーク（wireless local area network；ＷＬＡＮ）システムが使用するために利用可能な無線周波数チャネルのセットを示している。「クライアント」ＷＬＡＮデバイスは、例えば、無線ローカルエリアネットワーク（ＷＬＡＮ）通信プロトコルに従ったＷＬＡＮ技術を介して通信することが可能な任意の無線通信デバイスであり得る。いくつかの実施形態では、ＷＬＡＮ技術は、Ｗｉ−Ｆｉ（又はより一般的にはＷＬＡＮ）無線通信サブシステム（いくつかの実施形態では無線機と呼ぶこともできる）を含むことができ、Ｗｉ−Ｆｉ無線通信サブシステムは、ＩＥＥＥ  ８０２．１１ａ、ＩＥＥＥ  ８０２．１１ｂ、ＩＥＥＥ  ８０２．１１ｇ、ＩＥＥＥ  ８０２．１１−２００７、ＩＥＥＥ  ８０２．１１ｎ、ＩＥＥＥ  ８０２．１１−２０１２、ＩＥＥＥ  ８０２．１１ａｃ、又は他の現在の若しくは将来開発されるＩＥＥＥ  ８０２．１１技術のうちの１つ以上などの、米国電気電子学会（ＩＥＥＥ）８０２．１１技術を実装することができる。８０２．１１Ｗｉ−Ｆｉ通信プロトコルのセットは、産業医療科学用（Industrial, Scientific, and Medical；ＩＳＭ）の無線周波数帯域（例えば２．４ＧＨｚ〜２．５ＧＨｚ）、並びに例えば約４．９ＧＨｚから５．８ＧＨｚに及ぶ「５ＧＨｚ」無線周波数帯域における無線周波数スペクトルの領域を利用する。「より高」無線周波数帯域は、より広い無線周波数チャネルを実現し、より多くの帯域幅御及びより高いデータレートを提供することができる。「より低い」無線周波数帯域は、より低い経路損失に起因するより広いカバレッジ領域を、したがってより大きい範囲を提供することができる。典型的には、ＷＬＡＮクライアントデバイス及びＷＬＡＮアクセスポイントは、１つ又は複数の非ライセンス無線周波数帯域において動作する能力を提供する。追加の無線周波数帯域は、ＷＬＡＮ無線通信デバイスが将来使用するために計画されており、例えば、超短波（very high frequency；ＶＨＦ）帯域及び極超短波（ultra high frequency；ＵＨＦ）帯域、即ち、６００ＭＨｚ付近であるテレビの「ホワイトスペース」周波数、並びに３．５ＧＨｚ付近の周波数の帯域を含む、追加の無線周波数帯域を使用するために、無線通信プロトコル標準を開発中である。ＷＬＡＮクライアントデバイス及びＷＬＡＮアクセスポイントが５ＧＨｚの非ライセンス無線周波数帯域において使用する無線周波数チャネル、図３Ｄに示すような約２０ＭＨｚの無線周波数帯域幅にわたることができる。更に、ＷＬＡＮクライアントデバイスは、複数の２０ＭＨｚの無線周波数チャネルを一緒に使用して、図３Ｅに示されるようなより広い無線周波数帯域幅のチャネルを提供することができる。したがって、ＷＬＡＮクライアントデバイスは、２０ＭＨｚ幅の周波数チャネルだけでなく、４０ＭＨｚ幅、８０ＭＨｚ幅、及び／又は１６０ＭＨｚ幅の無線周波数チャネルを使用してもよい。より高い帯域幅の無線周波数チャネルは、より高いデータレートスループットを提供することができるが、他の無線システムから、より多くの無線周波数干渉を受けることがあり、当該他の無線システムからの送信は、ＷＬＡＮ無線周波数チャネルの全て又は一部分と重複することがある。
【００５１】
図３Ｅの図３５０により示すように、無線周波数チャネルＦ５上で動作し、約２０ＭＨｚの帯域幅を占めるＬＴＥ−Ｕセカンダリセル３５２は、非ライセンス無線周波数帯域の同一の周波数範囲で動作するＷＬＡＮシステムが使用する無線周波数スペクトルの全て又は一部分と重複することがある。例えば、ＬＴＥ−Ｕセカンダリセル３５２は、５ＧＨｚの非ライセンス無線周波数帯域の５．２４０ＧＨｚを中心とする周波数チャネルＣＨ４８と一致する周波数帯域を使用して動作することができる。また、ＬＴＥ−Ｕセカンダリセル３５２は、追加の周波数チャネルを使用する、より広い帯域幅の周波数チャネルと部分的に重複することがある。重複している無線周波数チャネルと同一の無線周波数帯域を使用する通信システム間の共存干渉を緩和するために、セルラー無線ネットワークは、例えば、時間分割多重技術及び／又は周波数ホッピング技術を通じて、非ライセンス無線周波数帯域の全て又は一部分を共有するための方法を含むことができる。
【００５２】
図３Ｆは、セルラー無線ネットワークが使用できる５ＧＨｚの非ライセンス無線周波数帯域の一部分にわたるＬＴＥ−Ｕ無線周波数チャネルの代表的なセットを含む図３６０を示している。いくつかの実施形態では、無線ネットワークプロバイダは、例えば、キャリアアグリゲーションのためにセカンダリコンポーネントキャリアを介して、無線通信デバイスと通信するために、ＬＴＥ−Ｕ無線周波数チャネルのセットの１つ以上を使用することができる。キャリアアグリゲーションを提供するために、１つ以上のセカンダリコンポーネントキャリアと並列に、ライセンス無線周波数帯域のプライマリコンポーネントキャリア（図示せず）を使用することができる。プライマリコンポーネントキャリアを使用して、非ライセンス無線周波数帯域のセカンダリコンポーネントキャリアをいつどのように使用するかを管理するために制御信号を提供することができる。いくつかの実施形態では、非ライセンス無線周波数帯域の１つのセカンダリコンポーネントキャリア１つだけが、ライセンス無線周波数帯域のプライマリコンポーネントキャリアと並列に使用される。いくつかの実施形態では、非ライセンス無線周波数帯域の複数のセカンダリコンポーネントキャリアを、例えば、同時に並列に、及び／又は順番に逐次的に（若しくは周波数ホッピングの順で）使用することができる。
【００５３】
図３Ｅ及び図３Ｆは、５ＧＨｚの非ライセンス無線周波数帯域の代表的なＬＴＥ−Ｕ無線周波数チャネルを示しているが、セカンダリセルについての無線周波数スペクトラムを提供するために、他のＩＳＭ帯域など、他の非ライセンス無線周波数帯域を同様に使用することもできる。いくつかの実施形態では、ＬＴＥ−Ｕ対応無線通信デバイスは、１つ以上の非ライセンス無線周波数帯域、例えば、２．４ＧＨｚ及び／又は５ＧＨｚの非ライセンス無線周波数帯域の１つ以上のＬＴＥ−Ｕセカンダリセルを介して通信することができる。ＬＴＥ−Ｕセカンダリセルのそれぞれは、２０ＭＨｚにわたり得る、又は帯域幅が変動する別の帯域幅範囲にわたり得るＬＴＥ−Ｕ無線周波数チャネルを使用することができ、ＬＴＥ−Ｕ対応無線通信デバイスは、必要とされる任意の周波数帯域幅にわたるＬＴＥ−Ｕ対応無線通信デバイスにより、ＬＴＥ−Ｕ通信のための帯域幅の範囲、例えば、５ＭＨｚから１００ＭＨｚに及ぶ無線周波数スペクトラムをサポートする複数の無線周波数チャネルのＬＴＥ−Ｕをサポートすることができる。いくつかの実施形態では、ＬＴＥ−Ｕ対応無線通信デバイスは、２．４ＧＨｚの非ライセンス無線周波数帯域において動作する。いくつかの実施形態では、ＬＴＥ−Ｕ対応無線通信デバイスは、５ＧＨｚの非ライセンス無線周波数帯域において動作する。いくつかの実施形態では、ＬＴＥ−Ｕ対応無線通信デバイスは、１つ以上の非ライセンス無線周波数帯域、例えば、２．４ＧＨｚの非ライセンス無線周波数帯域及び／又は５ＧＨｚの非ライセンス無線周波数帯域の組み合わせにおいて動作する。したがって、図３Ｅは、５ＧＨｚの非ライセンス無線周波数帯域内の周波数Ｆ５で動作するＬＴＥ−Ｕセカンダリセル３５２を示しているが、いくつかの実施形態では、ＬＴＥ−Ｕセカンダリセル３５２は、異なる帯域幅、例えば、５ＭＨｚを使用して、及び／又は、異なる非ライセンス無線周波数帯域、例えば、２．４ＧＨｚの非ライセンス無線周波数帯域において動作することもできる。同様に、いくつかの実施形態では、図３Ｆに示したＬＴＥ−Ｕ無線周波数チャネルのセットはそれぞれ、２０ＭＨｚの帯域幅を、又は、異なる無線周波数チャネル毎に異なる帯域幅を含む別の範囲の帯域幅を占めることができる。ＬＴＥ−Ｕ無線周波数帯域は、別の非ライセンス無線周波数帯域、例えば、２．４ＧＨｚの非ライセンス無線周波数帯域と、又は別のＩＳＭ無線周波数帯域と重複することもあり、必ずしも、図示された５ＧＨｚの無線周波数帯域における使用には限定されない。
【００５４】
図３Ｇは、ＬＴＥ  ＴＤＤ無線ネットワークにおける通信をフォーマットするために使用することができるＬＴＥフレームについてのＵＬ／ＤＬサブフレーム構成の表３７０を示す。それぞれのＵＬ／ＤＬサブフレーム構成は、ＤＬサブフレーム、ＵＬサブフレーム及び特別なサブフレームのシーケンスを特定する。例えば、ＵＬ／ＤＬサブフレーム構成＃０は、ＤＳＵＵＵＤＳＵＵＵのサブフレームシーケンスを特定するサブフレーム＃０〜＃９により規定し、ここで、「Ｄ」はＤＬサブフレームを示し、「Ｕ」はＵＬサブフレームを示し、「ｓ」は特別なサブフレームを示す。ＴＤＤ  ＬＴＥ通信の場合、ｅＮｏｄｅＢは、ダウンリンクサブフレーム、アップリンクサブフレーム、及び（ダウンリンク送信からアップリンク送信に遷移する）「特別な」サブフレームの混合を含む特定のフレーム構造を使用するようにＵＥを構成する。図３Ｇに示した７つのＬＴＥ  ＴＤＤフレーム構造のうち、ＵＬ／ＤＬ構成＃１及び＃２と標示されたフレーム構造は、最も一般的に展開され、これらの特定のＵＬ／ＤＬ構成のそれぞれは、１０ミリ秒フレーム当たり、２つの反復する５ミリ秒サブフレームパターンを含む。
【００５５】
図３Ｈは、ＬＴＥタイプ２（ＴＤＤ）フレームとも呼ばれるＬＴＥ時間分割複信（Time division duplex；ＴＤＤ）フレーム３８２についてのＬＴＥフレーム構造３８０を示しており、これは、ＬＴＥ  ＴＤＤ通信プロトコルに従って動作する、ｅＮｏｄｅＢとＵＥとの間のダウンリンク送信及びアップリンク送信のための使用することができる。それぞれのＬＴＥタイプ２のＴＤＤフレーム３８２は、それぞれのサブフレームが１ミリ秒（１ｍｓ）にわたる１０個の連続サブフレーム（サブフレーム＃０から＃９まで番号が付されている）に再分割される１０ミリ秒（１０ｍｓ）の時間周期にわたる。それぞれのＬＴＥタイプ２のＴＤＤフレーム３８２は、（ｅＮｏｄｅＢからＵＥへの送信のための）１つ以上のダウンリンク（ＤＬ）サブフレーム、（ＵＥからｅＮｏｄｅＢへの送信のための）１つ以上のアップリンク（ＵＬ）サブフレーム、及び１つ以上の特別なサブフレームを含む。特別なサブフレームは、ダウンリンク部分、ガード期間、及びアップリンク部分を含む。ガード期間は、ＤＬ部分からＵＬ部分を分離し、ＵＥとｅＮｏｄｅＢとの間のマルチパス遅延拡散についてラウンドトリップ遅延を考慮する。特別なサブフレームのダウンリンク部分は、ダウンリンクパイロットタイムスロット（downlink pilot time slot；ＤｗＰＴＳ）と呼ぶことができ、特別なサブフレームのアップリンク部分は、アップリンクパイロットタイムスロット（uplink pilot time slot；ＵｐＰＴＳ）と呼ぶことができる。特別なサブフレームは、ダウンリンク送信からアップリンク送信への遷移時にはＴＤＤ通信のために使用することができるが、アップリンク送信からダウンリンク送信への遷移時には使用されない。
【００５６】
図３Ｈは、ＬＴＥタイプ２のフレームについての特定のＬＴＥ  ＴＤＤ  ＵＬ／ＤＬサブフレーム構成、即ち、２つの特別なサブフレームを含むＵＬ／ＤＬ構成＃０についてのＬＴＥフレーム構造３８０を示している。図３Ｇの表３７０に示したように、ＬＴＥ  ＴＤＤ  ＵＬ／ＤＬサブフレーム構成は、１つ又は２つの特別なサブフレームを含むことができる。ＬＴＥタイプ２のＴＤＤフレーム３８２のダウンリンクサブフレーム及びアップリンクサブフレームは、それぞれのタイムスロットが０．５ミリ秒にわたる２つのタイムスロットに分割され、特別なサブフレームは、３つの時間周期に分割される。それぞれのダウンリンクサブフレーム３８４は、制御シンボル３８６とペイロードシンボル３８８との組み合わせを含むことができる複数の直交波周波数分割多重（orthogonal frequency-division multiplexing；ＯＦＤＭ）シンボルを含む。ＬＴＥタイプ２のＴＤＤフレーム３８２についての構成は、システム情報ブロック（system information block；ＳＩＢ）メッセージ中のｅＮｏｄｅＢにより情報のブロードキャストにおいて特定することができる。ダウンリンクサブフレーム、特別なサブフレーム及びアップリンクサブフレームの数は、図３Ｇの表３７０に示したように使用される異なるＬＴＥ  ＴＤＤ  ＵＬ／ＤＬサブフレーム構成について変動することができる。
【００５７】
図３Ｈは、それぞれのサブフレームが、２つのタイムスロットを含み、それぞれのタイムスロットは、拡張サイクリックプレフィックスの使用時に６つのＯＦＤＭシンボルを含むことを示している。したがって、サブフレームは、合計１２個のＯＦＤＭシンボルを含む。１２個のＯＦＤＭシンボルのうち、最初の２つのＯＦＤＭシンボルは、例えば物理ダウンリンク制御チャネル（physical downlink control channel；ＰＤＣＣＨ）３８６を通信するために使用される制御シンボルであり、残りの１０個のＯＦＤＭシンボルは、例えば物理ダウンリンク共有チャネル（physical downlink shared channel；ＰＤＳＣＨ）３８８を通信するために使用されるペイロードシンボルである。図３Ｈはまた、前述のような特別なサブフレームの構造を示している。サブフレーム６を参照すると、特別なサブフレームは、３つの別個の領域：ＤｗＰＴＳ−ダウンリンクパイロットタイムスロット、ＧＰ−ガード期間、及びＵｐＰＴＳ−アップリンクパイロットタイムスロットを含む。特別なサブフレームの領域は、長さに関して個別に構成可能であるが、特別なサブフレームの３つの領域全ての総長さを合わせると、任意の他のサブフレームに関してのように、１ｍｓにわたる。ＤｗＰＴＳは、ダウンリンク送信のために確保され、ＵｐＰＴＳ及び特別なサブフレームの直後のサブフレームは、アップリンク送信のために確保される。
【００５８】
図３Ｉ及び図３Ｊは、いくつかの実施形態に係る、ＬＴＥ  ＴＤＤ通信のための代表的なＤＬ／ＵＬコンポーネントキャリアの割り当てを示している。例えば、３ＧＰＰリリース１０のＬＴＥアドバンスト仕様書で紹介されるようなキャリアアグリゲーション機能を含むＴＤＤ  ＬＴＥシステムの場合、単一のＵＥについての２０ＭＨｚの送信帯域幅よりも広くなるように、キャリアのセットをアグリゲートすることができる。図３Ｉ及び図３Ｊに示すように、いくつかの実施形態では、ダウンリンク割り当てとアップリンク割り当ては特定のＵＥ対しては対称であり、同じコンポーネントキャリアのセットを使用することができる一方で、いくつかの実施形態では、特定のＵＥについてのダウンリンク割り当てとアップリンク割り当ては非対称であり、それぞれの方向で異なるコンポーネントキャリアのセットを使用することができる。図３ＩのＤＬ／ＵＬ割り当て３９０により示すように、それぞれのコンポーネントキャリアが最高２０ＭＨｚを占める最高５個のコンポーネントキャリアのセットは、１００ＭＨｚ幅までの共通帯域幅を形成するようにアグリゲートすることができる。図３Ｉに示したＤＬ／ＵＬ割り当て３９０は、例えば周波数Ｆ１、Ｆ２及びＦ３のダウンリンクコンポーネントキャリアと、同じく周波数Ｆ１、Ｆ２及びＦ３のアップリンクコンポーネントキャリアの双方がＤＬ無線周波数スペクトラムの同じ帯域幅を占めることができることを示している。したがって、それぞれのダウンリンクコンポーネントキャリア及びアップリンクコンポーネントキャリアに同じ帯域幅及び同じ周波数を割り当てて、「対称な」ＤＬ／ＵＬ割り当て３９０を実現することができる。代替的には、図３Ｊに示すように、非対称のＤＬ／ＵＬ割り当て３９２の場合、いくつかのコンポーネントキャリア、例えば周波数Ｆ３のコンポーネントキャリアは、ダウンリンク送信のためだけに使用することができる一方で、他のコンポーネントキャリア、例えば周波数Ｆ１及びＦ２のコンポーネントキャリアは、ダウンリンク送信とアップリンク送信の双方のために使用することができると点で、アップリンクコンポーネントキャリアはダウンリンクコンポーネントキャリアとは異なり得る。１つ以上のネットワーク要素、例えば、ｅＮｏｄｅＢ（あるいは等価な基地局及び／又はコントローラの組み合わせ）は、特定のＵＥのために使用されるＤＬ／ＵＬ割り当てを決定することができる。
【００５９】
図３Ｋは、代表的なＴＤＤ−ＬＴＥフレーム構造、及びライセンス無線周波数帯域のプライマリセル（Ｐｃｅｌｌ）と非ライセンス無線周波数帯域のセカンダリセル（Ｓｃｅｌｌ）との組み合わせを使用する、ＬＴＥ／ＬＴＥ−Ｕ  ｅＮｏｄｅＢ（無線塔）３９５とＵＥ３９６との間でのＡＣＫ／ＮＡＣＫを用いたＤＬ通信のための図３９４を示している。Ｐｃｅｌｌ及びＳｃｅｌｌにおけるｅＮｏｄｅＢ３９５及びＵＥ３９６による送信は、フレーム整合させることができ、それにより、それぞれのセルにおけるフレームの対応するサブフレームは、同じ時間周期中に生じる。Ｐｃｅｌｌ及びＳｃｅｌｌ両方は、フレーム構造について同じＴＤＤ−ＬＴＥ  ＵＬ／ＤＬ構成、例えば、図３Ｋに示すような（図３Ｇの表３７０にも示されている）ＵＬ／ＤＬ構成＃１を使用することができる。ｅＮｏｄｅＢ３９５は、（フレーム構造に「Ｄ」と示される）ダウンリンクサブフレームの間、ＴＤＤ−ＬＴＥ無線通信プロトコルに従ってライセンス無線周波数帯域におけるＰｃｅｌｌ上で送信することができる。ダウンリンクサブフレームは、（アップリンクサブフレーム中のＵＥ３９６からｅＮｏｄｅＢ３９５へのＵＬ送信のために）ＵＥ３９６に割り当てられたアップリンクリソース及びダウンリンクサブフレームにおいてｅＮｏｄｅＢ３９５からＵＥ３９６へのＤＬ送信のために割り当てられたダウンリンクリソースについてのスケジュールを示す、ＰＤＣＣＨ物理チャネル上のダウンリンク制御情報（downlink control information；ＤＣＩ）を含むことができる。ＤＬデータは、ＰＤＳＣＨ物理チャネル上でｅＮｏｄｅＢ３９５からＵＥ３９６に送信することができる。
【００６０】
ｅＮｏｄｅＢ３９５はまた、非ライセンス無線周波数帯域の一部分が「利用可能」であるかどうかを判定する「リッスンビフォアトーク」機構を使用して、ダウンリンクサブフレームの間に非ライセンス無線周波数帯域におけるＳｃｅｌｌ上での送信をスケジュールすることができる。非ライセンス無線周波数帯域かどうかについてｅＮｏｄｅＢ３９５により検知するための時間周期は、「Ｄ」サブフレーム内のクリアチャネル評価（clear channel assessment；ＣＣＡ）時間周期として示される。いくつかの実施形態では、ＣＣＡ時間周期は、少なくとも２０マイクロ秒（あるいは、３４マイクロ秒、又は別の固定時間周期、又はそれぞれのＣＣＡ試行で最大長時間周期まで増大することができる可変時間周期）にわたることができる。非ライセンス無線周波数帯域の一部分が利用可能であることをｅＮｏｄｅＢ３９５が検知すると、Ｓｃｅｌｌ非ライセンス無線周波数帯域におけるダウンリンク送信及びアップリンク送信に対するリソースの割り当てを示すために、ダウンリンク制御情報（downlink control information；ＤＣＩ）を送信することができる。ＤＣＩは、ｅＮｏｄｅＢ３９５による送信のためのチャネルの「確保」を行うプリアンブルを含む（及び／又は、当該プリアンブルによりＤＣＩを補う）ことができる。その後、ＰＤＳＣＨを使用してＤＣＩに示されるリソースの間に、ＤＬデータを送信することができる。
【００６１】
ＵＥ３０６は、Ｐｃｅｌｌライセンス無線周波数帯域における（フレーム構造に「Ｕ」と示される）アップリンクサブフレームのＰＵＣＣＨ上で通信されたＨＡＲＱ  ＡＣＫ／ＮＡＣＫメッセージを使用して、Ｐｃｅｌｌライセンス無線周波数帯域及びＳｃｅｌｌ非ライセンス無線周波数帯域において受信したＤＬデータに応答することができる。したがって、ライセンス無線周波数帯域のＰｃｅｌｌのＰＣＣ又は非ライセンス無線周波数帯域におけるＳｃｅｌｌのＳＣＣ上でのｅＮｏｄｅＢ３９５からのダウンリンクデータの受信を肯定応答（又は否定応答）するシグナリングメッセージは、ライセンス無線周波数帯域におけるＰｃｅｌｌのＰＣＣ上で送信される。ＤＬデータの受信を肯定応答（又は否定応答）する信号メッセージは、非ライセンス無線周波数帯域におけるＳｃｅｌｌのＳＣＣを使用して送信される。
【００６２】
図３Ｌは、代表的なフレームＴＤＤ−ＬＴＥフレーム構造、及びライセンス無線周波数帯域におけるＰｃｅｌｌと非ライセンス無線周波数帯域におけるＳｃｅｌｌの組み合わせを使用する、ＬＴＥ／ＬＴＥ−Ｕ  ｅＮｏｄｅＢ／無線塔３９５及びＵＥ３９６との間でのＡＣＫ／ＮＡＣＫを用いたＵＬ通信のための図３９８を示している。図３Ｋについては、Ｐｃｅｌｌ及びＳｃｅｌｌにおけるｅＮｏｄｅＢ３９５及びＵＥ３９６による送信は、フレーム整合させることができ、それにより、それぞれのセルにおけるフレームの対応するサブフレームは、同じ時間周期の間に生じる。Ｐｃｅｌｌ及びＳｃｅｌｌ両方は、フレーム構造について同じＴＤＤ−ＬＴＥ  ＵＬ／ＤＬ構成、例えば、図３Ｌに示すような（図３Ｇの表３７０にも示されている）ＵＬ／ＤＬ構成＃１を使用することができる。ＵＥ３９６は、（フレーム構造に「Ｕ」と示される）「アップリンク」サブフレームの間に、Ｐｃｅｌｌライセンス無線周波数帯域の制御チャネル、例えばＰＵＣＣＨ物理チャネルを使用してｅＮｏｄｅＢ  ３９５にＵＬデータを通信する無線リソースについてのスケジューリング要求（scheduling request；ＳＲ）をサブミットすることができる。ｅＮｏｄｅＢ３９５は、Ｐｃｅｌｌライセンス無線周波数帯域における後続のＤＬ送信機会の間に、例えば、ダウンリンクサブフレームの間に、又は、特別なサブフレームのダウンリンク部分（フレーム構造に「ｓ」と占めされた特別なサブフレーム）の間に、ＵＥ３９６にＵＬ許可を送信することによって、ＵＥ３９６からのＳＲに応答することができる。ＵＬ許可は、Ｐｃｅｌｌライセンス無線周波数帯域においてＵＬデータを通信する将来のアップリンクサブフレームを示すことができる。Ｐｃｅｌｌライセンス無線周波数帯域についてのＵＬ許可は、Ｐｃｅｌｌライセンス無線周波数帯域のＰＤＣＣＨ物理チャネルを使用して通信することができる。また、ｅＮｏｄｅＢ３９５は、ＵＥ３９６から受信したＳＲに応じて、Ｓｃｅｌｌ非ライセンス無線周波数帯域についてのＵＬ許可をＵＥ３９６に提供することができる。ｅＮｏｄｅＢ３９５は、ダウンリンクサブフレーム又はＳｃｅｌｌ非ライセンス無線周波数帯域の特別なサブフレームのダウンリンク部分を使用して、Ｓｃｅｌｌ非ライセンス無線周波数帯域についてのＵＬ許可を通信することができる。したがって、ＵＥ３９６からＳＲへの応答は、Ｐｃｅｌｌライセンス無線周波数帯域におけるＵＥ３９６によるＵＬ通信のためのＵＬ許可及び／又はＳｃｅｌｌ非ライセンス無線周波数帯域におけるＵＥ３９６によるＵＬ通信のためのＵＬ許可の双方を含むことができ、それぞれのＵＬ許可は、対応する無線周波数帯域を使用するｅＮｏｄｅＢ３９５により、ＵＥ３９６に通信される。
【００６３】
いくつかの実施形態では、ｅＮｏｄｅＢ３９５はクロススケジューリングを使用して、ＳｃｅｌｌについてのＵＬ許可をＰｃｅｌｌライセンス無線周波数帯域において送信することによって、Ｓｃｅｌｌ非ライセンス無線周波数帯域における通信についてのＵＬ許可を通信する。いくつかの実施形態では、ｅＮｏｄｅＢ３９５はＳｃｅｌｌについての任意のＤＬ許可又はＵＬ許可をＰｃｅｌｌライセンス無線周波数帯域において通信する。
【００６４】
いくつかの実施形態では、ｅＮｏｄｅＢ３９５は、ＳｃｅｌｌについてのＤＬ許可及びＳｃｅｌｌについてのＤＬ許可をＰｃｅｌｌライセンス無線周波数帯域において送信する。いくつかの実施形態では、ｅＮｏｄｅＢ３９５は、ＰｃｅｌｌについてのＵＬ許可をＰｃｅｌｌライセンス無線周波数帯域において送信し、ＳｃｅｌｌについてのＵＬ許可をＳｃｅｌｌ非ライセンス無線周波数帯域において送信する。いくつかの実施形態では、ＵＥ３９６は、ＵＬリソースについてのスケジューリング要求（ＳＲ）をＰｃｅｌｌライセンス無線周波数帯域においてｅＮｏｄｅＢ３９５に送信し、ｅＮｏｄｅＢ３９５は、Ｐｃｅｌｌライセンス無線周波数帯域においてＵＥ３９６によるＰｃｅｌｌにおけるＵＬ送信のためのＵＬ許可を用いて応答し、及び／又はＳｃｅｌｌ非ライセンス無線周波数帯域においてＵＥ３９６によるＳｃｅｌｌにおけるＵＬ送信のためのＵＬ許可を用いて応答する。いくつかの実施形態では、ｅＮｏｄｅＢ３９５は、「クリアチャネル評価」（clear channel assessment；ＣＣＡ）機構を使用して、Ｓｃｅｌｌ非ライセンス無線周波数帯域においてＳｃｅｌｌについてのＵＬ許可をＵＥ３９６に送信する前にｅＮｏｄｅＢ３９５による送信のために非ライセンス無線周波数帯域の一部分が利用可能であるかどうか判定する。図３Ｌに示すように、ｅＮｏｄｅＢ３９５は、Ｐｃｅｌｌライセンス無線周波数帯域におけるＵＥ３９６によるＵＬデータの通信のための「特別な」サブフレーム（図３Ｌには「ｓ」と示される）のダウンリンクパイロットタイムスロット（図３Ｌには「ＤｗＰＴＳ」と示される）の間に、Ｐｃｅｌｌライセンス無線周波数帯域のＰＤＣＣＨ物理チャネル上でＵＬ許可を通信することができる。同じく図３Ｌに示すように、ｅＮｏｄｅＢ３９５は、Ｓｃｅｌｌ非ライセンス無線周波数帯域におけるＵＥ３９６によるＵＬデータの通信のための（ＣＣＡ時間周期後の）「特別な」サブフレームのＤｗＰＴＳの間に、Ｓｃｅｌｌ非ライセンス無線周波数帯域のＰＤＣＣＨ物理チャネル上でＰＤＣＣＨ  ＵＬ許可を通信することができる。ＵＥ３９６は、（Ｐｃｅｌｌライセンス無線周波数帯域において受信されたＵＬ許可に示すように）Ｐｃｅｌｌライセンス無線周波数帯域における後続の「アップリンク」サブフレームのＰｃｅｌｌのＰＵＳＣＨ物理チャネル上で、ＵＬデータを送信することができる。ＵＥ３９６はまた、（Ｓｃｅｌｌ非ライセンス無線周波数帯域において受信されたＵＬ許可に示すように）Ｓｃｅｌｌ非ライセンス無線周波数帯域の後続の「アップリンク」サブフレームにおけるＳｃｅｌｌのＰＵＳＣＨ物理チャネル上で、ＵＬデータを送信することができる。いくつかの実施形態では、ＵＥ３９６はＣＣＡ機構を使用して、Ｓｃｅｌｌ非ライセンス無線周波数帯域におけるＳｃｅｌｌのＰＵＳＣＨ上でＵＬデータを送信する前に、非ライセンス無線周波数帯域がＵＬデータのＵＥ３９６による送信のために利用可能であるかどうかを評価することができる。いくつかの実施形態では、ＣＣＡ時間周期は、Ｓｃｅｌｌ非ライセンス無線周波数帯域におけるＳｃｅｌｌのＰＵＳＣＨ上でＵＬデータを通信するアップリンクサブフレームに先行する特別なサブフレームのアップリンクパ���ロットタイムスロット（Uplink Pilot Time Slot；ＵｐＰＴＳ）の一部として生じることができる。いくつかの実施形態では、ｅＮｏｄｅＢ３９５は、Ｐｃｅｌｌライセンス無線周波数帯域のダウンリンクサブフレームのＰＨＩＣＨ物理チャネルで通信した１つ以上のＨＡＲＱ  ＡＣＫ及び／又はＮＡＣＫメッセージを用いて、Ｐｃｅｌｌライセンス無線周波数帯域において受信した、又はＳｃｅｌｌ非ライセンス無線周波数帯域において受信したＵＬデータに応答する。したがって、Ｐｃｅｌｌライセンス無線周波数帯域又はＳｃｅｌｌ非ライセンス無線周波数帯域において通信したＵＬデータについての、ｅＮｏｄｅＢ３９５からＵＥ３９６へのＤＬＨＡＲＱ  ＡＣＫ／ＮＡＣＫメッセージは、Ｐｃｅｌｌライセンス無線周波数帯域を使用して（Ｓｃｅｌｌ非ライセンス無線周波数帯域を使用せずに）ＵＥ３９６に肯定応答（又は否定応答）される。
【００６５】
Ｓｃｅｌｌ非ライセンス無線周波数帯域へのフェアなアクセスを保証するため、いくつかの実施形態では、ｅＮｏｄｅＢ３９５は、ＣＣＡ機構を使用して、Ｓｃｅｌｌ非ライセンス無線周波数帯域において送信する前にＳｃｅｌｌ非ライセンス無線周波数帯域の少なくとも一部分におけるエネルギーを検出する。ｅＮｏｄｅＢ３９５は、ＣＣＡ機構を使用して、Ｓｃｅｌｌ非ライセンス無線周波数帯域において送信する前に少なくとも２０マイクロ秒（又は３４マイクロ秒、あるいは他の固定時間周期）にわたる連続時間周期の間、少なくとも−８２ｄＢのエネルギーレベルを検出することができる。いくつかの実施形態では、ｅＮｏｄｅＢ３９５は、ＣＣＡ機構を使用してＳｃｅｌｌ非ライセンス無線周波数帯域の複数の部分を監視し、その後（必要な場合又は利用可能な場合には）Ｓｃｅｌｌ非ライセンス無線周波数帯域の１つ以上の部分で送信する。Ｓｃｅｌｌ非ライセンス無線周波数帯域の１つ以上の当該部分が利用可能であるとｅＮｏｄｅＢ３９５が判定した時には、ｅＮｏｄｅＢ３９５は、Ｓｃｅｌｌ非ライセンス無線周波数帯域の１つ以上の部分のうちの少なくとも１つを確保するためにプリアンブル信号を生成する。ｅＮｏｄｅＢ３９５は、Ｓｃｅｌｌ非ライセンス無線周波数帯域の１つ以上の部分のうちの少なくとも１つを確保するために、ＣＣＡ時間周期の後にＳｃｅｌｌ非ライセンス無線周波数帯域においてプリアンブル信号を送信することができる。いくつかの実施形態では、ｅＮｏｄｅＢ３９５は、次の送信のために非ライセンス無線周波数帯域の少なくとも一部分を確保するために、例えば１〜４ミリ秒にわたる固定長時間周期の間、プリアンブル信号を送信することによって、Ｓｃｅｌｌ非ライセンス無線周波数帯域においてプリアンブル信号を送信することができ、その間に、他の無線通信デバイスが、プリアンブルを検出し、それにより、ｅＮｏｄｅＢ３９５は、ｅＮｏｄｅＢ３９５による送信のための非ライセンス無線周波数帯域の少なくとも一部分を確保しようとしていることを検出することができる。いくつかの実施形態では、ｅＮｏｄｅＢ３９５は、例えば、将来の送信のために非ライセンス無線周波数帯域の一部分を確保するためにプリアンブルを送信することに加えて、ＬＴＥ−Ｕ対応無線通信デバイスによる時間同期及び／又は周波数同期のための信号を提供するために、Ｓｃｅｌｌ非ライセンス無線周波数帯域においてプリアンブル信号を送信することができる。
【００６６】
いくつかの実施形態では、ｅＮｏｄｅＢ３９５は、Ｐｃｅｌｌライセンス無線周波数帯域のＰＤＳＣＨ物理チャネル上でのＤＬデータ通信のスケジュールを示すために、Ｐｃｅｌｌライセンス無線周波数帯域においてダウンリンク制御情報（downlink control information：ＤＣＩ）を通信する。いくつかの実施形態では、ｅＮｏｄｅＢ３９５は、Ｓｃｅｌｌ非ライセンス無線周波数帯域のＰＤＳＣＨ物理チャネル上でのＤＬデータ通信のスケジュールを示すために、Ｐｃｅｌｌライセンス無線周波数帯域においてダウンリンク制御情報（downlink control information：ＤＣＩ）を通信する。いくつかの実施形態では、ｅＮｏｄｅＢ３９５は、Ｓｃｅｌｌ非ライセンス無線周波数帯域のＰＤＳＣＨ物理チャネル上でのＤＬデータ通信のスケジュールを示すために、Ｓｃｅｌｌ非ライセンス無線周波数帯域においてダウンリンク制御情報（downlink control information：ＤＣＩ）を通信する。ＵＥ３９６は、Ｐｃｅｌｌライセンス無線周波数帯域のＰＤＳＣＨ物理チャネルでＤＬデータを受信し、Ｐｃｅｌｌライセンス無線周波数帯域のＰＵＣＣＨ物理チャネルで１つ以上のＨＡＲＱ  ＡＣＫ／ＮＡＣＫメッセージを用いて応答することができる。ＵＥ３９６はまた、Ｓｃｅｌｌ非ライセンス無線周波数帯域のＰＤＳＣＨ物理チャネルでＤＬデータを受信し、Ｓｃｅｌｌ非ライセンス無線周波数帯域のＰＵＣＣＨ物理チャネルで１つ以上のＨＡＲＱ  ＡＣＫ／ＮＡＣＫメッセージを用いて応答することができる。したがって、いくつかの実施形態では、ｅＮｏｄｅＢ３９５から、Ｐｃｅｌｌライセンス無線周波数帯域及び／又はＳｃｅｌｌ非ライセンス無線周波数帯域においてＤＬデータを通信し、Ｐｃｅｌｌ  ＤＬデータとＳｃｅｌｌ  ＤＬデータの双方について、Ｐｃｅｌｌライセンス無線周波数帯域においてＤＬ制御情報を通信することができる。いくつかの実施形態では、その代わりに、Ｐｃｅｌｌライセンス無線周波数帯域のＰＤＣＣＨ物理チャネルで当該情報を搬送することができるので、ＰＤＣＣＨ物理チャネルは、Ｓｃｅｌｌ非ライセンス無線周波数帯域に必要ではない。いくつかの実施形態では、Ｐｃｅｌｌライセンス無線周波数帯域においてＰｃｅｌｌ  ＤＬデータについてのＤＬ制御情報を通信することができ、Ｓｃｅｌｌ非ライセンス無線周波数帯域においてＳｃｅｌｌ  ＤＬデータについてのＤＬ制御情報を通信することができる。いくつかの実施形態では、ＵＬは、Ｐｃｅｌｌ  ＤＬデータ及びＳｃｅｌｌ  ＤＬデータに応答し、例えばＰｃｅｌｌライセンス無線周波数帯域において、ＨＡＲＱ  ＡＣＫ／ＮＡＣＫメッセージを通信することができる。
【００６７】
Ｓｃｅｌｌ非ライセンス無線周波数帯域におけるｅＮｏｄｅＢ３９５からＵＥ３９６へのＤＬデータ送信は、（図３Ｋに「Ｄ」で示す）ダウンリンクサブフレームの境界に制限することができる。いくつかの実施形態では、Ｓｃｅｌｌ非ライセンス無線周波数帯域におけるｅＮｏｄｅＢ３９５からＵＥ３９６へのＤＬデータ送信は、例えば最長４ミリ秒又は最長５ミリ秒、あるいは別の固定時間周期までの最長連続時間周期を境界とすることができる。例えばクリアチャネル評価機構に基づいて、Ｓｃｅｌｌ非ライセンス無線周波数帯域の一部分が「利用可能でない」とｅＮｏｄｅＢ３９５が判定した時には、ｅＮｏｄｅＢ３９５は、バックオフ時間周期後にクリアチャネル評価検知を反復することができる。いくつかの実施形態では、ｅＮｏｄｅＢ３９５は、Ｓｃｅｌｌ非ライセンス無線周波数帯域の一部分が（ｅＮｏｄｅＢ３９５がＳｃｅｌｌ非ライセンス無線周波数帯域においてＤＬデータを送信しようとするＤＬサブフレームの全ＣＣＡ部分内で）利用可能でないとｅＮｏｄｅＢ３９５が判定するたびに、指数関数的に増大するバックオフ時間周期を使用することができる。いくつかの実施形態では、ｅＮｏｄｅＢ３９５は、ＵＥ３９６への送信が生じ得ることをｅＮｏｄｅＢ３９５が判定するために、ＤＬサブフレームのＣＣＡ部分の間における連続検出のたびに時間周期を増大させることができ、例えば、Ｓｃｅｌｌ非ライセンス無線周波数帯域の一部分が「クリア」でなければならない時間周期の値を２倍にすることができる。いくつかの実施形態では、ｅＮｏｄｅＢ３９５は、検出のための最大時間周期をしきい値に、例えば、最高１ミリ秒又は他の固定時間周期までに制限することができる。ｅＮｏｄｅＢ３９５からＵＥ３９６へのＤＬシグナリング及びデータ通信について、ＵＥ３９６は、Ｓｃｅｌｌ非ライセンス無線周波数帯域においてＤＬデータを受信するためにＣＣＡ機構を実行する必要がないことがある。
【００６８】
ＵＥ３９６からｅＮｏｄｅＢ３９５へのＵＬデータ送信について、ＵＥ３９６は、スケジューリング要求（scheduling request：ＳＲ）を生成し、Ｐｃｅｌｌライセンス無線周波数帯域のＰＵＣＣＨ物理チャネル上で当該ＳＲを送信することができる。ＳＲは、ｅＮｏｄｅＢ３９５に、ＵＥ３９６がＵＬデータを保留させていることを示すことができる。いくつかの実施形態では、ＵＥ３９６は、ＳＲの一部としての、及び／又はｅＮｏｄｅＢ３９５に通信されたＳＲに伴うバッファステータス報告（buffer status report：ＢＳＲ）を含むことができる。リソースがＰｃｅｌｌライセンス無線周波数帯域及び／又はＳｃｅｌｌライセンス無線周波数帯域における送信のために利用可能である時、ｅＮｏｄｅＢ３９５は、いつ（例えば、どのサブフレームで）、どのセルでＵＬデータの送信を試行するかを示すことができるＵＬリソース許可を生成し、当該ＵＬリソース許可をＵＥ３９６に送信することができる。ＵＬリソース許可は、Ｐｃｅｌｌライセンス無線周波数帯域を使用して、例えば、ダウンリンクサブフレーム又は特別なサブフレームのダウンリンク部分において、ｅＮｏｄｅＢ３９５からＵＥ３９６に通信することができる。いくつかの実施形態では、Ｐｃｅｌｌライセンス無線周波数帯域におけるＵＬリソース許可は、例えば、Ｐｃｅｌｌライセンス無線周波数帯域のＰＤＣＣＨ物理チャネルで提供される制御情報に基づいて、Ｓｃｅｌｌ非ライセンス無線周波数帯域におけるＵＬ送信をスケジュールする「クロススケジューリング」機構を使用することによって、Ｐｃｅｌｌライセンス無線周波数帯域及び／又はＳｃｅｌｌ非ライセンス無線周波数帯域におけるＵＥ３９６のＵＬ送信機会を示すことができる。いくつかの実施形態では、ｅＮｏｄｅＢ３９５は、ＵＥ３９６がＵＬデータを通信することができる複数のサブフレームについての許可をスケジュール及び通信することによって、ＵＥ３９６にＬＴＥ支援アクセス（LTE Assisted Access：ＬＡＡ）を提供することができる。いくつかの実施形態では、複数のサブフレームについての許可は、複数のサブフレームにおけるＵＬ許可を示すためにＰＤＣＣＨ物理チャネルにおけるダウンリンク制御情報（downlink control information：ＤＣＩ）に使用されるフォーマットを拡張することによって通信することができる。いくつかの実施形態では、複数のサブフレームについての許可は、ＰＤＣＣＨ物理チャネルにおけるＤＣＩについての新しいフォーマットを使用して通信することができる。
【００６９】
Ｐｃｅｌｌライセンス無線周波数帯域におけるＵＬ送信についてのＵＬ許可が提供されると、ＵＥ３９６は、例えばＵＬ許可が示すアップリンクサブフレームの間に、Ｐｃｅｌｌライセンス無線周波数帯域のＰＵＳＣＨ物理チャネルでＵＬデータを送信することができる。Ｓｃｅｌｌ非ライセンス無線周波数帯域におけるＵＬ送信についてのＵＬ許可が提供されると、ＵＥ３９６は、ＣＣＡ機構を使用して、リッスンした後にＳｃｅｌｌ非ライセンス無線周波数帯域の一部分において確保及び送信することができる。いくつかの実施形態では、ＵＥ３９６は、任意の他の無線通信デバイスがＳｃｅｌｌ非ライセンス無線周波数帯域の任意の１つ以上の部分を使用しているかどうかを検出することによって、Ｓｃｅｌｌ非ライセンス無線周波数帯域の１つ以上の部分が利用可能であるかどうかを判定することができる。ＵＥ３９６は、ＣＣＡ機構を使用して、Ｓｃｅｌｌ非ライセンス無線周波数帯域において送信する前に少なくとも２０マイクロ秒（又は３４マイクロ秒、あるいは他の固定時間周期）にわたる連続時間周期の間、少なくとも−８２ｄＢのエネルギーレベルを検出することができる。ＵＥ３９６に対するＵＬ許可が、特別なサブフレームの直後のＵＬサブフレームにおけるＵＬ送信機会を示している時、ＵＥ３９６は、例えば、ｅＮｏｄｅＢ３９５がＵＥ３９６にＵＬ許可を提供した「Ｕ」サブフレームの直前の「ｓ」サブフレームのＵｐＰＴＳ時間周期の間に、ＣＣＡ機構の少なくとも一部分の特別なサブフレームのアップリンク部分を使用することができる。Ｓｃｅｌｌ非ライセンス無線周波数帯域の一部分が利用可能であるとＵＥ３９６が判定した時には、ＵＥ３９６は、Ｓｃｅｌｌ非ライセンス無線周波数帯域のＰＵＳＣＨ物理チャネルで、ＵＬデータを送信することができる。Ｓｃｅｌｌ非ライセンス無線周波数帯域におけるＵＥ３９６によるｅＮｏｄｅＢ３９５へのＤＬデータ送信は、「許可」サブフレームの境界に制限することができる。図３Ｌに示すように、Ｐｃｅｌｌライセンス無線周波数帯域とＳｃｅｌｌ非ライセンス無線周波数帯域の双方におけるフレームフォーマット（例えば、ＴＤＤ−ＬＴＥ通信のためのサブフレーム指定及び時間割り当て）を、双方の無線周波数帯域において同じフレーム及びサブフレーム境界を使用するためにタイムアラインすることができる。ＵＥ３９６は、ｅＮｏｄｅＢ３９５から受信したＵＬ許可に基づいて、Ｓｃｅｌｌ非ライセンス無線周波数帯域において送信することができる。いくつかの実施形態では、ｅＮｏｄｅＢ３９５は、Ｓｃｅｌｌ非ライセンス無線周波数帯域におけるＵＥ３９６による連続送信が、例えば最長４ミリ秒又は最長５ミリ秒までの固定時間周期以下に制限できることを保証することができる。いくつかの実施形態では、ｅＮｏｄｅＢ３９５は、ＵＥ３９６によるＵＬ送信が規制的制約に準拠することを保証することができる。
【００７０】
例えばＣＣＡ機構に基づいて、Ｓｃｅｌｌ非ライセンス無線周波数帯域の一部分がＵＬ送信のために利用可能でないとＵＥ３９６が判定した時には、ＵＥ３９６は、後続の正常なＣＣＡ判定の後に、例えば、ＵＬ許可によりｅＮｏｄｅＢ３９５によるＵＥ３９６への複数のＵＬ送信機会が提供された時に、ＵＬデータを送信することができる。いくつかの実施形態では、ＵＥ３９６が、ＵＬ許可により提供された１つ以上の時間周期でＵＬデータを送信することができない時には、ＵＥ３９６は、ＵＬデータが「失われた」とみなすことができる。
【００７１】
図３Ｌに示すように、ｅＮｏｄｅＢ３９５は、Ｐｃｅｌｌライセンス無線周波数帯域のＰＨＩＣＨ物理チャネルで返信することによって、ＵＥ３９６から受信したＵＬデータについてのＨＡＲＱ  ＡＣＫ／ＮＡＣＫメッセージをＰｃｅｌｌライセンス無線周波数帯域又はＳｃｅｌｌ非ライセンス無線周波数帯域において送信することができる。ｅＮｏｄｅＢ３９５が、（例えば、「レガシー」ＬＴＥ／ＬＴＥ−Ａ無線通信プロトコルに従って）単一のＵＬ送信機会を有するＵＥ３９６を構成した時、ｅＮｏｄｅＢ３９５は、ＨＡＲＱ  ＡＣＫ／ＮＡＣＫメッセージをＰｃｅｌｌライセンス無線周波数帯域の対応するダウンリンクサブフレームで送信することができる。いくつかの実施形態では、ｅＮｏｄｅＢ３９５は、Ｐｃｅｌｌライセンス無線周波数帯域のＰＤＣＣＨにおける（Ｐｃｅｌｌライセンス無線周波数帯域又はＳｃｅｌｌ非ライセンス無線周波数帯域についての）ＵＬ許可、並びにＰｃｅｌｌライセンス無線周波数帯域のＰＨＩＣＨにおける（Ｐｃｅｌｌライセンス無線周波数帯域又はＳｃｅｌｌ非ライセンス無線周波数帯域において受信したＵＬデータに応答する）ＨＡＲＱ  ＡＣＫ／ＮＡＣＫメッセージなどの、シグナリングメッセージを通信する。いくつかの実施形態では、ＵＥ３９６が、Ｐｃｅｌｌライセンス無線周波数帯域のＰＨＩＣＨ物理チャネルでＨＡＲＱ  ＮＡＣＫメッセージを受信した時には、ＵＥ３９６は、例えば「レガシー」ＬＴＥ／ＬＴＥ−Ａ無線通信プロトコルに従って、別のＵＬ許可において提供された１つ以上の後続のＵＬ機会の間にＵＬデータを再送信することができる。ｅＮｏｄｅＢ３９５が、例えば、新しい及び／又は拡張したＰＤＣＣＨ  ＤＣＩフォーマットによる拡張した許可機構を使用して、Ｓｃｅｌｌ非ライセンス無線周波数帯域における複数のＵＬ送信機会を有するＵＥ３９６を構成した時には、ＵＥ３９６は、最初の「利用可能な」ＵＬ送信機会にＵＬデータを送信することができ、例えば、ＣＣＡ機構を使用して、Ｓｃｅｌｌ非ライセンス無線周波数帯域の一部分が利用可能であるかどうかを判定し、Ｓｃｅｌｌ非ライセンス無線周波数帯域の一部分がＵＬ送信のために利用可能である時に（ＵＬ許可に示されているように１つ以上のＵＬサブフレームの間に）ＵＬデータを送信することができる。ｅＮｏｄｅＢ３９５は、ｅＮｏｄｅＢ３９５がスケジュールとおりにＵＬデータを受信するか、あるいは構成されたＵＬ送信機会のうち最後が生ずるまで、ＵＬ送信が成功したか、失敗したかを判定することができない。したがって、ＵＬデータを受信して対応するＨＡＲＱ  ＡＣＫ／ＮＡＣＫメッセージを生成及び送信するまで、あるいは、全ての構成されたＵＬ送信機会が生じて、対応するＨＡＲＱ  ＡＣＫ／ＮＡＣＫメッセージを生成し、ＵＥ３９６に送信するまで、ｅＮｏｄｅＢ３９５待機することができる。いくつかの実施形態では、ｅＮｏｄｅＢ３９５は、Ｐｃｅｌｌライセンス無線周波数帯域のＰＨＩＣＨ物理チャネルおける「拡張した」ＵＬ許可によりＵＥ３９６提供された複数のＵＬ送信機会に対応する、「バンドルされた」ＨＡＲＱ  ＡＣＫ／ＮＡＣＫメッセージを送信することができる。ｅＮｏｄｅＢ３９５からＨＡＲＱ  ＮＡＣＫを受信したことに応じて、ＵＥ３９６は、後続のＵＬ送信機会の間にＵＬデータをｅＮｏｄｅＢ３９５に再送信することができる。ＵＥ３９６が、Ｓｃｅｌｌ非ライセンス無線周波数帯域においてＵＬデータを再送信する時には、ＵＥ３９６はＣＣＡ機構を使用して、ＨＡＲＱ  ＮＡＣＫメッセージを受信したことに応じてＵＬデータを再送信する前に、Ｓｃｅｌｌ非ライセンス無線周波数帯域の一部分が利用可能であるかどうかを確認することができる。
【００７２】
図４Ａは、いくつかの例示的実施形態に係る、ＬＴＥ−Ｕ対応無線通信デバイス上に実装され得る装置４００のブロック図を示している。以下で図４Ａに例示され、同図に関して記載される構成要素、デバイス又は要素は、必須ではなく、したがって、一部は、特定の実施形態において省略できることが理解されよう。更に、いくつかの実施形態は、図４Ａに例示され、同図に関して記載されるものに加えて、又はそれらとは別の、構成要素、デバイス又は要素を含み得る。更に、いくつかの例示的実施形態では、Ｐｃｅｌｌライセンス無線周波数帯域のプライマリコンポーネントキャリア及びＳｃｅｌｌ非ライセンス無線周波数帯域のセカンダリコンポーネントキャリアを介したキャリアアグリゲーションを含む、複数の無線周波数帯域を使用して動作するために、ＬＴＥ−Ｕ対応無線通信デバイスの機能を集合的に提供することができる複数のコンピューティングデバイスにわたって装置４００の１つ以上の構成要素を分散できることが理解されよう。装置４００は、ライセンス無線周波数帯域及び非ライセンス無線周波数帯域において同時に通信の管理を行うことができる。装置４００は、更に、ＬＴＥ−Ｕ対応無線通信デバイスと、同一の非ライセンス無線周波数帯域の少なくとも一部分を共有するように構成された他の「非セルラー」無線通信デバイスとの間での、非ライセンス無線周波数帯域の周波数チャネル（及び／又は無線周波数帯域幅）の時間共有を行うことができる。
【００７３】
いくつかの例示的実施形態では、装置４００は、本明細書に開示される１つ以上の実施形態に係るアクションを実行するように構成可能な処理回路４１０を含むことができる。この点に関し、処理回路４１０は、各種の例示的実施形態に係る装置４００の１つ以上の機能を実行するように、及び／又は実行を制御するよう構成することができ、それにより、種々の例示的実施形態に係る装置４００の機能を実行する手段を提供することができる。処理回路４１０は、１つ以上の実施形態例によるデータ処理、アプリケーション実行及び／又は他の処理、並びに管理サービスを実行するように構成できる。
【００７４】
いくつかの実施形態では、装置４００、又は処理回路４１０など装置４００の部分（単数又は複数）若しくは構成要素（単数又は複数）は、１つ以上のチップをそれぞれ含み得る１つ以上のチップセットを含むことができる。そのため、装置４００の処理回路４１０及び／又は１つ以上の更なる構成要素は、場合によっては、１つ以上のチップを含むチップセット上で一実施形態を実装するように構成することができる。装置４００の１つ以上の構成要素がチップセットとして具体化されるいくつかの例示的実施形態では、そのチップセットにより、コンピューティングデバイス（単数又は複数）に実装される、又は場合によってはコンピューティングデバイス（単数又は複数）に動作可能に結合された時、ライセンス無線周波数帯域及び非ライセンス無線周波数帯域にわたるキャリアアグリゲーションを使用して、ライセンス無線周波数帯域の無線周波数チャネルと共に非ライセンス無線周波数帯域の無線周波数チャネルを使用して動作する、ＬＴＥ−Ｕ対応無線通信デバイスとして、当該コンピューティングデバイス（単数又は複数）が動作することを可能にすることができる。いくつかの実施形態では、処理回路４１０は、プロセッサ４０２を含み得、図４Ａに示すようないくつかの実施形態では、メモリ４０４を更に含むことができる。処理回路４１０は、セルラーベースバンドプロセッサ４１４を含むことができるセルラー無線サブシステム４０８と、ＷＬＡＮベースバンドプロセッサ４１６を含むことができるＷＬＡＮ無線サブシステム４１２とを含む、複数の無線サブシステムと通信することができ、又は場合によってはそれらを制御することができる。処理回路４１０はまた、セルラー無線サブシステム４０８及びＷＬＡＮ無線サブシステム４１２を使用して接続を管理するために、ルール及び／又はアクションを提供することができるデュアル無線マネージャモジュール４０６と通信することができる。
【００７５】
プロセッサ４０２は、様々な形で具体化できる。例えば、プロセッサ４０２は、マイクロプロセッサ、コプロセッサ、コントローラ、又は、例えば、特定用途向け集積回路（ＡＳＩＣ）、フィールドプログラマブルゲートアレイ（ＦＰＧＡ）、それらのいくつかの組み合わせなどの集積回路を含む種々の他のコンピューティングデバイス若しくは処理デバイスなど、種々の処理ハードウェアベースの手段として具体化することができる。単一のプロセッサとして示されているが、プロセッサ４０２は複数のプロセッサを含むことができることは理解されるであろう。複数のプロセッサが互いに動作通信可能で、本明細書に記載される装置４００の１つ以上の機能を実行するよう一体に構成できる。複数のプロセッサを含む実施形態では、複数のプロセッサは、単一のコンピューティングデバイスに実装することができ、あるいは、ＬＴＥ−Ｕ対応無線通信デバイスの機能を集合的に提供することができる複数のコンピューティングデバイスにわたって分散させることができる。いくつかの例示的実施形態では、プロセッサ４０２は、メモリ４０４に記憶され得る命令、又はそうでなければプロセッサ４０２がアクセスできる命令を実行するように構成することができる。そのため、プロセッサ４０２は、ハードウェア又はハードウェアとソフトウェアとの組み合わせのどちらによって構成されていても、それに応じて構成されつつ、種々の実施形態に係る動作を実行することができる。
【００７６】
いくつかの例示的実施形態では、メモリ４０４は、１つ以上のメモリデバイスを含むことができる。メモリ４０４は、固定型及び／又は着脱式メモリデバイスを含むことができる。いくつかの実施形態ではメモリ４０４は、プロセッサ４０２によって実行され得るコンピュータプログラム命令を記憶できる非一時的コンピュータ可読記憶媒体を提供することができる。この点に関し、メモリ４０４は、装置４００が１つ以上の例示的実施形態に係る様々な機能を実行することを可能にするための情報、データ、アプリケーション、命令及び／又は同様のものを記憶するように構成することができる。複数のメモリデバイスを含む実施形態では、複数のプロセッサは、単一のメモリデバイスに実装することができ、あるいは、ＬＴＥ−Ｕ対応無線通信デバイスの機能を集合的に提供することができる複数のコンピューティングデバイスにわたって分散させることができる。いくつかの実施形態では、メモリ４０４は、装置４００の構成要素間で情報を渡すために、１つ以上のバスを介して、プロセッサ４０２、デュアル無線マネージャモジュール４０６、セルラー無線サブシステム４０８、及び／又はＷＬＡＮ無線サブシステム４１２のうちの１つ以上と通信することができる。
【００７７】
装置４００は、複数の無線サブシステム、例えば、セルラー無線サブシステム４０８及びＷＬＡＮ無線サブシステム４１２を更に含むことができる。無線サブシステム４０８／４１２は、他の無線通信デバイス及び／又は無線ネットワークとの通信を可能とするための１つ以上の機構を含むことができる。例えば、ＷＬＡＮ無線サブシステム４１２は、装置４００がＷＬＡＮ上で通信することを可能にするように構成することができる。装置４００は、無線通信プロトコルに従った通信をそれぞれが提供することができる複数の無線サブシステムを含むことができる。いくつかの実施形態では、装置４００の複数の無線サブシステム、例えばセルラー無線サブシステム４０８及びＷＬＡＮ無線サブシステム４１２は、通信経路４１８を介して直接、又は、処理回路４１０との通信を通じて間接的に、互いに通信することができる。
【００７８】
装置４００は、デュアル無線マネージャモジュール４０６を更に含むことができる。デュアル無線マネージャモジュール４０６は、回路、ハードウェア、非一時的コンピュータ可読媒体（例えば、メモリ４０４）上に記憶されたコンピュータ可読プログラム命令を含み、処理デバイス（例えば、プロセッサ４０２）によって実行されるコンピュータプログラム製品、又はこれらのいくつかの組み合わせなどの、様々な手段として具体化することができる。いくつかの実施形態では、プロセッサ４０２（又は処理回路４１０）は、デュアル無線マネージャモジュール４０６を含むことができる、又は場合によっては制御することができる。デュアル無線マネージャモジュール４０６は、複数の無線通信プロトコルを使用して、及び／又は複数の無線周波数帯域を使用する通信（キャリアアグリゲーションを介してライセンス無線周波数帯域チャネルと非ライセンス無線周波数帯域チャネルとを一緒に使用する通信を含むがそれには限定されない）をサポートする無線通信プロトコルを使用して、無線通信をサポートするように構成することができる。また、デュアル無線マネージャモジュール４０６は、例えば、複数の無線サブシステム４０８／４１２間の共存干渉、及び／又は非ライセンス無線周波数帯域を共有する他の無線通信デバイスとの共存干渉を緩和するために、複数の無線サブシステム４０８／４１２を使用して通信の管理を行うように構成することができる。
【００７９】
図４Ｂは、１つ以上のプロセッサ４０２及びメモリ４０４を有する処理回路４１０、セルラーベースバンドプロセッサ４１４を有するセルラー無線サブシステム４０８、１つ以上の送受信器４４８、及びＲＦアナログフロントエンド回路のセット４４６を含む無線通信デバイス（例えば、ＵＥ１０６、ＬＴＥ準拠ＵＥ２０４／２０８、ＬＴＥ−Ａ準拠ＵＥ２０６、ＬＴＥ−Ｕ対応ＵＥ２５２）の構成要素のブロック図４５０を示している。セルラー無線サブシステム４０８は、１つ以上のアンテナのセットを、例えば、プライマリアンテナ４３８及びダイバーシチアンテナ４４０を含むＲＦフロントエンド４３６を含むことができ、ＲＦフロントエンド４３６は、サポートＲＦ回路と、例えばプライマリＲＦのＴｘ／Ｒｘ１  ４４２のコンポーネントブロック及びダイバーシチＲＦのＲｘ２  ４４４のコンポーネントブロックと相互接続することができる。プライマリＲＦのＴｘ／Ｒｘ１  ４４２のコンポーネントブロックは、対応するアンテナを介した、例えばプライマリアンテナ４３８、ダイバーシチアンテナ４４０、又はプライマリアンテナ３３８とダイバーシチアンテナ４４０の双方を介したアナログ信号の送信及び／又は受信に整合するように「チューニング」することができるフィルタ及び他のアナログコンポーネントを含むことができる。いくつかの実施形態では、ＲＦフロントエンド４３６は、プロセッサ（単数又は複数）４０２／４１４から直接的、又はセルラー無線サブシステム４０８における他の構成要素を介して間接的のどちらかによって、セルラーベースバンドプロセッサ４１４及び／又は処理回路４１０から通信された信号（例えば、デジタル制御信号）によって制御することができる。
【００８０】
処理回路４１０及び／又はセルラーベースバンドプロセッサ４１４は、種々の実装形態に従って、無線通信デバイスの１つ以上の機能を実行する、及び／又はその機能の性能を制御するように構成することができる。処理回路４１０及び／又はセルラー無線サブシステム４０８における処理回路は、１つ以上の実施形態に従って、例えば、プロセッサ４０２及び／又はセルラーベースバンドプロセッサ４１４において命令を実行することにより、ライセンス無線周波数帯域と非ライセンス無線周波数帯域の双方にわたるキャリアアグリゲーションを介して複数のコンポーネントキャリアを使用して通信するように、セルラー無線サブシステムを動作させるための機能を提供することができる。この点に関し、処理回路４１０及び／又はセルラーベースバンドプロセッサ４１４は、種々の実装形態に従って、無線通信デバイスの１つ以上の機能を実行する、及び／又はその機能の性能を制御するように構成することができ、したがって、非ライセンス無線周波数帯域及びライセンス無線周波数帯域を並列に使用するキャリアアグリゲーションに従った機能動作を提供することができる。処理回路４１０は、本開示の１つ以上の実施形態に係るデータ処理、アプリケーション実行及び／又は他デバイス機能を実行するように更に構成され得る。
【００８１】
無線通信デバイス、又は処理回路４１０及びセルラーベースバンドプロセッサ４１４などの無線通信デバイスの一部分若しくはその構成要素は、それぞれが任意の数の結合されたマイクロチップを含み得る、１つ以上のチップセットを含み得る。処理回路４１０、セルラーベースバンドプロセッサ４１４、及び／又は無線通信デバイスの１つ以上の他の構成要素は、ライセンス無線周波数帯域と非ライセンス無線周波数帯域との組み合わせを使用して管理及び／又は動作するための種々の手順に関連付けられた機能を実装するようにも構成することができる。
【００８２】
いくつかの実施形態では、プロセッサ（単数又は複数）４０２／４１４は、様々な異なる形式で構成され得る。例えば、プロセッサ（単数又は複数）４０４／４１０は、任意の数のマイクロプロセッサ、コプロセッサ、コントローラ、又は、例えば、特定用途向け集積回路（application specific integrated circuit；ＡＳＩＣ）、フィールドプログラマブルゲートアレイ（field programmable gate array；ＦＰＧＡ）、若しくはこれらの任意の組み合わせなどの集積回路を含む、種々の他のコンピューティング実装形態又は処理実装形態に関連付けられてもよい。種々のシナリオでは、無線通信デバイスの複数のプロセッサ４０４／４１０は、互いに動作通信するように結合及び／又は構成することができ、これらの構成要素は、本明細書で更に説明されるように、非ライセンス無線周波数帯域とライセンス無線周波数帯域の双方を並列に使用するキャリアアグリゲーション方式における複数の無線周波数チャネルの管理及び使用のための方法を集合的に実行するように構成することができる。
【００８３】
図４Ｂのブロック図４５０により示されている無線通信デバイスに関して例示及び説明されている構成要素、デバイス要素、及びハードウェアの全てが、本開示にとって必須でなくてもよく、したがって、これらの要素のうちのいくつかは、理にかなった範囲で省略、統合、又はさもなければ修正されてもよいことを理解されたい。更に、いくつかの実装形態では、無線通信デバイスに関連付けられた主題は、図４Ｂの例示に示されたもの以外の追加又は代替構成要素、デバイス要素、又はハードウェアを含むように構成することができる。
【００８４】
図５は、（無線ネットワークの特定の「プライマリ」セルを使用したダウンリンクとアップリンクの双方の通信を含むことができる）プライマリコンポーネントキャリア（primary component carrier；ＰＣＣ）５０２と、（無線ネットワークの別の特定の「セカンダリ」セルからのダウンリンク通信を提供することができる）セカンダリコンポーネントキャリア（secondary component carrier；ＳＣＣ）５０４の双方を使用する制御シグナリング及びデータ通信のブロック図５００を示している。制御プレーンのシグナリング、例えば、非アクセス階層（non-access stratum；ＮＡＳ）シグナリング及び無線リソース制御（radio resource control；ＲＲＣ）シグナリングは、無線通信デバイスへの、例えばユーザ機器（user equipment；ＵＥ）５０６へのプライマリコンポーネントキャリアを介した無線ネットワーク間で通信され得る。ＵＥ５０６は、ＬＴＥ無線通信プロトコル、ＬＴＥ−Ａ無線通信プロトコル、及び／又はＬＴＥ−Ｕ無線通信プロトコルに従って動作する無線ネットワークの１つ以上のｅＮｏｄｅＢ（基地局）と通信することができる、本明細書の他の部分で説明するＬＴＥ及び／又はＬＴＥ−Ａ準拠無線通信デバイス、並びに／あるいはＬＴＥ−Ｕ準拠無線通信デバイスを含むことができる。ＵＥ５０６は、例えば、ＬＴＥ−Ａキャリアアグリゲーション無線アクセス技術（radio access technology；ＲＡＴ）及び／又はＬＴＥ−ＵキャリアアグリゲーションＲＡＴを使用して、ＰＣＣ５０２とＳＣＣ５０４の双方を介して同時に（例えば、ライセンス無線周波数帯域及び非ライセンス無線周波数帯域の双方で同時に）無線ネットワークと通信することが可能であり得る。いくつかの実施形態では、帯域幅の増大と、ダウンリンクデータレート及び／又はスループット性能の増大とを提供するために、ダウンリンク（ＤＬ）データは、ＰＣＣ５０２とＳＣＣ５０４の双方を同時に使用して、即ち、種々のＬＴＥ／ＬＴＥ−Ａ／ＬＴＥ−Ｕ無線通信プロトコルに指定されるキャリアアグリゲーションの形態を採用して、無線ネットワークからＵＥ５０６へと通信される。いくつかの実施形態では、アップリンク（ＵＬ）データは、１つ以上のＬＴＥ／ＬＴＥ−Ａ／ＬＴＥ−Ｕ無線通信プロトコルに従って、ＰＣＣ５０２のみを使用して（ＳＣＣ５０４は使用せずに）、ＵＥ５０６から無線ネットワークへと通信される。したがって、いくつかの実施形態では、ＵＥ５０６は、ダウンリンク方向及び／又はアップリンク方向において、共有された、隣接する、又は別個の周波数帯域における複数の並列の周波数キャリア使用するキャリアアグリゲーションモードを使用するように構成することができる。いくつかの実施形態では、レベル１（Ｌ１）物理（ＰＨＹ）レイヤ制御データ通信５１０は、例えばデフォルト構成によって、及び／又はＬＴＥ／ＬＴＥ−Ａ／ＬＴＥ−Ｕ無線通信プロトコルに従って、ＰＣＣ５０２を介して通信される。いくつかの実施形態では、２つの別個のセルを通るＰＣＣ５０２及びＳＣＣ５０４を介したＵＥ５０６とのパケットデータの通信の協調は、それらのセルの間の「セル間」通信リンク５１４を使用して行うことができる。いくつかの実施形態では、制御プレーンシグナリングを使用して、非ライセンス無線周波数帯域のセカンダリセルの使用をアクティブ化及び非アクティブ化することができる。いくつかの実施形態では、制御プレーンシグナリングを使用して、例えば、非ライセンス無線周波数帯域の複数の周波数チャネル間での周波数チャネルの時間共有及び／又は周波数ホッピングについてのルールを含む、非ライセンス無線周波数帯域における通信に利用可能なセカンダリセルに関する情報を提供することができる。
【００８５】
図６は、いくつかの実施形態に係る、ライセンス無線周波数帯域及び非ライセンス無線周波数帯域における無線通信デバイス、例えば、ＬＴＥ−Ｕ対応無線通信デバイスによる時間分割ベースの通信のための方法を示すフローチャート６００である。ステップ６０２において、ＬＴＥ−Ｕ対応無線通信デバイスは、ライセンス無線周波数（licensed radio frequency；ＲＦ）帯域のプライマリセル（primary cell；Ｐｃｅｌｌ）のプライマリコンポーネントキャリア（primary component carrier；ＰＣＣ）を使用して、無線ネットワークの無線アクセスネットワーク部分との、例えば、セルラー無線ネットワークのｅＮｏｄｅＢとの接続を確立する。いくつかの実施形態では、当該接続は、ＬＴＥ−Ｕ対応無線通信デバイスとｅＮｏｄｅＢとの間に、キャリアアグリゲーションに使用される１つ以上のコンポーネントキャリアの制御を行う無線リソース制御（ＲＲＣ）シグナリング接続を含む。ステップ６０４において、ＬＴＥ−Ｕ対応無線通信デバイスは、ｅＮｏｄｅＢから、ＰｃｅｌｌのＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した少なくとも１つの次のダウンリンク（downlink：ＤＬ）データ送信を示すダウンリンク制御情報（downlink control information：ＤＣＩ）を受信する。ステップ６０６において、ＬＴＥ−Ｕ対応無線通信デバイスは、ｅＮｏｄｅＢから、非ライセンスＲＦ帯域におけるＳｃｅｌｌのＳＣＣを介して、ＤＬデータ送信の少なくとも一部分を受信する。ステップ６０８において、ＬＴＥ−Ｕ対応無線通信デバイスは、受信したＤＬデータ送信の少なくとも一部分が成功したかどうかを判定する。ＬＴＥ−Ｕ対応無線通信デバイスは、ＤＬデータ送信の少なくとも一部分の受信に応じて、ライセンスＲＦ帯域におけるＰｃｅｌｌのＰＣＣを介して、制御メッセージをｅＮｏｄｅＢに送信する。ＤＬデータ送信の少なくとも一部分の受信の成功時には、ＬＴＥ−Ｕ対応無線通信デバイスは、ライセンスＲＦ帯域におけるＰｃｅｌｌのＰＣＣを介して、ハイブリッド自動再送要求（hybrid automatic repeat request：ＨＡＲＱ）肯定応答（acknowledgement：ＡＣＫ）メッセージをｅＮｏｄｅＢに送信する。ＤＬデータ送信の少なくとも一部分の受信が成功しなかった時には、ＬＴＥ−Ｕ対応無線通信デバイスは、ライセンスＲＦ帯域におけるＰｃｅｌｌのＰＣＣを介して、ＨＡＲＱ否定応答（negative acknowledgement：ＮＡＣＫ）メッセージをｅＮｏｄｅＢに送信する。いくつかの実施形態では、ｅＮｏｄｅＢを形成する受信したＤＣＩは更に、ライセンスＲＦ帯域におけるＰｃｅｌｌのＰＣＣを介した少なくとも１つの次のＤＬデータ送信を示す。いくつかの実施形態では、ＬＴＥ−Ｕ対応無線通信デバイスは、ｅＮｏｄｅＢから、ライセンスＲＦ帯域におけるＰｃｅｌｌのＰＣＣを介して、ＤＬデータ送信の少なくとも第２の部分を受信する。いくつかの実施形態では、ＬＴＥ−Ｕ対応無線通信デバイスは、ＤＬデータ送信の少なくとも第２の部分の受信に応じて、ライセンスＲＦ帯域におけるＰｃｅｌｌのＰＣＣを介して、第２の制御メッセージ、例えば、ＨＡＲＱ  ＡＣＫ及び／又はＮＡＣＫを送信する。
【００８６】
図７は、いくつかの実施形態に係る、ライセンス無線周波数帯域及び非ライセンス無線周波数帯域におけるｅＮｏｄｅＢによる時間分割ベースの通信のための方法を示すフローチャート７００である。ステップ７０２において、ｅＮｏｄｅＢは、ライセンスＲＦ帯域におけるＰｃｅｌｌのＰＣＣを使用して、無線通信デバイス、例えばＬＴＥ−Ｕ対応無線通信デバイスへの接続を確立する。いくつかの実施形態では、当該接続は、ＬＴＥ−Ｕ対応無線通信デバイスとｅＮｏｄｅＢとの間に、キャリアアグリゲーションに使用される１つ以上のコンポーネントキャリアの制御を行う無線リソース制御（ＲＲＣ）シグナリング接続を含む。ステップ７０４において、ｅＮｏｄｅＢは、非ライセンスＲＦ帯域におけるＳｃｅｌｌのＳＣＣを介した少なくとも１つの次のダウンリンク（downlink：ＤＬ）データ送信を示すダウンリンク制御情報（downlink control information：ＤＣＩ）を生成し、ＰｃｅｌｌのＰＣＣを介してＬＴＥ−Ｕ対応無線通信デバイスに送信する。ステップ７０６において、ｅＮｏｄｅＢは、非ライセンスＲＦ帯域におけるＳｃｅｌｌのＳＣＣを介して、ＬＴＥ−Ｕ対応無線通信デバイスにＤＬデータを送信する。ステップ７０８において、ｅＮｏｄｅＢは、ＤＬ送信の一部分の受信が成功しなかったことを示すＨＡＲＱ  ＮＡＣＫメッセージをライセンスＲＦ帯域におけるＰｃｅｌｌのＰＣＣを介して受信したことに応じて、非ライセンスＲＦ帯域におけるＳｃｅｌｌのＳＣＣを介して、ＬＴＥ−Ｕ対応無線通信デバイスに、ＤＬデータの少なくとも一部分を再送信する。いくつかの実施形態では、ＤＣＩはまた、（非ライセンスＲＦ帯域におけるＳｃｅｌｌのＳＣＣを介したＤＬデータ送信に加えて）ライセンスＲＦ帯域におけるＰｃｅｌｌのＰＣＣを介した少なくとも１つのＤＬデータ送信を示し、ｅＮｏｄｅＢは、非ライセンスＲＦ帯域におけるＰｃｅｌｌのＰＣＣを介して、少なくともＬＴＥ−Ｕ対応無線通信デバイスにＤＬデータ送信の第２の部分を送信する。
【００８７】
図８は、いくつかの実施形態に係る、ライセンス無線周波数帯域及び非ライセンスＲＦ帯域における無線通信デバイス、例えば、ＬＴＥ−Ｕ対応無線通信デバイスによる時間分割ベースの通信のための別の方法を示すフローチャート８００である。ステップ８０２において、ＬＴＥ−Ｕ対応無線通信デバイスは、ライセンスＲＦ帯域におけるＰｃｅｌｌのＰＣＣを使用して、無線ネットワークの無線アクセスネットワーク部分への、例えば、ｅＮｏｄｅＢへの接続を確立する。いくつかの実施形態では、当該接続は、ＬＴＥ−Ｕ対応無線通信デバイスとｅＮｏｄｅＢとの間に、キャリアアグリゲーションに使用される１つ以上のコンポーネントキャリアの制御を行う無線リソース制御（ＲＲＣ）シグナリング接続を含む。ステップ８０４において、ＬＴＥ−Ｕ対応無線通信デバイスは、ライセンスＲＦ帯域におけるＰｃｅｌｌのＰＣＣを介して、スケジューリング要求（scheduling request：ＳＲ）メッセージをｅＮｏｄｅＢに送信する。いくつかの実施形態では、ＳＲメッセージは、ＬＴＥ−Ｕ対応無線通信デバイスからｅＮｏｄｅＢへの送信のために利用可能な保留中のＵＬデータを示す。ステップ８０６において、ＬＴＥ−Ｕ対応無線通信デバイスは、ｅＮｏｄｅＢから、ライセンスＲＦ帯域におけるＰｃｅｌｌのＰＣＣを介して、ダウンリンク制御情報（downlink control information：ＤＣＩ）を受信する。いくつかの実施形態では、ＤＣＩは、非ライセンスＲＦ帯域におけるＳｃｅｌｌのＳＣＣを介した１つ以上の次のＵＬ送信機会を示す。ステップ８０８において、ＬＴＥ−Ｕ対応無線通信デバイスは、ＵＬ送信機会のうちの１つの間に、非ライセンスＲＦ帯域の少なくとも一部分についてのクリアチャネル評価（clear channel assessment：ＣＣＡ）を実行する。ステップ８１０において、ＬＴＥ−Ｕ対応無線通信デバイスは、非ライセンスＲＦ帯域の少なくとも一部分が送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信する。いくつかの実施形態では、ＬＴＥ−Ｕ対応無線通信デバイスは、ＣＣＡが最初に非ライセンスＲＦ帯域の少なくとも一部分が送信のために利用可能でないと示した時には、バックオフ時間周期にわたって待機した後に、ＵＬ送信機会のうちの１つの間、非ライセンスＲＦ帯域の少なくとも一部分についてのＣＣＡを反復する。いくつかの実施形態では、ＬＴＥ−Ｕ対応無線通信デバイスは、ＵＬ送信機会のうちの１つの間に、それぞれの連続するＣＣＡ試行の間のバックオフ時間周期を増大させる。いくつかの実施形態では、ＬＴＥ−Ｕ対応無線通信デバイスは、ＵＬ送信機会のうちの１つの間に、それぞれの連続するＣＣＡ試行のための時間周期を最大長ＣＣＡ時間周期しきい値まで増大させる。いくつかの実施形態では、ＤＣＩは、非ライセンスＲＦ帯域におけるＳｃｅｌｌのＳＣＣを介した複数のＵＬ送信機会を示す。いくつかの実施形態では、ＬＴＥ−Ｕ対応無線通信デバイスは、非ライセンスＲＦ帯域が、ＵＬ送信機会のうちの１つ（例えば、第１のＵＬ送信機会）の間の送信のために利用可能でない時には、複数の次のＵＬ送信機会のうちの第２の間、非ライセンス��Ｆ帯域の少なくとも一部分についてのＣＣＡを反復する。いくつかの実施形態では、非ライセンスＲＦ帯域の少なくとも一部分が、複数のＵＬ送信機会のうちの第２の間に送信のために利用可能であることをＣＣＡが示した時には、ＬＴＥ−Ｕ対応無線通信デバイスは、非ライセンスＲＦ帯域におけるＳｃｅｌｌのＳＣＣを介して、保留中のＵＬデータの少なくとも一部分をｅＮｏｄｅＢに送信する。いくつかの実施形態では、ＤＣＩは、ライセンスＲＦ帯域におけるＰｃｅｌｌのＰＣＣを介したＵＬ送信機会を示す。いくつかの実施形態では、ＬＴＥ−Ｕ対応無線通信デバイスは、ＵＬ送信機会の間に、ライセンスＲＦ帯域におけるＰｃｅｌｌのＰＣＣを介して、保留中のＵＬデータの少なくとも一部をｅＮｏｄｅＢに送信する。
【００８８】
図９は、いくつかの実施形態に係る、ライセンス無線周波数帯域及び非ライセンスＲＦ帯域における無線ネットワークの無線アクセスネットワーク部分、例えば、ｅＮｏｄｅＢによる時間分割ベースの通信のための別の方法を示すフローチャート９００である。ステップ９０２において、ｅＮｏｄｅＢは、ライセンスＲＦ帯域におけるＰｃｅｌｌのＰＣＣを使用して、無線通信デバイス、例えばＬＴＥ−Ｕ対応無線通信デバイスへの接続を確立する。いくつかの実施形態では、当該接続は、ＬＴＥ−Ｕ対応無線通信デバイスとｅＮｏｄｅＢとの間に、キャリアアグリゲーションに使用される１つ以上のコンポーネントキャリアの制御を行う無線リソース制御（ＲＲＣ）シグナリング接続を含む。ステップ９０４において、ｅＮｏｄｅＢは、ライセンスＲＦ帯域におけるＰｃｅｌｌのＰＣＣを介して、スケジューリング要求（ＳＲ）を受信し、ＳＲメッセージは、ＬＴＥ−Ｕ無線通信デバイスからｅＮｏｄｅＢへのＵＬ送信のために利用可能な保留中のＵＬデータを示す。ステップ９０６において、ｅＮｏｄｅＢは、ＬＴＥ−Ｕ対応無線通信デバイスに、非ライセンスＲＦ帯域におけるＳｃｅｌｌのＳＣＣを介してＵＬデータをｅＮｏｄｅＢが送信することが可能であり得る１つ以上のＵＬ送信機会を示すダウンリンク制御情報（ＤＣＩ）を送信する。ステップ９０８において、ｅＮｏｄｅＢは、非ライセンスＲＦ帯域におけるＳｃｅｌｌのＳＣＣを介して、ＬＴＥ−Ｕ対応無線通信デバイスからＵＬデータの少なくとも一部分を受信したことに応じて、ライセンスＲＦ帯域におけるＰｃｅｌｌのＰＣＣを介して、ＬＴＥ−Ｕ対応無線通信デバイスに制御メッセージを送信する。いくつかの実施形態では、ＵＬデータの少なくとも一部分の受信が成功したとｅＮｏｄｅＢが判定した時には、制御メッセージはＨＡＲＱ  ＡＣＫメッセージを含む。いくつかの実施形態では、ＵＬデータの少なくとも一部分の受信が成功しなかったとｅＮｏｄｅＢが判定した時には、制御メッセージはＨＡＲＱ  ＮＡＣＫメッセージを含む。いくつかの実施形態では、ＤＣＩは更に、ライセンスＲＦ帯域におけるＰｃｅｌｌのＰＣＣを介してＵＬデータの一部を送信する、ＬＴＥ−Ｕ対応無線通信デバイスのためのＵＬ送信機会を示す。いくつかの実施形態では、ｅＮｏｄｅＢは、ライセンスＲＦ帯域におけるＰｃｅｌｌのＰＣＣを介してＬＴＥ−Ｕ対応無線通信デバイスからＵＬデータの少なくとも第２の部分を受信したことに応じて、ライセンスＲＦ帯域におけるＰｃｅｌｌのＰＣＣを介して第２の制御メッセージを送信する。いくつかの実施形態では、ＵＬデータの第２の部分の受信が成功したとｅＮｏｄｅＢが判定した時には、第２の制御メッセージはＨＡＲＱ  ＡＣＫメッセージを含む。いくつかの実施形態では、ＵＬデータの第２の部分の受信が成功しなかったとｅＮｏｄｅＢが判定した時には、第２の制御メッセージはＨＡＲＱ  ＮＡＣＫメッセージを含む。
【００８９】
図１０に、いくつかの実施形態に係る、ＵＥ１０６とすることができる、代表的な電子デバイス１０００のブロック図を提示する。この電子デバイス１０００は、処理サブシステム１０１０、メモリサブシステム１０１２、及びネットワーキングサブシステム１０１４を含む。処理サブシステム１０１０は、計算動作を実行するように構成されている１つ以上のデバイスを含む。例えば、処理サブシステム１０１０は、１つ以上のマイクロプロセッサ、特定用途向け集積回路（ＡＳＩＣ）、マイクロコントローラ、プログラム可能ロジックデバイス、及び／又は１つ以上のデジタル信号プロセッサ（ＤＳＰ）を含むことができる。いくつかの実施形態では、処理サブシステム１０１０は、図４Ａ及び図４Ｂのプロセッサ４０２、デュアル無線マネージャモジュール４０６、及び／又は処理回路４１０の全て又は一部を表すことができる。
【００９０】
メモリサブシステム１０１２は、処理サブシステム１０１０並びに通信サブシステム１０１４に関するデータ及び／又は命令を記憶するための、１つ以上のデバイスを含む。例えば、メモリサブシステム１０１２は、ダイナミックランダムアクセスメモリ（ＤＲＡＭ）、スタティックランダムアクセスメモリ（ＳＲＡＭ）、読み出し専用メモリ（ＲＯＭ）、及び／又は他のタイプのメモリを含むことができる。いくつかの実施形態では、メモリサブシステム１０１２内の処理サブシステム１０１０のための命令は、処理サブシステム１０１０により実行され得る、１つ以上のプログラムモジュール又は命令のセット（プログラムモジュール１０２２又はオペレーティングシステム１０２４など）を含む。例えば、ＲＯＭは、実行されるプログラム、ユーティリティ又はプロセスを不揮発に記憶することができ、ＤＲＡＭは、揮発性データ記憶を提供することができ、電子デバイスの動作に関係する命令を記憶することができる。１つ以上のコンピュータプログラムは、コンピュータプログラム機構又はソフトウェアを構成することができることに留意されたい。更に、メモリサブシステム１０１２内の様々なモジュール内の命令は、高水準手続き型言語、オブジェクト指向プログラム言語、並びに／又はアセンブリ言語若しくは機械語で実装され得る。更に、プログラムミング言語は、処理サブシステム１０１０によって実行されるようにコンパイル又は解釈実行され得、例えば、そのように構成可能であり得る、又は構成され得る（これらは本明細書において互換的に使用され得る）。いくつかの実施形態では、１つ以上のコンピュータプログラムは、１つ以上のコンピュータプログラムを分散して記憶し、実行するように、ネットワーク結合されたコンピュータシステム上に分散している。いくつかの実施形態では、メモリサブシステム１０１２は、図４Ａ及び図４Ｂの処理回路４１０、デュアル無線マネージャモジュール４０６、及び／又はメモリ４０４の全て又は一部を表すことができる。
【００９１】
更には、メモリサブシステム１０１２は、メモリへのアクセスを制御するための機構を含むことができる。いくつかの実施形態では、メモリサブシステム１０１２は、電子デバイスにおいてメモリに結合された１つ以上のキャッシュを含むメモリ階層を含む。これらの実施形態のいくつかでは、当該キャッシュのうちの１つ以上は、処理サブシステム１０１０内に配置される。
【００９２】
いくつかの実施形態では、メモリサブシステム１０１２は、１つ以上の大容量の大記憶デバイス（図示せず）に結合される。例えば、メモリサブシステム１０１２は、磁気若しくは光学ドライブ、ソリッドステートドライブ、又は別のタイプの大記憶デバイスに結合することができる。これらの実施形態では、メモリサブシステム１０１２は、頻繁に使用されるデータ用の高速アクセス記憶装置として、電子デバイスによって使用することができるが、その一方で、大記憶デバイスは、使用頻度の低いデータを記憶するために使用される。
【００９３】
通信サブシステム１０１４は、（例えば、ネットワークオペレーションを実行するために）種々の任意の追加のアンテナパターン又は「ビームパターン」を生成するために制御論理１０１６により選択的にオン及び／又はオフすることができる適応アレイで、制御論理１０１６、インタフェース回路１０１８、及びアンテナのセット１０２０（又はアンテナ素子）を含む有線ネットワーク及び／又は無線ネットワークに結合し、それらの上で通信するように構成された１つ以上のデバイスを含む。（図１０にはアンテナのセット１０２０が含まれているが、いくつかの実施形態では、電子デバイス１０００は、アンテナのセット１０２０に結合することができるノード１００８などの１つ以上のノード、例えば、パッドを含む。したがって、電子デバイス１０００は、アンテナのセット１０２０を含んでも、あるいは含まなくてもよい。）例えば、通信サブシステム１０１４としては、Ｂｌｕｅｔｏｏｔｈ（登録商標）通信システム、セルラーネット通信システム（例えば、ＵＭＴＳ、ＬＴＥなどの３Ｇ／４Ｇネットワーク）、ユニバーサルシリアルバス（ＵＳＢ）通信システム、ＩＥＥＥ８０２．１１に記載される標準に基づく通信システム（例えば、Ｗｉ−Ｆｉ（登録商標）通信システム）、イーサネット（登録商標）通信システム、及び／又は別の通信システムを挙げることができる。
【００９４】
通信サブシステム１０１４は、プロセッサ、コントローラ、無線機／アンテナ、ソケット／プラグ、及び／又は、サポートされている各ネットワーキングシステムに結合し、そのネットワーキングシステム上で通信し、そのネットワーキングシステムに関するデータ及びイベントを処理するために使用される、他のデバイスを含む。それぞれの通信システムのための、ネットワークに結合し、その上で通信し、その上のデータ及びイベントを処理するために用いられる機構は、時として、まとめて、通信システムのための「ネットワークインタフェース」と呼ばれることに留意されたい。更に、いくつかの実施形態では、電子デバイス間の「ネットワーク」又は「接続」は、まだ存在しない。したがって、電子デバイス１０００は、電子デバイス間の単純な無線通信を実行する、例えば、アドバタイジングフレーム若しくはビーコンフレームを送信し、並びに／又は他の電子デバイスによって送信されたアドバタイジングフレームをスキャンするために、通信サブシステム１０１４内の機構を使用してもよい。いくつかの実施形態では、通信サブシステム１０１４は、図４Ａ及び図４Ｂのセルラー無線サブシステム４０８、セルラーベースバンドプロセッサ４１４、ＷＬＡＮ無線サブシステム４１２、及び／又はＷＬＡＮベースバンドプロセッサ４１６の全て又は一部分を表すことができる。
【００９５】
電子デバイス１０００内において、処理サブシステム１０１０、メモリサブシステム１０１２、及び通信サブシステム１０１４は、これらの構成要素間でのデータ転送を可能にするバス１０２８を使用して互いに結合される。バス１０２８は、サブシステムが互いの間でコマンド及びデータを通信するために使用することができる電気的、光学的、及び／又は電気光学的接続を含み得る。分かりやすくするために１本のバス１０２８のみが示されているが、異なる実施形態は、異なる数又は構成の電気的、光学的、及び／又は電気光学的接続をサブシステム間に含むことができる。
【００９６】
いくつかの実施形態では、電子デバイス１０００は、ディスプレイ上に情報を表示するための表示サブシステム１０２６を含み、表示サブシステム１０２６は、ディスプレイドライバ、及び液晶ディスプレイ、マルチタッチタッチスクリーンなどのようなディスプレイを含み得る。ユーザに情報（例えば、着信、発信又はアクティブな通信セッションに関する情報）を表示するために、表示サブシステム１０２６を処理サブシステム１０１０により制御してもよい。
【００９７】
電子デバイス１０００はまた、電子デバイス１０００のユーザが電子デバイス１０００と対話することを可能にするユーザ入力サブシステム１０３０も含む。例えば、ユーザ入力サブシステム１０３０は、ボタン、キーパッド、ダイヤル、タッチスクリーン、オーディオ入力インタフェース、視覚／画像キャプチャ入力インタフェース、センサデータの形態を取る入力などのような、様々な形態を取ることができる。
【００９８】
電子デバイス１０００は、少なくとも１つのネットワークインタフェースを有する任意の電子デバイス１０００とすることができる（又は、当該任意の電子デバイス内に含めることができる）。例えば、電子デバイス１０００は、セルラー電話又はスマートフォン、タブレットコンピュータ、ラップトップコンピュータ、ノートブックコンピュータ、パーソナル又はデスクトップコンピュータ、ネットブックコンピュータ、メディアプレーヤデバイス、電子ブックデバイス、ＭｉＦｉ（登録商標）デバイス、スマートウォッチ、ウェアラブルコンピューティングデバイス、ポータブルコンピューティングデバイス、コンシューマー電子デバイス、アクセスポイント、ルーター、スイッチ、通信機器、試験機器、並びに任意の他のタイプの１つ以上の無線通信プロトコルを介した通信を含むことができるワイヤレス通信機能を有する電子コンピューティングデバイスを含み得る。
【００９９】
電子デバイス１０００を説明するために特定の構成要素が用いられているが、代替実施形態では、異なる構成要素及び／又はサブシステムが電子デバイス１０００内に存在してもよい。例えば、電子デバイス１０００は、１つ以上の追加の処理サブシステム、メモリサブシステム、ネットワーキングサブシステム、及び／又は表示サブシステムを含み得る。加えて、これらのサブシステムのうちの１つ以上は、電子デバイス１０００内に存在しないことがある。更には、一部の実施形態では、電子デバイス１０００は、図１０には示されない１つ以上の追加のサブシステムを含み得る。また、図１０には、独立したサブシステムが示されているが、いくつかの実施形態では、所与のサブシステム又は構成要素の一部又は全ては電子デバイス１０００内の他のサブシステム又は構成要素（単数又は複数）の１つ以上の中に統合することができる。例えば、いくつかの実施形態では、オペレーティングシステム１０２４内にプログラムモジュール１０２２が含まれ、及び／又は、インタフェース回路１０１８内に制御論理１０１６が含まれる。
【０１００】
更に、電子デバイス１０００内の回路及び構成要素は、バイポーラ、ＰＭＯＳ及び／又はＮＭＯＳゲート又はトランジスタを含む、アナログ回路機構及び／又はデジタル回路機構の任意の組み合わせを使用して実装され得る。更に、これらの実施形態における信号は、ほぼ離散的な値を有するデジタル信号、及び／又は連続的な値を有するアナログ信号を含み得る。加えて、構成要素及び回路はシングルエンド形又は差動形であってもよく、電源はユニポーラ形又はバイポーラ形であってもよい。
【０１０１】
集積回路（「通信回路」と呼ばれることがある）は、通信サブシステム１０１４の機能の一部又は全てを実装し得る。集積回路は、電子デバイス１０００から無線信号を送信し、電子デバイス１０００において他の電子デバイスから信号を受信するために使用され得るハードウェア及び／又はソフトウェア機構を含み得る。本明細書において説明されている機構を除いて、無線機は当技術分野において一般的に知られており、それゆえ、詳細には説明されない。一般に、通信サブシステム１０１４及び／又は集積回路は任意の数の無線機を含むことができる。複数の無線機の実施形態における無線機は、記載されている単一の無線機の実施形態と同様に機能することに留意されたい。
【０１０２】
いくつかの実施形態では、通信サブシステム１０１４及び／又は集積回路は、無線機（単数又は複数）を、所与の通信チャネル（例えば、所与の搬送周波数）上で送信及び／又は受信するように構成する（１つ以上のハードウェア機構及び／又はソフトウェア機構などの）構成機構を含む。例えば、いくつかの実施形態では、構成機構は、無線機を、所与の通信チャネル上における監視及び／又は伝送から、異なる通信チャネル上における監視及び／又は伝送へ切り換えるために用いることができる。（本明細書において使用されている「監視」は、他の電子デバイスからの信号を受信すること、及び場合によっては、受信した信号に対して１つ以上の処理動作を実行すること、例えば、受信した信号がトリガーを含んでいるかどうかを判定すること、トリガー応答を提供することなど、を含むことに留意されたい。）
【０１０３】
いくつかの実施形態では、本明細書で説明する回路のうちの１つ以上を含む集積回路又は集積回路の一部分を設計するためのプロセスの出力は、例えば磁気テープあるいは光ディスク又は磁気ディスクなどのコンピュータ可読媒体であり得る。コンピュータ可読媒体は、データ構造、あるいは集積回路又は集積回路の一部分として物理的にインスタンス化され得る回路について説明する他の情報を用いて符号化され得る。そのような符号化のために種々のフォーマットが使用され得るが、これらのデータ構造は一般に、Ｃａｌｔｅｃｈ  Ｉｎｔｅｒｍｅｄｉａｔｅ  Ｆｏｒｍａｔ（ＣＩＦ）、Ｃａｌｍａ  ＧＤＳ  ＩＩ  Ｓｔｒｅａｍ  Ｆｏｒｍａｔ（ＧＤＳＩＩ）又はＥｌｅｃｔｒｏｎｉｃ  Ｄｅｓｉｇｎ  Ｉｎｔｅｒｃｈａｎｇｅ  Ｆｏｒｍａｔ（ＥＤＩＦ）で書かれている。集積回路設計の技術分野に精通している者は、上記に詳述したタイプの概略図及び対応する説明からそのようなデータ構造を開発することができ、データ構造をコンピュータ可読媒体上に符号化することができる。集積回路製造の技術分野に精通している者は、そのような符号化されたデータを使用して、本明細書で説明する回路のうちの１つ以上を含む集積回路を製造することができる。
【０１０４】
上記の説明は、例示的な例として無線通信プロトコルを使用したが、他の実施形態では、多種多様な通信プロトコルが、より一般的には無線及び／又は有線の通信技術が使用され得る。したがって、通信技術は、種々のネットワークインタフェースにおいて使用され得る。更に、上記の諸実施形態における動作のいくつかはハードウェア又はソフトウェアの形で実施されたが、一般的には、上記の実施形態における動作は多種多様な構成及びアーキテクチャで実施することができる。したがって、上記の諸実施形態における動作の一部又は全ては、ハードウェアの形、ソフトウェアの形又はその両方の形で実行されてもよい。例えば、通信技術における動作のうちの少なくともいくつかは、プログラムモジュール１０２２、オペレーティングシステム１０２４（インタフェース回路１０１８のためのドライバなど）を使用して、又はインタフェース回路１０１８内のファームウェアで実行され得る。代替的に又は付加的に、通信技術における動作の少なくともいくつかは、物理層において、ＭＡＣレイヤにおいて、並びに／あるいは、インタフェース回路１０１８のハードウェア、ソフトウェア及び／又はファームウェアの組み合わせで実装されるような上位層において実行され得る。
【０１０５】
図１１は、いくつかの例示的実施形態に係る、ＬＴＥ−Ｕ対応無線ネットワーク装置上に実装することができる装置１１００のブロック図を示している。以下で図１１に例示され、同図に関して記載される構成要素、デバイス又は要素は、必須ではなく、したがって、一部は、特定の実施形態において省略できることが理解されよう。加えて、いくつかの実施形態は、図１１に例示され、同図に関して記載されるものに加えて、又はそれらとは別の、構成要素、デバイス又は要素を含み得る。更に、いくつかの例示の実施形態では、Ｐｃｅｌｌライセンス無線周波数帯域のプライマリコンポーネントキャリア及びＳｃｅｌｌ非ライセンス無線周波数帯域のセカンダリコンポーネントキャリアを介したキャリアアグリゲーションを含めて、複数の無線周波数帯域を使用して動作するために、ＬＴＥ−Ｕ対応無線ネットワーク装置の機能を集合的に提供することができる複数のコンピューティングデバイスにわたって、無線ネットワーク装置１１００の１つ以上の構成要素が分散され得ることが理解されよう。無線ネットワーク装置１１００は、ライセンス無線周波数帯域及び非ライセンス無線周波数帯域において通信の管理を同時に行うことができる。いくつかの実施形態では、無線ネットワーク装置１１００は、更に、（ｉ）ＬＴＥ−Ｕ対応無線ネットワーク装置とＬＴＥ−Ｕ対応無線通信デバイスとの間の通信、並びに（ｉｉ）同一の非ライセンス無線周波数帯域の少なくとも一部分を共有するように構成された他の「非セルラー」無線通信デバイスによる無線通信について、非ライセンス無線周波数帯域における周波数チャネル（及び／又は無線周波数帯域幅）の時間共有を行うことができる。いくつかの実施形態では、無線ネットワーク装置１１００は、本明細書で説明する方法を実行するように構成可能な、ｅＮｏｄｅＢ、基地局又は等価ネットワーク機器などのアクセスネットワーク機器を含む。
【０１０６】
いくつかの例示的実施形態では、無線ネットワーク装置１１００は、本明細書に開示される１つ以上の実施形態に係るアクションを実行するように構成可能な処理回路１１１０を含むことができる。この点に関し、処理回路１１１０は、種々の例示的実施形態に係る無線ネットワーク装置１１００の１つ以上の機能を実行するように、及び／又は無線ネットワーク装置１１００の性能を制御するよう構成することができ、それにより、種々の例示的実施形態に係る無線ネットワーク装置１１００の機能を実行する手段を提供することができる。処理回路１１１０は、１つ以上の例示的実施形態に係るデータ処理、アプリケーション実行及び／又は他の処理、並びに管理サービスを実行するように構成することができる。
【０１０７】
いくつかの実施形態では、無線ネットワーク装置１１００、又は処理回路１１１０など無線ネットワーク装置１１００の一部分（単数又は複数）若しくは構成要素（単数又は複数）は、１つ以上のチップをそれぞれ含み得る１つ以上のチップセットを含むことができる。そのため、無線ネットワーク装置１１００の処理回路１１１０及び／又は１つ以上の更なる構成要素は、場合によっては、１つ以上のチップを含むチップセット上で一実施形態を実装するように構成することができる。無線ネットワーク装置１１００の１つ以上の構成要素がチップセットとして具体化されるいくつかの例示的実施形態では、そのチップセットにより、コンピューティングデバイス（単数又は複数）に実装される、又は場合によってはコンピューティングデバイス（単数又は複数）に動作可能なように結合された時、ライセンス無線周波数帯域及び非ライセンス無線周波数帯域にわたるキャリアアグリゲーションを使用して、ライセンス無線周波数帯域の無線周波数チャネルと共に非ライセンス無線周波数帯域の無線周波数チャネルを使用して動作する、ＬＴＥ−Ｕ対応無線ネットワーク装置として、当該コンピューティングデバイス（単数又は複数）が動作することを可能にすることができる。いくつかの実施形態では、処理回路１１１０は、１つ以上のプロセッサ１１０２を含むことができ、図１１に示すようないくつかの実施形態では、メモリ１１０４を更に含むことができる。処理回路１１１０は、セルラー無線サブシステム１１０８を含む１つ以上の無線サブシステムと通信すること、又は場合によっては、１つ以上の無線サブシステムは、１つ以上のセルラーベースバンドプロセッサ１１１４を含むことができる１つ以上の無線サブシステムを制御することができ、無線セルラーサブシステムは、ライセンス無線周波数帯域及び／又は非ライセンス無線周波数帯域の無線周波数チャネルを使用して、例えば、ライセンス無線周波数帯域における通信のためのプライマリコンポーネントキャリア（primary component carrier：ＰＣＣ）及び非ライセンス無線周波数帯域における通信のためのセカンダリコンポーネントキャリア（secondary component carrier：ＳＣＣ）を使用して通信するように構成可能であり、ＰＣＣ及びＳＣＣは、ＬＴＥ−Ｕ対応無線通信デバイスと通信した。処理回路１１１０はまた、セルラー無線サブシステム１１０８を使用して接続を管理するために、ルール及び／又はアクションを提供することができる無線マネージャモジュール１１０６と通信することができる。
【０１０８】
１つ以上のプロセッサ１１０２は、様々な形態で具体化することができる。例えば、１つ以上のプロセッサ１１０２は、マイクロプロセッサ、コプロセッサ、コントローラ、又は、例えば、特定用途向け集積回路（ＡＳＩＣ）、フィールドプログラマブルゲートアレイ（ＦＰＧＡ）、それらのいくつかの組み合わせなどの集積回路を含む他の種々のコンピューティングデバイス若しくは処理デバイスなど、種々の他のハードウェアベースの処理手段として具体化することができる。単一のプロセッサとして示されているが、プロセッサ４０２は複数のプロセッサを備えることができることが理解されるであろう。複数のプロセッサは互いに動作可能に通信することができ、本明細書に記載される無線ネットワーク装置１１００の１つ以上の機能を実行するように集合的に構成することができる。複数のプロセッサを含む実施形態では、複数のプロセッサは、単一のコンピューティングデバイスに実装することができ、あるいは、ＬＴＥ−Ｕ対応無線通信デバイスの機能を集合的に提供することができる複数のコンピューティングデバイスにわたって分散することができる。いくつかの例示的実施形態では、１つ以上のプロセッサ１１０２は、メモリ１１０４に記憶することができる命令、又は場合によっては１つ以上のプロセッサ１１０２がアクセス可能な命令を実行するように構成することができる。そのため、１つ以上のプロセッサ１１０２は、ハードウェア又はハードウェアとソフトウェアとの組み合わせのどちらによって構成されていても、それに応じて構成されつつ、種々の実施形態に係る処理を実行することができる。
【０１０９】
いくつかの例示的実施形態では、メモリ１１０４は、１つ以上のメモリデバイスを含むことができる。メモリ１１０４は、固定型及び／又は着脱式メモリデバイスを含むことができる。いくつかの実施形態では、メモリ１１０４は、１つ以上のプロセッサ１１０２によって実行され得るコンピュータプログラム命令を記憶できる非一時的コンピュータ可読記憶媒体を提供することができる。この点に関し、メモリ１１０４は、無線ネットワーク装置１１００が１つ以上の例示的実施形態に係る様々な機能を実行することを可能にするための情報、データ、アプリケーション、命令及び／又は同様のものを記憶するように構成することができる。複数のメモリデバイスを含む実施形態では、複数のプロセッサは、単一のメモリデバイスに実装することができ、あるいは、ＬＴＥ−Ｕ対応無線ネットワーク装置の機能を集合的に提供することができる複数のコンピューティングデバイスにわたって分散することができる。いくつかの実施形態では、メモリ１１０４は、無線ネットワーク装置１１００の構成要素間で情報を渡すための１つ以上のバスを介して、１つ以上のプロセッサ１１０２、無線マネージャモジュール１１０６、又はセルラー無線サブシステム１１０８のうちの１つ以上と通信することができる。
【０１１０】
無線ネットワーク装置１１００は、１つ以上の無線サブシステム（例えば、セルラー無線サブシステム１１０８）を更に含むことができる。セルラー無線サブシステム１１０８は、無線ネットワーク装置１１００と無線通信デバイス（例えば、ＬＴＥ−Ｕ対応無線通信デバイス）との間に通信を可能にするための１つ以上の機構を含むことができる。無線ネットワーク装置１１００は、無線通信プロトコルに従った通信をそれぞれが提供することができる複数の無線サブシステムを含むことができる。いくつかの実施形態では、無線ネットワーク装置１１００の複数の無線サブシステムは、通信経路（図示せず）を介して直接、又は、処理回路１１１０との通信を通じて間接的に、互いに通信することができる。
【０１１１】
無線ネットワーク装置１１００は、無線マネージャモジュール１１０６を更に含むことができる。無線マネージャモジュール１１０６は、回路、ハードウェア、非一時的コンピュータ可読媒体（例えば、メモリ１１０４）上に記憶された処理デバイス（例えば、プロセッサ１１０２）によって実行されるコンピュータ可読プログラム命令を含む、コンピュータプログラム製品、又はこれらのいくつかの組み合わせなどの、様々な手段として具体化することできる。いくつかの実施形態では、１つ以上のプロセッサ１１０２（又は処理回路１１１０）は、無線マネージャモジュール１１０６を含むことができる、又はそうでなければ制御することができる。無線マネージャモジュール１１０６は、キャリアアグリゲーションを介してライセンス無線周波数帯域チャネルと非ライセンス無線周波数帯域チャネルとを一緒に使用する通信を含むがそれに限定されない、複数の無線通信プロトコルを使用するか及び／又は複数の無線周波数帯域を使用する通信をサポートする無線通信プロトコルを使用して、無線通信をサポートするように構成することができる。無線通信マネージャモジュール１１０６はまた、複数の無線サブシステム、例えばセルラー無線サブシステム１１０８を使用して通信の管理を行って、非ライセンス無線周波数帯域におけるＬＴＥ−Ｕ対応無線通信デバイスとの通信についての共存干渉を緩和するように構成することができる。
代表的な実施形態
【０１１２】
いくつかの実施形態では、無線ネットワークの無線ネットワーク装置は、（ｉ）ライセンス無線周波数（radio frequency：ＲＦ）帯域及び非ライセンスＲＦ帯域において時間分割ベースで通信するように構成可能なセルラー無線サブシステムと、（ｉｉ）セルラー無線サブシステムに通信可能に結合された処理回路と、を含む。処理回路は、無線ネットワーク装置に、（ａ）ライセンスＲＦ帯域におけるプライマリセル（primary cell：Ｐｃｅｌｌ）のプライマリコンポーネントキャリア（primary component carrier：ＰＣＣ）を使用して、無線ネットワーク装置と無線通信デバイスとの間の接続を確立させ、（ｂ）非ライセンスＲＦ帯域におけるセカンダリセル（secondary cell：Ｓｃｅｌｌ）のセカンダリコンポーネントキャリア（secondary component carrier：ＳＣＣ）を介した少なくとも１つの次のダウンリンク（ＤＬ）データ送信を示すダウンリンク制御情報（downlink control information：ＤＣＩ）を生成させ、ＰｃｅｌｌのＰＣＣを介して当該ＤＣＩを無線通信デバイスに送信させ、（ｃ）非ライセンスＲＦ帯域におけるＳｃｅｌｌのＳＣＣを介して、無線通信デバイスに、ＤＬデータ送信を送信させ、（ｄ）無線通信デバイスから、ライセンスＲＦ帯域におけるＰｃｅｌｌのＰＣＣを介して、ＤＬデータ送信の少なくとも一部分の受信が成功しなかったことを示すハイブリッド自動再送要求（hybrid automatic repeat request：ＨＡＲＱ）否定応答（ＮＡＣＫ）メッセージを受信したことに応じて、非ライセンスＲＦ帯域におけるＳｃｅｌｌのＳＣＣを介して、無線通信デバイスに、ＤＬデータ送信の少なくとも一部分を再送信させるように構成することができる。いくつかの実施形態では、ＤＣＩは、ライセンスＲＦ帯域におけるＰｃｅｌｌのＰＣＣを介した少なくとも１つのＤＬデータ送信を更に示し、無線ネットワーク装置の処理回路は、無線ネットワーク装置に、非ライセンスＲＦ帯域におけるＰｃｅｌｌのＰＣＣを介して、無線通信デバイスに、ＤＬデータ送信の少なくとも第２の部分を送信させるように更に構成することができる。
【０１１３】
いくつかの実施形態では、無線ネットワークの無線ネットワーク装置は、（ｉ）ライセンス無線周波数（radio frequency：ＲＦ）帯域及び非ライセンスＲＦ帯域において時間分割ベースで通信するように構成可能なセルラー無線サブシステムと、（ｉｉ）セルラー無線サブシステムに通信可能に結合された処理回路であって、無線ネットワーク装置に、（ａ）ライセンスＲＦ帯域におけるプライマリセル（primary cell：Ｐｃｅｌｌ）のプライマリコンポーネントキャリア（primary component carrier：ＰＣＣ）を使用して、無線ネットワーク装置と無線通信デバイスとの間の接続を確立させ、（ｂ）ライセンスＲＦ帯域におけるＰｃｅｌｌのＰＣＣを介して、ネットワーク装置への送信のために利用可能な保留中のアップリンク（uplink：ＵＬ）データを示すスケジューリング要求（scheduling request：ＳＲ）メッセージを受信させ、（ｃ）無線ネットワーク装置から、ＰｃｅｌｌのＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した１つ以上の次のＵＬ送信機会を示すダウンリンク制御情報（downlink control information：ＤＣＩ）を送信させ、（ｄ）無線通信デバイスから、非ライセンスＲＦ帯域におけるＳｃｅｌｌのＳＣＣを介して、ＵＬデータの少なくとも一部分を受信したことに応じて、ライセンスＲＦ帯域におけるＰｃｅｌｌのＰＣＣを介して、無線通信デバイスに、制御メッセージを送信させる、処理回路と、を含む。いくつかの実施形態では、制御メッセージは、ＵＬデータの少なくとも一部分の受信が成功したと無線ネットワーク装置が判定した時には、ハイブリッド自動再送要求（hybrid automatic repeat request：ＨＡＲＱ）肯定応答（acknowledgement：ＡＣＫ）メッセージを含む。いくつかの実施形態では、制御メッセージは、ＵＬデータの少なくとも一部分の受信が成功しなかったと無線ネットワーク装置が判定した時には、ハイブリッド自動再送要求（hybrid automatic repeat request：ＨＡＲＱ）否定応答（negative acknowledgement：ＮＡＣＫ）メッセージを含む。いくつかの実施形態では、ＤＣＩは、ライセンスＲＦ帯域におけるＰｃｅｌｌのＰＣＣを介したＵＬ送信機会を更に示す。いくつかの実施形態では、無線ネットワーク装置の処理回路は、無線通信デバイスから、ライセンスＲＦ帯域におけるＰｃｅｌｌのＰＣＣを介して、ＵＬデータの少なくとも第２の部分を受信したこと応じて、無線ネットワーク装置に、ライセンスＲＦ帯域におけるＰｃｅｌｌのＰＣＣを介して無線通信デバイスに第２の制御メッセージを送信させるように更に構成されている。いくつかの実施形態では、第２の制御メッセージは、ＵＬデータの少なくとも第２の部分の受信が成功したと無線ネットワーク装置が判定した時には、ハイブリッド自動再送要求（hybrid automatic repeat request：ＨＡＲＱ）肯定応答（acknowledgement：ＡＣＫ）メッセージを含む。いくつかの実施形態では、第２の制御メッセージは、ＵＬデータの少なくとも第２の部分の受信が成功したと無線ネットワーク装置が判定した時には、ハイブリッド自動再送要求（hybrid automatic repeat request：ＨＡＲＱ）肯定応答（acknowledgement：ＡＣＫ）メッセージを含む。いくつかの実施形態では、第２の制御メッ���ージは、ＵＬデータの少なくとも第２の部分の受信が成功しなかったと無線ネットワーク装置が判定した時には、ハイブリッド自動再送要求（hybrid automatic repeat request：ＨＡＲＱ）否定応答（negative acknowledgement：ＮＡＣＫ）メッセージを含む。
【０１１４】
いくつかの実施形態では、無線通信デバイスは、（ｉ）処理回路セルラー無線サブシステムと、（ｉｉ）無線ローカルエリアネットワーク（wireless local area network：ＷＬＡＮ）無線サブシステムと、（ｉｉｉ）セルラー無線サブシステム及びＷＬＡＮ無線サブシステムに通信可能に結合された処理回路と、を含む。処理回路は、無線通信デバイスに、（ａ）ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立させ、（ｂ）ｅＮｏｄｅＢから、ＰｃｅｌｌのＰＣＣを介して、非ライセンスＲＦ帯域におけるセカンダリセル（secondary cell：Ｓｃｅｌｌ）のセカンダリコンポーネントキャリア（secondary component carrier：ＳＣＣ）を介した少なくとも１つの次のダウンリンク（downlink：ＤＬ）データ送信を示すダウンリンク制御情報（downlink control information：ＤＣＩ）を受信させ、（ｃ）ｅＮｏｄｅＢから、非ライセンスＲＦ帯域におけるＳｃｅｌｌのＳＣＣを介して、ＤＬデータ送信の少なくとも一部分を受信させ、（ｄ）ＤＬデータ送信の少なくとも一部分を受信したことに応じて、ライセンスＲＦ帯域におけるＰｃｅｌｌのＰＣＣを介して、制御メッセージをｅＮｏｄｅＢに送信させる、ように構成されている。いくつかの実施形態では、制御メッセージは、ＤＬデータ送信の一部分の受信が成功したと無線通信デバイスが判定した時には、ハイブリッド自動再送要求（hybrid automatic repeat request：ＨＡＲＱ）肯定応答（acknowledgement：ＡＣＫ）メッセージを含む。いくつかの実施形態では、制御メッセージは、ＤＬデータ送信の一部分の受信が成功しなかったと無線通信デバイスが判定した時には、ハイブリッド自動再送要求（hybrid automatic repeat request：ＨＡＲＱ）否定応答（negative acknowledgement：ＮＡＣＫ）メッセージを含む。いくつかの実施形態では、ＤＣＩは、ライセンスＲＦ帯域におけるＰｃｅｌｌのＰＣＣを介した少なくとも１つの次のＤＬデータ送信を更に示し、処理回路は、無線通信デバイスに、（ｅ）ｅＮｏｄｅＢから、非ライセンスＲＦ帯域におけるＰｃｅｌｌのＰＣＣを介して、ＤＬデータ送信の少なくとも第２の部分を受信させ、（ｆ）ＤＬデータ送信の少なくとも第２の部分を受信したことに応じて、ライセンスＲＦ帯域におけるＰｃｅｌｌのＰＣＣを介してｅＮｏｄｅＢに第２の制御メッセージを送信させる、ように更に構成されている。いくつかの実施形態では、ＤＣＩは、ライセンスＲＦ帯域におけるＰｃｅｌｌのＰＣＣを介した少なくとも１つの次のＤＬデータ送信を更に示し、処理回路は、無線通信デバイスに、（ｇ）ｅＮｏｄｅＢから、非ライセンスＲＦ帯域におけるＰｃｅｌｌのＰＣＣを介して、ＤＬデータ送信の少なくとも第２の部分を受信させ、ＤＬデータ送信の少なくとも第２の部分を受信したことに応じて、ライセンスＲＦ帯域におけるＰｃｅｌｌのＰＣＣを介してｅＮｏｄｅＢに第２の制御メッセージを送信させる、ように更に構成されている。
【０１１５】
いくつかの実施形態では、無線通信デバイスは、（ｉ）処理回路セルラー無線サブシステムと、（ｉｉ）無線ローカルエリアネットワーク（wireless local area network：ＷＬＡＮ）無線サブシステムと、（ｉｉｉ）セルラー無線サブシステム及びＷＬＡＮ無線サブシステムに通信可能に結合された処理回路と、を含む。処理回路は、無線通信デバイスに、（ａ）ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立させ、（ｂ）ライセンスＲＦ帯域におけるＰｃｅｌｌのＰＣＣを介して、ｅＮｏｄｅＢへの送信のために利用可能な保留中のアップリンク（uplink：ＵＬ）データを示すスケジューリング要求（scheduling request：ＳＲ）メッセージを送信させ、（ｃ）ｅＮｏｄｅＢから、ＰｃｅｌｌのＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した１つ以上の次のＵＬ送信機会を示すダウンリンク制御情報（downlink control information：ＤＣＩ）を受信させ、（ｄ）ＵＬ送信機会のうちの１つの間に、非ライセンスＲＦ帯域の少なくとも一部分についてのクリアチャネル評価（clear channel assessment：ＣＣＡ）を実行させ、（ｅ）非ライセンスＲＦ帯域の少なくとも一部分が送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信させる、ように構成することができる。いくつかの実施形態では、処理回路は、無線通信デバイスに、ＣＣＡが最初に非ライセンスＲＦ帯域の少なくとも一部分が送信のために利用可能でないと示した時には、バックオフ時間周期にわたって待機した後に、ＵＬ送信機会のうちの１つの間、非ライセンスＲＦ帯域の少なくとも一部分についてのＣＣＡを反復するように更に構成することができる。いくつかの実施形態では、処理回路は、無線通信デバイスに、ＵＬ送信機会のうちの１つの間に、試行されるそれぞれの連続するＣＣＡの間のバックオフ時間周期を増大させるように更に構成することができる。いくつかの実施形態では、処理回路は、無線通信デバイスに、１ＵＬ送信機会のうちの１つの間に、試行されるそれぞれの連続するＣＣＡについての時間周期を最大長ＣＣＡ時間周期しきい値まで増大させるように更に構成することができる。いくつかの実施形態では、処理回路は、無線通信デバイスに、ＵＬ送信機会のうちの１つの間に、試行されるそれぞれの連続するＣＣＡについての時間周期を最大長ＣＣＡ時間周期しきい値まで増大させるように更に構成することができる。いくつかの実施形態では、ＤＣＩは、非ライセンスＲＦ帯域におけるＳｃｅｌｌのＳＣＣを介した複数の次のＵＬ送信機会を示す。いくつかの実施形態では、処理回路は、無線通信デバイスに、非ライセンスＲＦ帯域が、ＵＬ送信機会のうちの１つの間の送信のために利用可能ではない時には、複数の次のＵＬ送信機会のうちの第２の間、非ライセンスＲＦ帯域の少なくとも一部分について��ＣＣＡを反復させ、非ライセンスＲＦ帯域の少なくとも一部分が、複数の次のＵＬ送信機会のうちの第２の間の送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信させる、ように更に構成することができる。いくつかの実施形態では、処理回路は、無線通信デバイスに、非ライセンスＲＦ帯域の少なくとも一部分が送信のために利用可能であることをＣＣＡが示した時には、非ライセンスＲＦ帯域におけるＳｃｅｌｌのＳＣＣを介して、保留中のＵＬデータの少なくとも一部分と共にプリアンブルをｅＮｏｄｅＢに送信させる、ように更に構成されている。いくつかの実施形態では、プリアンブルは、保留中のＵＬデータの少なくとも一部分に先行する。いくつかの実施形態では、プリアンブルは、保留中のＵＬデータの少なくとも一部分の一部として送信される。いくつかの実施形態では、無線通信デバイスは、プリアンブルを送信して、保留中のＵＬデータの少なくとも一部分の送信のために非ライセンスＲＦ帯域の少なくとも一部分を確保する。いくつかの実施形態では、無線通信デバイスは、ｅＮｏｄｅＢにプリアンブルを送信して、時間同期及び周波数同期のうちの少なくとも１つを実行するためにｅＮｏｄｅＢを支援する。いくつかの実施形態では、ＤＣＩは、ライセンスＲＦ帯域におけるＰｃｅｌｌのＰＣＣを介した少なくとも１つの追加のＵＬ送信機会を示し、処理回路は、無線通信デバイスに、少なくとも１つの追加のＵＬ送信機会のうちの１つ以上の間に、ライセンスＲＦ帯域におけるＰｃｅｌｌのＰＣＣを介して、保留中のＵＬデータの少なくとも一部をｅＮｏｄｅＢに送信させるように更に構成することができる。いくつかの実施形態では、処理回路は、無線通信デバイスに、ＣＣＡが非ライセンスＲＦ帯域の少なくとも一部分が送信のために利用可能でないと示した時には、バックオフ時間周期にわたって待機した後に、１つ以上の追加のＵＬ送信機会の間、非ライセンスＲＦ帯域の少なくとも一部分についてのＣＣＡを反復させる、ように更に構成されている。いくつかの実施形態では、処理回路は、無線通信デバイスに、非ライセンスＲＦ帯域の少なくとも一部分が送信のために利用可能でないないことを１つ以上の追加のＵＬ送信機会の間に試行された全てのＣＣＡが示した時には、ＵＬ送信の失敗を判定させる、ように更に構成されている。いくつかの実施形態では、ｅＮｏｄｅＢから受信したＤＣＩは、１つ以上の追加のＵＬ送信機会を示す。
【０１１６】
いくつかの実施形態では、ライセンス無線周波数（radio frequency：ＲＦ）帯域及び非ライセンスＲＦ帯域における時間分割ベースの通信のための方法は、無線通信デバイスで実行され、ライセンスＲＦ帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立することと、ｅＮｏｄｅＢから、ＰｃｅｌｌのＰＣＣを介して、非ライセンスＲＦ帯域におけるセカンダリセル（secondary cell：Ｓｃｅｌｌ）のセカンダリコンポーネントキャリア（secondary component carrier：ＳＣＣ）を介した少なくとも１つの次のダウンリンク（downlink：ＤＬ）データ送信を示すダウンリンク制御情報（downlink control information：ＤＣＩ）を受信することと、ｅＮｏｄｅＢから、非ライセンスＲＦ帯域におけるＳｃｅｌｌのＳＣＣを介して、ＤＬデータ送信の少なくとも一部分を受信することと、ＤＬデータ送信の少なくとも一部分を受信したことに応じて、ライセンスＲＦ帯域におけるＰｃｅｌｌのＰＣＣを介して、制御メッセージをｅＮｏｄｅＢに送信することと、のうちの１つ以上を含む。いくつかの実施形態では、制御メッセージは、ＤＬデータ送信の一部分の受信が成功したと無線通信デバイスが判定した時には、ハイブリッド自動再送要求（hybrid automatic repeat request：ＨＡＲＱ）肯定応答（acknowledgement：ＡＣＫ）メッセージを含む。いくつかの実施形態では、制御メッセージは、ＤＬデータ送信の一部分の受信が成功しなかったと無線通信デバイスが判定した時には、ハイブリッド自動再送要求（hybrid automatic repeat request：ＨＡＲＱ）否定応答（negative acknowledgement：ＮＡＣＫ）メッセージを含む。いくつかの実施形態では、ＤＣＩは更に、ライセンスＲＦ帯域におけるＰｃｅｌｌのＰＣＣを介した少なくとも１つのＤＬデータ送信を示し、当該方法は、ｅＮｏｄｅＢから、ライセンスＲＦ帯域におけるＰｃｅｌｌのＰＣＣを介して、ＤＬデータ送信の少なくとも第２の部分を受信することと、ＤＬデータ送信の少なくとも第２の部分を受信したことに応じて、ライセンスＲＦ帯域におけるＰｃｅｌｌのＰＣＣを介して、第２の制御メッセージをｅＮｏｄｅＢに送信することと、を更に含む。
【０１１７】
いくつかの実施形態では、ライセンス無線周波数（radio frequency：ＲＦ）帯域及び非ライセンスＲＦ帯域における時間分割ベースの通信のための方法は、無線通信デバイスで実行され、（ａ）ライセンスＲＦ帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立することと、（ｂ）ライセンスＲＦ帯域におけるＰｃｅｌｌのＰＣＣを介して、ｅＮｏｄｅＢへの送信のために利用可能な保留中のアップリンク（uplink：ＵＬ）データを示すスケジューリング要求（scheduling request：ＳＲ）メッセージを送信することと、（ｃ）ｅＮｏｄｅＢから、ＰｃｅｌｌのＰＣＣを介して、非ライセンスＲＦ帯域のセカンダリセル（secondary cell：Ｓｃｅｌｌ）におけるセカンダリコンポーネントキャリア（secondary component carrier：ＳＣＣ）を介した１つ以上の次のＵＬ送信機会を示すダウンリンク制御情報（downlink control information：ＤＣＩ）を受信することと、（ｄ）ＵＬ送信機会のうちの１つの間に、非ライセンスＲＦ帯域の少なくとも一部分についてのクリアチャネル評価（clear channel assessment：ＣＣＡ）を実行することと、（ｅ）非ライセンスＲＦ帯域の少なくとも一部分が送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信することと、のうちの１つ以上を含む。いくつかの実施形態では、方法は、無線通信デバイスが、非ライセンスＲＦ帯域の少なくとも一部分が送信のために利用可能でないとＣＣＡが最初に示した時には、バックオフ時間周期にわたって待機した後に、ＵＬ送信機会のうちの１つの間、非ライセンスＲＦ帯域の少なくとも一部分についてのＣＣＡを反復すること、を更に含む。いくつかの実施形態では、無線通信デバイスは、ＵＬ送信機会のうちの１つの間に、試行されるそれぞれの連続するＣＣＡの間のバックオフ時間周期を増大させる。いくつかの実施形態では、ＬＴＥ−Ｕ対応無線通信デバイスは、ＵＬ送信機会のうちの１つの間に、試行されるそれぞれの連続するＣＣＡのための時間周期を最大長ＣＣＡ時間周期しきい値まで増大させる。いくつかの実施形態では、ＤＣＩは、非ライセンスＲＦ帯域におけるＳｃｅｌｌのＳＣＣを介した複数の次のＵＬ送信機会を示す。いくつかの実施形態では、方法は、無線通信デバイスが、非ライセンスＲＦ帯域が、ＵＬ送信機会のうちの１つの間の送信のために利用可能ではない時には、複数の次のＵＬ送信機会のうちの第２の間、非ライセンスＲＦ帯域の少なくとも一部分についてのＣＣＡを反復することと、非ライセンスＲＦ帯域の少なくとも一部分が、複数の次のＵＬ送信機会のうちの第２の間の送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信することと、を更に含む。いくつかの実施形態では、方法は、無線通信デバイスが、非ライセンスＲＦ帯域の少なくとも一部分が送信のために利用可能であることをＣＣＡが示した時には、非ライセンス��Ｆ帯域におけるＳｃｅｌｌのＳＣＣを介して、保留中のＵＬデータの少なくとも一部分と共にプリアンブルをｅＮｏｄｅＢに送信すること、を更に含む。いくつかの実施形態では、プリアンブルは、保留中のＵＬデータの少なくとも一部分に先行する。いくつかの実施形態では、プリアンブルは、保留中のＵＬデータの少なくとも一部分の一部として送信される。いくつかの実施形態では、無線通信デバイスは、プリアンブルを送信して、保留中のＵＬデータの少なくとも一部分の送信のために非ライセンスＲＦ帯域の少なくとも一部分を確保する。いくつかの実施形態では、無線通信デバイスは、ｅＮｏｄｅＢにプリアンブルを送信して、時間同期及び周波数同期のうちの少なくとも１つを実行するためにｅＮｏｄｅＢを支援する。いくつかの実施形態では、ＤＣＩは、ライセンスＲＦ帯域におけるＰｃｅｌｌのＰＣＣを介した少なくとも１つの追加のＵＬ送信機会を示し、無線通信デバイスは、少なくとも１つの追加のＵＬ送信機会のうちの１つ以上の間に、ライセンスＲＦ帯域におけるＰｃｅｌｌのＰＣＣを介して、保留中のＵＬデータの少なくとも一部をｅＮｏｄｅＢに送信する。いくつかの実施形態では、方法は、無線通信デバイスが、ＣＣＡが非ライセンスＲＦ帯域の少なくとも一部分が送信のために利用可能でないと示した時には、バックオフ時間周期にわたって待機した後に、１つ以上の追加のＵＬ送信機会の間、非ライセンスＲＦ帯域の少なくとも一部分についてのＣＣＡを反復させること、を更に含む。いくつかの実施形態では、方法は、無線通信デバイスが、非ライセンスＲＦ帯域の少なくとも一部分が送信のために利用可能でないないことを１つ以上の追加のＵＬ送信機会の間に試行された全てのＣＣＡが示した時には、Ｕｌ送信の失敗を判定すること、を更に含む。いくつかの実施形態では、ｅＮｏｄｅＢから受信したＤＣＩは、１つ以上の追加のＵＬ送信機会を示す。
【０１１８】
いくつかの実施形態では、非一時的コンピュータ可読媒体は、無線通信デバイスの１つ以上のプロセッサにより実行された時に、無線通信デバイスに、ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立させ、ｅＮｏｄｅＢから、ＰｃｅｌｌのＰＣＣを介して、非ライセンスＲＦ帯域におけるセカンダリセル（secondary cell：Ｓｃｅｌｌ）のセカンダリコンポーネントキャリア（secondary component carrier：ＳＣＣ）を介した少なくとも１つの次のダウンリンク（downlink：ＤＬ）データ送信を示すダウンリンク制御情報（downlink control information：ＤＣＩ）を受信させ、ｅＮｏｄｅＢから、非ライセンスＲＦ帯域におけるＳｃｅｌｌのＳＣＣを介して、ＤＬデータ送信の少なくとも一部分を受信させ、ＤＬデータ送信の少なくとも一部分を受信したことに応じて、ライセンスＲＦ帯域におけるＰｃｅｌｌのＰＣＣを介して、制御メッセージをｅＮｏｄｅＢに送信させる、実行可能命令を記憶する。
【０１１９】
いくつかの実施形態では、非一時的コンピュータ可読媒体は、無線通信デバイスの１つ以上のプロセッサにより実行された時に、無線通信デバイスに、ライセンス無線周波数（radio frequency：ＲＦ）帯域におけるプライマリセル（primary cell：Ｐｃｅｌｌ）のプライマリコンポーネントキャリア（primary component carrier：ＰＣＣ）を使用して、無線ネットワークの無線通信デバイスとｅＮｏｄｅＢとの間の接続を確立させ、ライセンスＲＦ帯域におけるＰｃｅｌｌのＰＣＣを介して、ｅＮｏｄｅＢへの送信のために利用可能な保留中のアップリンク（uplink：ＵＬ）データを示すスケジューリング要求（scheduling request：ＳＲ）メッセージを送信させ、ｅＮｏｄｅＢから、ＰｃｅｌｌのＰＣＣを介して、非ライセンスＲＦ帯域のセカンダリセル（secondary cell：Ｓｃｅｌｌ）のセカンダリコンポーネントキャリア（secondary component carrier：ＳＣＣ）を介した１つ以上の次のＵＬ送信機会を示すダウンリンク制御情報（downlink control information：ＤＣＩ）を受信させ、ＵＬ送信機会のうちの１つの間に、非ライセンスＲＦ帯域の少なくとも一部分についてのクリアチャネル評価（clear channel assessment：ＣＣＡ）を実行させ、非ライセンスＲＦ帯域の少なくとも一部分が送信のために利用可能であることをＣＣＡが示した時には、非ライセンスＲＦ帯域におけるＳｃｅｌｌのＳＣＣを介して、保留中のＵＬデータの少なくとも一部分をｅＮｏｄｅＢに送信させる、実行可能命令を記憶する。
【０１２０】
前述の説明では、本発明者らは「いくつかの実施形態」に言及している。「いくつかの実施形態」とは、可能な全ての実施形態のサブセットについて説明しているが、必ずしも実施形態の同じサブセットを指定するわけではないことに留意されたい。
【０１２１】
記載された実施形態の様々な態様、実施形態、実装形態、又は特徴は、個別に又は任意の組み合わせで用いることができる。更には、説明される実施形態の一部の態様は、ソフトウェア、ハードウェア、又はハードウェアとソフトウェアとの組み合わせによって実施することができる。説明される実施形態はまた、非一時的コンピュータ可読媒体上に記憶されるコンピュータプログラムコードとしても具現化することができる。このコンピュータ可読媒体は、コンピュータ又はコンピュータシステムによって後に読み出すことが可能なデータを記憶することができる、任意のデータ記憶デバイスに関連付けることができる。コンピュータ可読媒体の例としては、読み出し専用メモリ、ランダムアクセスメモリ、ＣＤ−ＲＯＭ、ソリッドステートディスク（ＳＳＤ、又はフラッシュ）、ＨＤＤ、ＤＶＤ、磁気テープ、及び光学的データ記憶デバイスが挙げられる。コンピュータ可読媒体はまた、コンピュータプログラムコードを分散方式で実行され得るように、ネットワーク結合されたコンピュータシステム上に分散させることもできる。
【０１２２】
前述の説明では、記述する実施形態の完全な理解をもたらすために、説明を目的として特定の専門用語を使用した。しかしながら、それらの具体的詳細の一部は、説明される実施形態を実践するために必須のものではないことが、当業者には明らかとなるであろう。それゆえ、上述の具体的な実施形態の説明は、例示及び説明の目的のために、本明細書で提示される。これらの説明は、網羅的、包括的であることも、又は、説明される実施形態を、開示される厳密な形態若しくは詳細に限定することも意図するものではない。上記の教示を鑑みて、本開示の趣旨及び範囲から逸脱することなく、多くの修正形態及び変形形態が可能であることが、当業者には明らかとなるであろう。
【図１】
0006581658.tif 000002
【図２Ａ】
0006581658.tif 000003
【図２Ｂ】
0006581658.tif 000004
【図２Ｃ】
0006581658.tif 000005
【図２Ｄ】
0006581658.tif 000006
【図３Ａ】
0006581658.tif 000007
【図３Ｂ】
0006581658.tif 000008
【図３Ｃ】
0006581658.tif 000009
【図３Ｄ】
0006581658.tif 000010
【図３Ｅ】
0006581658.tif 000011
【図３Ｆ】
0006581658.tif 000012
【図３Ｇ】
0006581658.tif 000013
【図３Ｈ】
0006581658.tif 000014
【図３Ｉ】
0006581658.tif 000015
【図３Ｊ】
0006581658.tif 000016
【図３Ｋ】
0006581658.tif 000017
【図３Ｌ】
0006581658.tif 000018
【図４Ａ】
0006581658.tif 000019
【図４Ｂ】
0006581658.tif 000020
【図５】
0006581658.tif 000021
【図６】
0006581658.tif 000022
【図７】
0006581658.tif 000023
【図８】
0006581658.tif 000024
【図９】
0006581658.tif 000025
【図１０】
0006581658.tif 000026
【図１１】
0006581658.tif 000027